(57)【要約】【課題】可動部材の動作により遊技球の入賞率が変化する入賞装置を備えた遊技機において、入賞装置への入賞率が高い状態となっている時間を計測し、入賞装置への遊技球の入賞に作用する障害部材の調整具合を指示する遊技機管理システム及び遊技機を提供する。【解決手段】パチンコ機に備えられたＲ／Ｗ基板では、大入賞口の開閉扉に備えられた監視用ＩＣタグと通信を行うことにより、大入賞口の開放を検知し、開放時間を計測し、その平均時間が算出される。そして、遊技場係員がＨＴ４００を操作して寄り釘チェック処理を行うと、ＨＴ４００は通信用ＩＣタグを介してＲ／Ｗ基板と通信を行い、平均時間により決定された調整指示のメッセージ等から成る時間情報をＲ／Ｗ基板から取得する。そして、時間情報に基づいて寄り釘チェック結果画面を表示する。（第１の実施の形態）【選択図】  図９
2005027716.tif 000002
【特許請求の範囲】
【請求項１】
可動部材を設け、当該可動部材の動作により遊技球の入賞率が変化する入賞装置を備えた遊技機と、前記入賞装置への遊技球の入賞率が高い特別状態と通常の入賞率である通常状態とのいずれの状態であるかを監視する監視手段とが接続され、前記監視手段と外部情報端末とが通信する遊技機管理システムであって、
前記監視手段は、
前記可動部材の動作により前記遊技機が前記特別状態となっていることを検出する、前記遊技機に設置されている状態検出手段と、
当該状態検出手段の検出結果に基づいて前記遊技機が前記特別状態である時間を計測する時間計測手段と、
当該時間計測手段により計測された計測時間を記憶する計測時間記憶手段と、
少なくとも前記計測時間を含む時間情報の送信を要求する要求信号を前記外部情報端末から受信する要求信号受信手段と、
当該要求信号受信手段が前記要求信号を受信すると、前記時間情報を前記外部情報端末へ送信する時間情報送信手段と
を備え、
前記外部情報端末は、
文字、数字又は画像のうちの少なくとも１つを表示する表示手段と、
前記時間情報の取得を前記監視手段へ要求する要求手段と、
当該要求手段により前記時間情報の取得の要求が行われた際に、前記要求信号を前記要求信号受信手段へ送信する要求信号送信手段と、
前記時間情報送信手段から送信された前記時間情報を受信する時間情報受信手段と、
前記時間情報受信手段が受信した前記時間情報に含まれている前記計測時間を前記表示手段へ表示する計測時間表示制御手段と
を備えたことを特徴とする遊技機管理システム。
【請求項２】
可動部材を設け、当該可動部材の動作により遊技球の入賞率が変化する入賞装置を備えた遊技機と、前記入賞装置への遊技球の入賞率が高い特別状態と通常の入賞率である通常状態とのいずれの状態であるかを監視する監視手段とが接続され、前記監視手段と外部情報端末とが通信する遊技機管理システムであって、
前記監視手段は、
前記可動部材の動作により前記遊技機が前記特別状態となっていることを検出する、前記遊技機に設置されている状態検出手段と、
当該状態検出手段の検出結果に基づいて前記遊技機が前記特別状態である時間を計測する時間計測手段と、
当該時間計測手段により計測された計測時間を記憶する計測時間記憶手段と、
少なくとも前記計測時間を含む時間情報の送信を要求する要求信号を前記外部情報端末から受信する要求信号受信手段と、
当該要求信号受信手段が前記要求信号を受信すると、前記時間情報を前記外部情報端末へ送信する時間情報送信手段と
を備え、
前記外部情報端末は、
文字、数字又は画像のうちの少なくとも１つを表示する表示手段と、
前記時間情報の取得を前記監視手段へ要求する要求手段と、
当該要求手段により前記時間情報の取得の要求が行われた際に、前記要求信号を前記要求信号受信手段へ送信する要求信号送信手段と、
前記時間情報送信手段から送信された前記時間情報を受信する時間情報受信手段と、
前記時間情報受信手段が受信した前記時間情報に含まれている前記計測時間の平均時間を算出する平均時間算出手段と、
前記平均時間算出手段が算出した前記平均時間を前記表示手段へ表示する平均情報表示制御手段と
を備えたことを特徴とする遊技機管理システム。
【請求項３】
可動部材を設け、当該可動部材の動作により遊技球の入賞率が変化する入賞装置を備えた遊技機と、前記入賞装置への遊技球の入賞率が高い特別状態と通常の入賞率である通常状態とのいずれの状態であるかを監視する監視手段とが接続され、前記監視手段と外部情報端末とが通信する遊技機管理システムであって、
前記監視手段は、
前記可動部材の動作により前記遊技機が前記特別状態となっていることを検出する、前記遊技機に設置されている状態検出手段と、
当該状態検出手段の検出結果に基づいて前記遊技機が前記特別状態である時間を計測する時間計測手段と、
当該時間計測手段により計測された計測時間を記憶する計測時間記憶手段と、
前記時間情報記憶手段に記憶されている前記計測時間の平均時間を算出する平均時間算出手段と、
少なくとも前記平均時間を含む時間情報の送信を要求する要求信号を前記外部情報端末から受信する要求信号受信手段と、
当該要求信号受信手段が前記要求信号を受信すると、前記時間情報を前記外部情報端末へ送信する時間情報送信手段と
を備え、
前記外部情報端末は、
少なくとも文字、数字又は画像のうちの少なくとも１つを表示する表示手段と、
前記時間情報の取得を前記監視手段へ要求する要求手段と、
当該要求手段により前記時間情報の取得の要求が行われた際に、前記要求信号を前記要求信号受信手段へ送信する要求信号送信手段と、
前記時間情報送信手段から送信された前記時間情報を受信する時間情報受信手段と、
前記時間情報受信手段が受信した前記時間情報に含まれている前記平均時間を前記表示手段へ表示する平均時間表示制御手段と
を備えたことを特徴とする遊技機管理システム。
【請求項４】
可動部材を設け、当該可動部材の動作により遊技球の入賞率が変化する入賞装置を備えた遊技機と、前記入賞装置への遊技球の入賞率が高い特別状態と通常の入賞率である通常状態とのいずれの状態であるかを監視する監視手段とが接続され、前記監視手段と外部情報端末とが通信する遊技機管理システムであって、
前記監視手段は、
前記可動部材の動作により前記遊技機が前記特別状態となっていることを検出する、前記遊技機に設置されている状態検出手段と、
当該状態検出手段の検出結果に基づいて前記遊技機が前記特別状態である時間を計測する時間計測手段と、
当該時間計測手段により計測された計測時間を記憶する計測時間記憶手段と、
少なくとも前記計測時間を含む時間情報の送信を要求する要求信号を前記外部情報端末から受信する要求信号受信手段と、
当該要求信号受信手段が前記要求信号を受信すると、前記時間情報を前記外部情報端末へ送信する時間情報送信手段と
を備え、
前記外部情報端末は、
文字、数字又は画像のうちの少なくとも１つを表示する表示手段と、
前記時間情報の取得を前記監視手段へ要求する要求手段と、
当該要求手段により前記時間情報の取得の要求が行われた際に、前記要求信号を前記要求信号受信手段へ送信する要求信号送信手段と、
前記時間情報送信手段から送信された前記時間情報を受信する時間情報受信手段と、
前記時間情報受信手段が受信した前記時間情報に含まれている前記計測時間の平均時間を算出する平均時間算出手段と、
当該平均時間算出手段により算出された前記平均時間が、予め時間の長さにより分けられた所定の複数の区分のうちのどの区分に該当するかを決定する区分決定手段と、
前記区分決定手段により決定された前記区分を前記表示手段へ表示する区分表示制御手段と
を備えたことを特徴とする遊技機管理システム。
【請求項５】
可動部材を設け、当該可動部材の動作により遊技球の入賞率が変化する入賞装置を備えた遊技機と、前記入賞装置への遊技球の入賞率が高い特別状態と通常の入賞率である通常状態とのいずれの状態であるかを監視する監視手段とが接続され、前記監視手段と外部情報端末とが通信する遊技機管理システムであって、
前記監視手段は、
前記可動部材の動作により前記遊技機が前記特別状態となっていることを検出する、前記遊技機に設置されている状態検出手段と、
当該状態検出手段の検出結果に基づいて前記遊技機が前記特別状態である時間を計測する時間計測手段と、
当該時間計測手段により計測された計測時間を記憶する計測時間記憶手段と、
前記時間情報記憶手段に記憶されている前記計測時間の平均時間を算出する平均時間算出手段と、
少なくとも前記平均時間を含む時間情報の送信を要求する要求信号を前記外部情報端末から受信する要求信号受信手段と、
当該要求信号受信手段が前記要求信号を受信すると、前記時間情報を前記外部情報端末へ送信する時間情報送信手段と
を備え、
前記外部情報端末は、
文字、数字又は画像のうちの少なくとも１つを表示する表示手段と、
前記時間情報の取得を前記監視手段へ要求する要求手段と、
当該要求手段により前記時間情報の取得の要求が行われた際に、前記要求信号を前記要求信号受信手段へ送信する要求信号送信手段と、
前記時間情報送信手段から送信された前記時間情報を受信する時間情報受信手段と、
前記時間情報受信手段が受信した前記時間情報に含まれている前記平均時間が、予め時間の長さにより分けられた所定の複数の区分のうちのどの区分に該当するかを決定する区分決定手段と、
前記区分決定手段により決定された前記区分を前記表示手段へ表示する区分表示制御手段と
を備えたことを特徴とする遊技機管理システム。
【請求項６】
可動部材を設け、当該可動部材の動作により遊技球の入賞率が変化する入賞装置を備えた遊技機と、前記入賞装置への遊技球の入賞率が高い特別状態と通常の入賞率である通常状態とのいずれの状態であるかを監視する監視手段とが接続され、前記監視手段と外部情報端末とが通信する遊技機管理システムであって、
前記監視手段は、
前記可動部材の動作により前記遊技機が前記特別状態となっていることを検出する、前記遊技機に設置されている状態検出手段と、
当該状態検出手段の検出結果に基づいて前記遊技機が前記特別状態である時間を計測する時間計測手段と、
当該時間計測手段により計測された計測時間を記憶する計測時間記憶手段と、
前記時間情報記憶手段に記憶されている前記計測時間の平均時間を算出する平均時間算出手段と、
当該平均時間算出手段により算出された前記平均時間が、予め時間の長さにより分けられた所定の複数の区分のうちのどの区分に該当するかを決定する区分決定手段と、
少なくとも前記区分を含む時間情報の送信を要求する要求信号を前記外部情報端末から受信する要求信号受信手段と、
当該要求信号受信手段が前記要求信号を受信すると、前記時間情報を前記外部情報端末へ送信する時間情報送信手段と
を備え、
前記外部情報端末は、
文字、数字又は画像のうちの少なくとも１つを表示する表示手段と、
前記時間情報の取得を前記監視手段へ要求する要求手段と、
当該要求手段により前記時間情報の取得の要求が行われた際に、前記要求信号を前記要求信号受信手段へ送信する要求信号送信手段と、
前記時間情報送信手段から送信された前記時間情報を受信する時間情報受信手段と、
前記時間情報受信手段が受信した前記時間情報に含まれている前記区分を前記表示手段へ表示する区分表示制御手段と
を備えたことを特徴とする遊技機管理システム。
【請求項７】
可動部材を設け、当該可動部材の動作により遊技球の入賞率が変化する入賞装置と、当該入賞装置への遊技球の入賞に作用する障害部材とを備えた遊技機と、前記入賞装置への遊技球の入賞率が高い特別状態と通常の入賞率である通常状態とのいずれの状態であるかを監視する監視手段とが接続され、前記監視手段と外部情報端末とが通信する遊技機管理システムであって、
前記監視手段は、
前記可動部材の動作により前記遊技機が前記特別状態となっていることを検出する、前記遊技機に設置されている状態検出手段と、
当該状態検出手段の検出結果に基づいて前記遊技機が前記特別状態である時間を計測する時間計測手段と、
当該時間計測手段により計測された計測時間を記憶する計測時間記憶手段と、
少なくとも前記計測時間を含む時間情報の送信を要求する要求信号を前記外部情報端末から受信する要求信号受信手段と、
当該要求信号受信手段が前記要求信号を受信すると、前記時間情報を前記外部情報端末へ送信する時間情報送信手段と
を備え、
前記外部情報端末は、
文字、数字又は画像のうちの少なくとも１つを表示する表示手段と、
前記時間情報の取得を前記監視手段へ要求する要求手段と、
当該要求手段により前記時間情報の取得の要求が行われた際に、前記要求信号を前記要求信号受信手段へ送信する要求信号送信手段と、
前記時間情報送信手段から送信された前記時間情報を受信する時間情報受信手段と、
前記時間情報受信手段が受信した前記時間情報に含まれている前記計測時間の平均時間を算出する平均時間算出手段と、
当該平均時間算出手段により算出された前記平均時間が、予め時間の長さにより分けられた所定の複数の区分のうちのどの区分に該当するかを決定する区分決定手段と、
前記区分毎に、前記障害部材の調整具合を示す文言又は図柄を記憶している表示情報記憶手段と、
前記区分決定手段により決定された前記区分に対応して、前記表示情報記憶手段に記憶されている文言又は図柄を選択する選択手段と、
当該選択手段により決定された前記文言又は図柄を前記表示手段へ表示する表示制御手段と
を備えたことを特徴とする遊技機管理システム。
【請求項８】
可動部材を設け、当該可動部材の動作により遊技球の入賞率が変化する入賞装置と、当該入賞装置への遊技球の入賞に作用する障害部材とを備えた遊技機と、前記入賞装置への遊技球の入賞率が高い特別状態と通常の入賞率である通常状態とのいずれの状態であるかを監視する監視手段とが接続され、前記監視手段と外部情報端末とが通信する遊技機管理システムであって、
前記監視手段は、
前記可動部材の動作により前記遊技機が前記特別状態となっていることを検出する、前記遊技機に設置されている状態検出手段と、
当該状態検出手段の検出結果に基づいて前記遊技機が前記特別状態である時間を計測する時間計測手段と、
当該時間計測手段により計測された計測時間を記憶する計測時間記憶手段と、
前記時間情報記憶手段に記憶されている前記計測時間の平均時間を算出する平均時間算出手段と、
少なくとも前記平均時間を含む時間情報の送信を要求する要求信号を前記外部情報端末から受信する要求信号受信手段と、
当該要求信号受信手段が前記要求信号を受信すると、前記時間情報を前記外部情報端末へ送信する時間情報送信手段と
を備え、
前記外部情報端末は、
文字、数字又は画像のうちの少なくとも１つを表示する表示手段と、
前記時間情報の取得を前記監視手段へ要求する要求手段と、
当該要求手段により前記時間情報の取得の要求が行われた際に、前記要求信号を前記要求信号受信手段へ送信する要求信号送信手段と、
前記時間情報送信手段から送信された前記時間情報を受信する時間情報受信手段と、
前記時間情報受信手段が受信した前記時間情報に含まれている前記平均時間が、予め時間の長さにより分けられた所定の複数の区分のうちのどの区分に該当するかを決定する区分決定手段と、
前記区分毎に、前記障害部材の調整具合を示す文言又は図柄を記憶している表示情報記憶手段と、
前記区分決定手段により決定された前記区分に対応して、前記表示情報記憶手段に記憶されている文言又は図柄を選択する選択手段と、
当該選択手段により決定された前記文言又は図柄を前記表示手段へ表示する表示制御手段と
を備えたことを特徴とする遊技機管理システム。
【請求項９】
可動部材を設け、当該可動部材の動作により遊技球の入賞率が変化する入賞装置と、当該入賞装置への遊技球の入賞に作用する障害部材とを備えた遊技機と、前記入賞装置への遊技球の入賞率が高い特別状態と通常の入賞率である通常状態とのいずれの状態であるかを監視する監視手段とが接続され、前記監視手段と外部情報端末とが通信する遊技機管理システムであって、
前記監視手段は、
前記可動部材の動作により前記遊技機が前記特別状態となっていることを検出する、前記遊技機に設置されている状態検出手段と、
当該状態検出手段の検出結果に基づいて前記遊技機が前記特別状態である時間を計測する時間計測手段と、
当該時間計測手段により計測された計測時間を記憶する計測時間記憶手段と、
前記時間情報記憶手段に記憶されている前記計測時間の平均時間を算出する平均時間算出手段と、
当該平均時間算出手段により算出された前記平均時間が、予め時間の長さにより分けられた所定の複数の区分のうちのどの区分に該当するかを決定する区分決定手段と、
少なくとも前記区分を含む時間情報の送信を要求する要求信号を前記外部情報端末から受信する要求信号受信手段と、
当該要求信号受信手段が前記要求信号を受信すると、前記時間情報を前記外部情報端末へ送信する時間情報送信手段と
を備え、
前記外部情報端末は、
文字、数字又は画像のうちの少なくとも１つを表示する表示手段と、
前記時間情報の取得を前記監視手段へ要求する要求手段と、
当該要求手段により前記時間情報の取得の要求が行われた際に、前記要求信号を前記要求信号受信手段へ送信する要求信号送信手段と、
前記時間情報送信手段から送信された前記時間情報を受信する時間情報受信手段と、
前記区分毎に、前記障害部材の調整具合を示す文言又は図柄を記憶している表示情報記憶手段と、
前記時間情報受信手段が受信した前記時間情報に含まれている前記区分に対応して、前記表示情報記憶手段に記憶されている文言又は図柄を選択する選択手段と、
当該選択手段により決定された前記文言又は図柄を前記表示手段へ表示する表示制御手段と
を備えたことを特徴とする遊技機管理システム。
【請求項１０】
可動部材を設け、当該可動部材の動作により遊技球の入賞率が変化する入賞装置と、当該入賞装置への遊技球の入賞に作用する障害部材とを備えた遊技機と、前記入賞装置への遊技球の入賞率が高い特別状態と通常の入賞率である通常状態とのいずれの状態であるかを監視する監視手段とが接続され、前記監視手段と外部情報端末とが通信する遊技機管理システムであって、
前記監視手段は、
前記可動部材の動作により前記遊技機が前記特別状態となっていることを検出する、前記遊技機に設置されている状態検出手段と、
当該状態検出手段の検出結果に基づいて前記遊技機が前記特別状態である時間を計測する時間計測手段と、
当該時間計測手段により計測された計測時間を記憶する計測時間記憶手段と、
前記時間情報記憶手段に記憶されている前記計測時間の平均時間を算出する平均時間算出手段と、
当該平均時間算出手段により算出された前記平均時間が、予め時間の長さにより分けられた所定の複数の区分のうちのどの区分に該当するかを決定する区分決定手段と、
前記区分毎に、前記障害部材の調整具合を示す文言又は図柄を記憶している表示情報記憶手段と、
前記区分決定手段により決定された前記区分に対応して、前記表示情報記憶手段に記憶されている文言又は図柄を選択する選択手段と、
当該選択手段により決定された前記文言又は図柄を少なくとも含む時間情報の送信を要求する要求信号を前記外部情報端末から受信する要求信号受信手段と、
当該要求信号受信手段が前記要求信号を受信すると、前記時間情報を前記外部情報端末へ送信する時間情報送信手段と
を備え、
前記外部情報端末は、
文字、数字又は画像のうちの少なくとも１つを表示する表示手段と、
前記時間情報の取得を前記監視手段へ要求する要求手段と、
当該要求手段により前記時間情報の取得の要求が行われた際に、前記要求信号を前記要求信号受信手段へ送信する要求信号送信手段と、
前記時間情報送信手段から送信された前記時間情報を受信する時間情報受信手段と、
前記時間情報受信手段が受信した前記時間情報に含まれている前記文言又は図柄を前記表示手段へ表示する表示制御手段と
を備えたことを特徴とする遊技機管理システム。
【請求項１１】
前記監視手段は、前記遊技機に備えられていることを特徴とする請求項１乃至１０のいずれかに記載の遊技機管理システム。
【請求項１２】
前記可動部材には監視用ＩＣタグが設けられ、
前記監視手段は、
前記通常状態においてのみ前記監視用ＩＣタグと非接触で通信可能な位置に備えられ、前記状態検出手段であるアンテナと、
当該アンテナを介して前記監視用ＩＣタグと通信を行う通信手段と、
当該通信手段による通信の結果が正常であるか否かを判断する通信結果判断手段と、
前記通信結果判断手段により正常でないと判断された場合に前記特別状態であると判断する状態判断手段と
を備えたことを特徴とする請求項１乃至１１のいずれかに記載の遊技機管理システム。
【請求項１３】
前記遊技機は、
前記遊技盤に設けられ、遊技球が入賞する始動入賞口と、
前記始動入賞口への遊技球の入賞を契機に乱数の取得を行う乱数取得手段と、
前記乱数取得手段が取得した乱数に基づいて、遊技者が多数の遊技球を取得可能な大当たり状態とするか否かの判定を行う大当たり判定手段と、
前記遊技盤に設けられ、開閉可能な開閉部材を備え、前記大当たり判定手段の判定結果により大当たり状態となった場合に、前記開閉部材が開かれて遊技球が入賞可能となる大入賞口と
を備え、
前記可動部材は前記開閉部材であり、前記入賞装置は前記大入賞口であり、前記特別状態は前記開閉部材が開かれている状態であることを特徴とする請求項１乃至１２のいずれかに記載の遊技機管理システム。
【請求項１４】
前記時間計測手段は、大当たり遊技状態である場合にのみ時間を計測することを特徴とする請求項１３に記載の遊技機管理システム。
【請求項１５】
前記平均時間算出手段は、大当たり遊技状態である場合に前記時間計測手段で計測された計測時間のみの平均時間を算出することを特徴とする請求項１３に記載の遊技機管理システム。
【請求項１６】
前記外部情報端末は、携帯可能な携帯情報端末であることを特徴とする請求項１乃至１５のいずれかに記載の遊技機管理システム。
【請求項１７】
前記監視手段は通信用ＩＣタグを備え、
前記携帯情報端末は、
前記通信用ＩＣタグと通信を行い、
前記時間情報送信手段及び前記時間情報要求信号受信手段は、前記通信用ＩＣタグに備えられていることを特徴とする請求項１６に記載の遊技機管理システム。
【請求項１８】
可動部材を設け、当該可動部材の動作により遊技球の入賞率が変化する入賞装置を備えた遊技機に接続し、前記入賞装置への遊技球の入賞率が高い特別状態と通常の入賞率である通常状態とのいずれの状態であるかを監視し、前記特別状態である時間を計測する監視手段と通信する外部情報端末であって、
文字、数字又は画像のうちの少なくとも１つを表示する表示手段と、
前記特別状態となっている時間を計測した計測時間を少なくとも含む時間情報の取得を前記監視手段へ要求する要求手段と、
当該要求手段により、前記時間情報の取得の要求が行われた際に、前記時間情報の送信を要求する要求信号を前記監視手段へ送信する要求信号送信手段と、
前記監視手段から送信された前記時間情報を受信する時間情報受信手段と、
前記時間情報受信手段が受信した前記時間情報に含まれている前記計測時間を前記表示手段へ表示する計測時間表示制御手段と
を備えたことを特徴とする外部情報端末。
【請求項１９】
可動部材を設け、当該可動部材の動作により遊技球の入賞率が変化する入賞装置を備えた遊技機に接続し、前記入賞装置への遊技球の入賞率が高い特別状態と通常の入賞率である通常状態とのいずれの状態であるかを監視し、前記特別状態である時間を計測する監視手段と通信する外部情報端末であって、
文字、数字又は画像のうちの少なくとも１つを表示する表示手段と、
前記特別状態となっている時間を計測した計測時間を少なくとも含む時間情報の取得を前記監視手段へ要求する要求手段と、
当該要求手段により、前記時間情報の取得の要求が行われた際に、前記時間情報の送信を要求する要求信号を前記監視手段へ送信する要求信号送信手段と、
前記監視手段から送信された前記時間情報を受信する時間情報受信手段と、
前記時間情報受信手段が受信した前記時間情報に含まれている前記計測時間の平均時間を算出する平均時間算出手段と、
前記平均時間算出手段が算出した前記平均時間を前記表示手段へ表示する平均情報表示制御手段と
を備えたことを特徴とする外部情報端末。
【請求項２０】
可動部材を設け、当該可動部材の動作により遊技球の入賞率が変化する入賞装置を備えた遊技機に接続し、前記入賞装置への遊技球の入賞率が高い特別状態と通常の入賞率である通常状態とのいずれの状態であるかを監視し、前記特別状態である時間を計測して、その平均時間を算出する監視手段と通信する外部情報端末であって、
文字、数字又は画像のうちの少なくとも１つを表示する表示手段と、
少なくとも前記平均時間を含む時間情報の取得を前記監視手段へ要求する要求手段と、
当該要求手段により、前記時間情報の取得の要求が行われた際に、前記時間情報の送信を要求する要求信号を前記監視手段へ送信する要求信号送信手段と、
前記監視手段から送信された前記時間情報を受信する時間情報受信手段と、
前記時間情報受信手段が受信した前記時間情報に含まれている前記平均時間を前記表示手段へ表示する平均時間表示制御手段と
を備えたことを特徴とする外部情報端末。
【請求項２１】
可動部材を設け、当該可動部材の動作により遊技球の入賞率が変化する入賞装置を備えた遊技機に接続し、前記入賞装置への遊技球の入賞率が高い特別状態と通常の入賞率である通常状態とのいずれの状態であるかを監視し、前記特別状態である時間を計測する監視手段と通信する外部情報端末であって、
文字、数字又は画像のうちの少なくとも１つを表示する表示手段と、
前記特別状態となっている時間を計測した計測時間を少なくとも含む時間情報の取得を前記監視手段へ要求する要求手段と、
当該要求手段により、前記時間情報の取得の要求が行われた際に、前記時間情報の送信を要求する要求信号を前記監視手段へ送信する要求信号送信手段と、
前記監視手段から送信された前記時間情報を受信する時間情報受信手段と、
当該時間情報受信手段が受信した前記時間情報に含まれている前記計測時間の平均時間を算出する平均時間算出手段と、
当該平均時間算出手段により算出された前記平均時間が、予め時間の長さにより分けられた所定の複数の区分のうちのどの区分に該当するかを決定する区分決定手段と、
前記区分決定手段により決定された前記区分を前記表示手段へ表示する区分表示制御手段と
を備えたことを特徴とする外部情報端末。
【請求項２２】
可動部材を設け、当該可動部材の動作により遊技球の入賞率が変化する入賞装置を備えた遊技機に接続し、前記入賞装置への遊技球の入賞率が高い特別状態と通常の入賞率である通常状態とのいずれの状態であるかを監視し、前記特別状態である時間を計測して、その平均時間を算出する監視手段と通信する外部情報端末であって、
文字、数字又は画像のうちの少なくとも１つを表示する表示手段と、
少なくとも前記平均時間を含む時間情報の取得を前記監視手段へ要求する要求手段と、
当該要求手段により、前記時間情報の取得の要求が行われた際に、前記時間情報の送信を要求する要求信号を前記監視手段へ送信する要求信号送信手段と、
前記監視手段から送信された前記時間情報を受信する時間情報受信手段と、
当該時間情報受信手段が受信した前記時間情報に含まれている前記平均時間が、予め時間の長さにより分けられた所定の複数の区分のうちのどの区分に該当するかを決定する区分決定手段と、
前記区分決定手段により決定された前記区分を前記表示手段へ表示する区分表示制御手段と
を備えたことを特徴とする外部情報端末。
【請求項２３】
可動部材を設け、当該可動部材の動作により遊技球の入賞率が変化する入賞装置を備えた遊技機に接続し、前記入賞装置への遊技球の入賞率が高い特別状態と通常の入賞率である通常状態とのいずれの状態であるかを監視し、前記特別状態である時間を計測して、その平均時間を算出し、当該平均時間が、予め時間の長さにより分けられた複数の区分のどの区分に該当するかを決定する監視手段と通信する外部情報端末であって、
文字、数字又は画像のうちの少なくとも１つを表示する表示手段と、
少なくとも前記区分を含む時間情報の取得を前記監視手段へ要求する要求手段と、
当該要求手段により、前記時間情報の取得の要求が行われた際に、前記時間情報の送信を要求する要求信号を前記監視手段へ送信する要求信号送信手段と、
前記監視手段から送信された前記時間情報を受信する時間情報受信手段と、
当該時間情報受信手段が受信した前記時間情報に含まれている前記区分を前記表示手段へ表示する区分表示制御手段と
を備えたことを特徴とする外部情報端末。
【請求項２４】
可動部材を設け、当該可動部材の動作により遊技球の入賞率が変化する入賞装置と、当該入賞装置への遊技球の入賞に作用する障害部材とを備えた遊技機に接続し、前記入賞装置への遊技球の入賞率が高い特別状態と通常の入賞率である通常状態とのいずれの状態であるかを監視し、前記特別状態である時間を計測する監視手段と通信する外部情報端末であって、
文字、数字又は画像のうちの少なくとも１つを表示する表示手段と、
前記特別状態となっている時間を計測した計測時間を少なくとも含む時間情報の取得を前記監視手段へ要求する要求手段と、
当該要求手段により、前記時間情報の取得の要求が行われた際に、前記時間情報の送信を要求する要求信号を前記監視手段へ送信する要求信号送信手段と、
前記監視手段から送信された前記時間情報を受信する時間情報受信手段と、
当該時間情報受信手段が受信した前記時間情報に含まれている前記計測時間の平均時間を算出する平均時間算出手段と、
当該平均時間算出手段により算出された前記平均時間が、予め時間の長さにより分けられた所定の複数の区分のうちのどの区分に該当するかを決定する区分決定手段と、
前記区分毎に、前記障害部材の調整具合を示す文言又は図柄を記憶している表示情報記憶手段と、
前記区分決定手段により決定された前記区分に対応して、前記表示情報記憶手段に記憶されている文言又は図柄を選択する選択手段と、
当該選択手段により決定された前記文言又は図柄を前記表示手段へ表示する表示制御手段と
を備えたことを特徴とする外部情報端末。
【請求項２５】
可動部材を設け、当該可動部材の動作により遊技球の入賞率が変化する入賞装置と、当該入賞装置への遊技球の入賞に作用する障害部材とを備えた遊技機に接続し、前記入賞装置への遊技球の入賞率が高い特別状態と通常の入賞率である通常状態とのいずれの状態であるかを監視し、前記特別状態である時間を計測して、その平均時間を算出する監視手段と通信する外部情報端末であって、
文字、数字又は画像のうちの少なくとも１つを表示する表示手段と、
少なくとも前記平均時間を含む時間情報の取得を前記監視手段へ要求する要求手段と、
当該要求手段により、前記時間情報の取得の要求が行われた際に、前記時間情報の送信を要求する要求信号を前記監視手段へ送信する要求信号送信手段と、
前記監視手段から送信された前記時間情報を受信する時間情報受信手段と、
当該時間情報受信手段が受信した前記時間情報に含まれている前記平均時間が、予め時間の長さにより分けられた所定の複数の区分のうちのどの区分に該当するかを決定する区分決定手段と、
前記区分毎に、前記障害部材の調整具合を示す文言又は図柄を記憶している表示情報記憶手段と、
前記区分決定手段により決定された前記区分に対応して、前記表示情報記憶手段に記憶されている文言又は図柄を選択する選択手段と、
当該選択手段により決定された前記文言又は図柄を前記表示手段へ表示する表示制御手段と
を備えたことを特徴とする外部情報端末。
【請求項２６】
可動部材を設け、当該可動部材の動作により遊技球の入賞率が変化する入賞装置と、当該入賞装置への遊技球の入賞に作用する障害部材とを備えた遊技機に接続し、前記入賞装置への遊技球の入賞率が高い特別状態と通常の入賞率である通常状態とのいずれの状態であるかを監視し、前記特別状態である時間を計測して、その平均時間を算出し、当該平均時間が、予め時間の長さにより分けられた複数の区分のどの区分に該当するかを決定する監視手段と通信する外部情報端末であって、
文字、数字又は画像のうちの少なくとも１つを表示する表示手段と、
少なくとも前記区分を含む時間情報の取得を前記監視手段へ要求する要求手段と、
当該要求手段により、前記時間情報の取得の要求が行われた際に、前記時間情報の送信を要求する要求信号を前記監視手段へ送信する要求信号送信手段と、
前記監視手段から送信された前記時間情報を受信する時間情報受信手段と、
前記区分毎に、前記障害部材の調整具合を示す文言又は図柄を記憶している表示情報記憶手段と、
前記時間情報受信手段が受信した前記時間情報に含まれている前記区分に対応して、前記表示情報記憶手段に記憶されている文言又は図柄を選択する選択手段と、
当該選択手段により決定された前記文言又は図柄を前記表示手段へ表示する表示制御手段と
を備えたことを特徴とする外部情報端末。
【請求項２７】
可動部材を設け、当該可動部材の動作により遊技球の入賞率が変化する入賞装置と、当該入賞装置への遊技球の入賞に作用する障害部材とを備えた遊技機に接続し、前記入賞装置への遊技球の入賞率が高い特別状態と通常の入賞率である通常状態とのいずれの状態であるかを監視し、前記特別状態である時間を計測して、その平均時間を算出し、当該平均時間が、予め時間の長さにより分けられた複数の区分のどの区分に該当するかを決定し、その区分に対応して前記障害部材の調整具合を示す文言又は図柄を選択する監視手段と通信する外部情報端末であって、
文字、数字又は画像のうちの少なくとも１つを表示する表示手段と、
少なくとも前記文言又は図柄を含む時間情報の取得を前記監視手段へ要求する要求手段と、
当該要求手段により、前記時間情報の取得の要求が行われた際に、前記時間情報の送信を要求する要求信号を前記監視手段へ送信する要求信号送信手段と、
前記監視手段から送信された前記時間情報を受信する時間情報受信手段と、
前記時間情報受信手段が受信した前記時間情報に含まれている前記文言又は図柄を前記表示手段へ表示する表示制御手段と
を備えたことを特徴とする外部情報端末。
【請求項２８】
前記遊技機に備えられている前記監視手段と通信することを特徴とする請求項１８乃至２７のいずれかに記載の外部情報端末。
【請求項２９】
前記可動部材には監視用ＩＣタグが設けられており、
前記通常状態においてのみ前記監視用ＩＣタグと非接触で通信可能な位置に備えられ、前記状態検出手段であるアンテナと、
当該アンテナを介して前記監視用ＩＣタグと通信を行う通信手段と、
当該通信手段による通信の結果が正常であるか否かを判断する通信結果判断手段と、
前記通信結果判断手段により正常でないと判断された場合に前記特別状態であると判断する状態判断手段と
が備えられている前記監視手段と通信することを特徴とする請求項１８乃至２８のいずれかに記載の外部情報端末。
【請求項３０】
前記遊技機には、
前記遊技盤に設けられ、遊技球が入賞する始動入賞口と、
前記始動入賞口への遊技球の入賞を契機に乱数の取得を行う乱数取得手段と、
前記乱数取得手段が取得した乱数に基づいて、遊技者が多数の遊技球を取得可能な大当たり状態とするか否かの判定を行う大当たり判定手段と、
前記遊技盤に設けられ、開閉可能な開閉部材を備え、前記大当たり判定手段の判定結果により大当たり状態となった場合に、前記開閉部材が開かれて遊技球が入賞可能となる大入賞口と
を備えており、
前記特別状態は、前記入賞装置である前記大入賞口に設けられた、前記可動部材である前記開閉部材が開かれている状態であることを特徴とする請求項１８乃至２９のいずれかに記載の外部情報端末。
【請求項３１】
前記計測時間は、大当たり遊技状態である場合にのみに計測された時間であることを特徴とする請求項３０に記載の外部情報端末。
【請求項３２】
前記平均時間は、大当たり遊技状態である場合にのみ計測された時間の平均時間であることを特徴とする請求項３０に記載の外部情報端末。
【請求項３３】
携帯可能な携帯情報端末であることを特徴とする請求項１８乃至３２のいずれかに記載の外部情報端末。
【請求項３４】
前記監視手段が、前記時間情報送信手段及び前記時間情報要求信号受信手段を備えた通信用ＩＣタグを備えており、
前記通信用ＩＣタグと通信を行うことを特徴とする請求項３３に記載の外部情報端末。
【請求項３５】
可動部材を設け、当該可動部材の動作により遊技球の入賞率が変化する入賞装置を備え、前記入賞装置への遊技球の入賞率が高い特別状態と通常の入賞率である通常状態とのいずれの状態であるかを監視し、外部情報端末と通信する監視手段を接続した遊技機であって、
前記監視手段は、
前記可動部材の動作により前記遊技機が前記特別状態となっていることを検出する、前記遊技機に設置されている状態検出手段と、
当該状態検出手段の検出結果に基づいて前記遊技機が前記特別状態である時間を計測する時間計測手段と、
当該時間計測手段により計測された計測時間を記憶する計測時間記憶手段と、
少なくとも前記計測時間を含む時間情報の送信を要求する要求信号を前記外部情報端末から受信する要求信号受信手段と、
当該要求信号受信手段が前記要求信号を受信すると、前記時間情報を前記外部情報端末へ送信する時間情報送信手段と
を備えたことを特徴とする遊技機。
【請求項３６】
可動部材を設け、当該可動部材の動作により遊技球の入賞率が変化する入賞装置を備え、前記入賞装置への遊技球の入賞率が高い特別状態と通常の入賞率である通常状態とのいずれの状態であるかを監視し、外部情報端末と通信する監視手段を接続した遊技機であって、
前記監視手段は、
前記可動部材の動作により前記遊技機が前記特別状態となっていることを検出する、前記遊技機に設置されている状態検出手段と、
当該状態検出手段の検出結果に基づいて前記入賞装置が前記特別状態である時間を計測する時間計測手段と、
当該時間計測手段により計測された計測時間を記憶する計測時間記憶手段と、
少なくとも前記計測時間を含む時間情報の送信を要求する要求信号を前記外部情報端末から受信する要求信号受信手段と、
当該要求信号受信手段が前記要求信号を受信すると、前記時間情報を前記外部情報端末へ送信する時間情報送信手段と
を備えたことを特徴とする遊技機。
【請求項３７】
可動部材を設け、当該可動部材の動作により遊技球の入賞率が変化する入賞装置を備え、前記入賞装置への遊技球の入賞率が高い特別状態と通常の入賞率である通常状態とのいずれの状態であるかを監視し、外部情報端末と通信する監視手段を接続した遊技機であって、
前記監視手段は、
前記可動部材の動作により前記遊技機が前記特別状態となっていることを検出する、前記遊技機に設置されている状態検出手段と、
当該状態検出手段の検出結果に基づいて前記遊技機が前記特別状態である時間を計測する時間計測手段と、
当該時間計測手段により計測された計測時間を記憶する計測時間記憶手段と、
前記時間情報記憶手段に記憶されている前記計測時間の平均時間を算出する平均時間算出手段と、
当該平均時間算出手段により算出された前記平均時間が、予め時間の長さにより分けられた所定の複数の区分のうちのどの区分に該当するかを決定する区分決定手段と、
少なくとも前記区分を含む時間情報の送信を要求する要求信号を前記外部情報端末から受信する要求信号受信手段と、
当該要求信号受信手段が前記要求信号を受信すると、前記時間情報を前記外部情報端末へ送信する時間情報送信手段と
を備えたことを特徴とする遊技機。
【請求項３８】
可動部材を設け、当該可動部材の動作により遊技球の入賞率が変化する入賞装置を備え、前記入賞装置への遊技球の入賞率が高い特別状態と通常の入賞率である通常状態とのいずれの状態であるかを監視し、外部情報端末と通信する監視手段を接続した遊技機であって、
前記監視手段は、
前記可動部材の動作により前記遊技機が前記特別状態となっていることを検出する、前記遊技機に設置されている状態検出手段と、
当該状態検出手段の検出結果に基づいて前記遊技機が前記特別状態である時間を計測する時間計測手段と、
当該時間計測手段により計測された計測時間を記憶する計測時間記憶手段と、
前記時間情報記憶手段に記憶されている前記計測時間の平均時間を算出する平均時間算出手段と、
当該平均時間算出手段により算出された前記平均時間が、予め時間の長さにより分けられた所定の複数の区分のうちのどの区分に該当するかを決定する区分決定手段と、
前記区分毎に、前記障害部材の調整具合を示す文言又は図柄を記憶している表示情報記憶手段と、
前記区分決定手段により決定された前記区分に対応して、前記表示情報記憶手段に記憶されている文言又は図柄を選択する選択手段と、
当該選択手段により決定された前記文言又は図柄を少なくとも含む時間情報の送信を要求する要求信号を前記外部情報端末から受信する要求信号受信手段と、
当該要求信号受信手段が前記要求信号を受信すると、前記時間情報を前記外部情報端末へ送信する時間情報送信手段と
を備えたことを特徴とする遊技機。
【請求項３９】
前記監視手段が自身に設けられていることを特徴とする請求項３５乃至３８のいずれかに記載の遊技機。
【請求項４０】
前記可動部材には監視用ＩＣタグが設けられ、
前記監視手段は、
前記通常状態においてのみ前記監視用ＩＣタグと非接触で通信可能な位置に備えられ、前記状態検出手段であるアンテナと、
当該アンテナを介して前記監視用ＩＣタグと通信を行う通信手段と、
当該通信手段による通信の結果が正常であるか否かを判断する通信結果判断手段と、
前記通信結果判断手段により正常でないと判断された場合に前記特別状態であると判断する状態判断手段と
を備えたことを特徴とする請求項３５乃至３９のいずれかに記載の遊技機。
【請求項４１】
前記遊技盤に設けられ、遊技球が入賞する始動入賞口と、
前記始動入賞口への遊技球の入賞を契機に乱数の取得を行う乱数取得手段と、
前記乱数取得手段が取得した乱数に基づいて、遊技者が多数の遊技球を取得可能な大当たり状態とするか否かの判定を行う大当たり判定手段と、
前記遊技盤に設けられ、開閉可能な開閉部材を備え、前記大当たり判定手段の判定結果により大当たり状態となった場合に、前記開閉部材が開かれて遊技球が入賞可能となる大入賞口と
を備え、
前記可動部材は前記開閉部材であり、前記入賞装置は前記大入賞口であり、前記特別状態は前記開閉部材が開かれている状態であることを特徴とする請求項３５乃至４０のいずれかに記載の遊技機。
【請求項４２】
前記時間計測手段は、大当たり遊技状態である場合にのみ時間を計測することを特徴とする請求項４１に記載の遊技機。
【請求項４３】
前記平均時間算出手段は、大当たり遊技状態である場合に前記時間計測手段で計測された計測時間のみの平均時間を算出することを特徴とする請求項４２に記載の遊技機。
【請求項４４】
前記外部情報端末は携帯可能な携帯情報端末であり、
前記監視手段は、記時間情報送信手段及び前記時間情報要求信号受信手段を備えた通信用ＩＣタグを備えていることを特徴とする請求項３５乃至４３のいずれかに記載の遊技機。
【発明の詳細な説明】
【０００１】
【発明の属する技術分野】
本発明は、遊技機管理システム及び遊技機に関し、詳細には、可動部材の動作により遊技球の入賞率が変化する入賞装置を備えた遊技機において、入賞装置への遊技球の入賞率が高い状態となっている時間を計測し、入賞装置への遊技球の入賞に作用する障害部材の調整具合を指示する遊技機管理システム及び遊技機に関する。
【０００２】
【従来の技術】
従来、遊技機の一種であるパチンコ機における障害部材の調整は、単に遊技場係員の経験により行われていたり、その障害部材が作用を及ぼす入賞装置への遊技球の入賞数やその入賞装置への入賞を契機に生起される遊技の発生回数等を参考にして、調整具合を遊技場係員が経験により判断して行われていた。尚、入賞数や発生回数等はホール管理端末等の遊技場に設置された端末で提供される。また、ホール管理端末において入賞装置の開放時間の標準偏差を求め、その値により釘調整の要否を表示した印刷物を出力しているものもある（例えば、特許文献１参照）。
【０００３】
【特許文献１】
特開平１１−２９０５３７号公報
【０００４】
【発明が解決しようとする課題】
しかしながら、遊技場係員の経験により釘調整が行われる場合には、遊技場係員の経験量や熟練度により、釘調整を行うか否かの判断が異なるという問題点がある。また、特許文献１のように、釘調整を行うように指示された場合においても、どの程度、どの方向に調整を行うのかという判断も問題となる。そして、ホール管理端末で提供される情報により釘調整の判断を行う場合においては、それらの情報を画面表示したり、印刷したりする手間がある。釘調整を行う際にはその直前の情報が必要であるため、釘調整を行う前に、予めホール管理端末において入賞装置への入賞球数や入賞装置の開放時間の確認をする必要があると言う問題点があった。
【０００５】
本発明は、上記問題を解決するためになされたものであり、可動部材の動作により遊技球の入賞率が変化する入賞装置を備えた遊技機において、入賞装置の入賞率が高い状態となっている時間を計測する遊技機及び遊技機管理システムを提供することを目的としている。
【０００６】
【課題を解決するための手段】
上記課題を解決するため、請求項１に係る発明の遊技機管理システムでは、可動部材を設け、当該可動部材の動作により遊技球の入賞率が変化する入賞装置を備えた遊技機と、前記入賞装置への遊技球の入賞率が高い特別状態と通常の入賞率である通常状態とのいずれの状態であるかを監視する監視手段とが接続され、前記監視手段と外部情報端末とが通信する遊技機管理システムであって、前記監視手段は、前記可動部材の動作により前記遊技機が前記特別状態となっていることを検出する、前記遊技機に設置されている状態検出手段と、当該状態検出手段の検出結果に基づいて前記遊技機が前記特別状態である時間を計測する時間計測手段と、当該時間計測手段により計測された計測時間を記憶する計測時間記憶手段と、少なくとも前記計測時間を含む時間情報の送信を要求する要求信号を前記外部情報端末から受信する要求信号受信手段と、当該要求信号受信手段が前記要求信号を受信すると、前記時間情報を前記外部情報端末へ送信する時間情報送信手段とを備え、前記外部情報端末は、文字、数字又は画像のうちの少なくとも１つを表示する表示手段と、前記時間情報の取得を前記監視手段へ要求する要求手段と、当該要求手段により前記時間情報の取得の要求が行われた際に、前記要求信号を前記要求信号受信手段へ送信する要求信号送信手段と、前記時間情報送信手段から送信された前記時間情報を受信する時間情報受信手段と、前記時間情報受信手段が受信した前記時間情報に含まれている前記計測時間を前記表示手段へ表示する計測時間表示制御手段とを備えている。
【０００７】
この構成の遊技機管理システムでは、監視手段の状態検出手段は、可動部材の動作により遊技機が特別状態となっていることを検出し、遊技機に設置されている。時間計測手段は、状態検出手段の検出結果に基づいて遊技機が特別状態である時間を計測し、計測時間記憶手段は、時間計測手段により計測された計測時間を記憶し、要求信号受信手段は、少なくとも計測時間を含む時間情報の送信を要求する要求信号を外部情報端末から受信し、時間情報送信手段は、要求信号受信手段が要求信号を受信し、時間情報を外部情報端末へ送信する。また、外部情報端末の表示手段は、文字、数字又は画像のうちの少なくとも１つを表示し、要求手段は、時間情報の取得を監視手段へ要求し、要求信号送信手段は、要求手段により時間情報の取得の要求が行われた際に、要求信号を要求信号受信手段へ送信し、時間情報受信手段は、時間情報送信手段から送信された時間情報を受信し、計測時間表示制御手段は、時間情報受信手段が受信した時間情報に含まれている計測時間を表示手段へ表示する。
【０００８】
また、請求項２に係る発明の遊技機管理システムでは、可動部材を設け、当該可動部材の動作により遊技球の入賞率が変化する入賞装置を備えた遊技機と、前記入賞装置への遊技球の入賞率が高い特別状態と通常の入賞率である通常状態とのいずれの状態であるかを監視する監視手段とが接続され、前記監視手段と外部情報端末とが通信する遊技機管理システムであって、前記監視手段は、前記可動部材の動作により前記遊技機が前記特別状態となっていることを検出する、前記遊技機に設置されている状態検出手段と、当該状態検出手段の検出結果に基づいて前記遊技機が前記特別状態である時間を計測する時間計測手段と、当該時間計測手段により計測された計測時間を記憶する計測時間記憶手段と、少なくとも前記計測時間を含む時間情報の送信を要求する要求信号を前記外部情報端末から受信する要求信号受信手段と、当該要求信号受信手段が前記要求信号を受信すると、前記時間情報を前記外部情報端末へ送信する時間情報送信手段とを備え、前記外部情報端末は、文字、数字又は画像のうちの少なくとも１つを表示する表示手段と、前記時間情報の取得を前記監視手段へ要求する要求手段と、当該要求手段により前記時間情報の取得の要求が行われた際に、前記要求信号を前記要求信号受信手段へ送信する要求信号送信手段と、前記時間情報送信手段から送信された前記時間情報を受信する時間情報受信手段と、前記時間情報受信手段が受信した前記時間情報に含まれている前記計測時間の平均時間を算出する平均時間算出手段と、前記平均時間算出手段が算出した前記平均時間を前記表示手段へ表示する平均情報表示制御手段とを備えている。
【０００９】
この構成の遊技機管理システムでは、監視手段の状態検出手段は、可動部材の動作により遊技機が特別状態となっていることを検出し、遊技機に設置されている。時間計測手段は、状態検出手段の検出結果に基づいて遊技機が特別状態である時間を計測し、計測時間記憶手段は、時間計測手段により計測された計測時間を記憶し、要求信号受信手段は、少なくとも計測時間を含む時間情報の送信を要求する要求信号を外部情報端末から受信し、時間情報送信手段は、要求信号受信手段が要求信号を受信し、時間情報を外部情報端末へ送信する。また、外部情報端末の表示手段は、文字、数字又は画像のうちの少なくとも１つを表示し、要求手段は、時間情報の取得を監視手段へ要求し、要求信号送信手段は、要求手段により時間情報の取得の要求が行われた際に、要求信号を要求信号受信手段へ送信し、時間情報受信手段は、時間情報送信手段から送信された時間情報を受信し、平均時間算出手段は、時間情報受信手段が受信した時間情報に含まれている計測時間の平均時間を算出し、平均情報表示制御手段は、平均時間算出手段が算出した平均時間を表示手段へ表示する。
【００１０】
また、請求項３に係る発明の遊技機管理システムでは、可動部材を設け、当該可動部材の動作により遊技球の入賞率が変化する入賞装置を備えた遊技機と、前記入賞装置への遊技球の入賞率が高い特別状態と通常の入賞率である通常状態とのいずれの状態であるかを監視する監視手段とが接続され、前記監視手段と外部情報端末とが通信する遊技機管理システムであって、前記監視手段は、前記可動部材の動作により前記遊技機が前記特別状態となっていることを検出する、前記遊技機に設置されている状態検出手段と、当該状態検出手段の検出結果に基づいて前記遊技機が前記特別状態である時間を計測する時間計測手段と、当該時間計測手段により計測された計測時間を記憶する計測時間記憶手段と、前記時間情報記憶手段に記憶されている前記計測時間の平均時間を算出する平均時間算出手段と、少なくとも前記平均時間を含む時間情報の送信を要求する要求信号を前記外部情報端末から受信する要求信号受信手段と、当該要求信号受信手段が前記要求信号を受信すると、前記時間情報を前記外部情報端末へ送信する時間情報送信手段とを備え、前記外部情報端末は、少なくとも文字、数字又は画像のうちの少なくとも１つを表示する表示手段と、前記時間情報の取得を前記監視手段へ要求する要求手段と、当該要求手段により前記時間情報の取得の要求が行われた際に、前記要求信号を前記要求信号受信手段へ送信する要求信号送信手段と、前記時間情報送信手段から送信された前記時間情報を受信する時間情報受信手段と、前記時間情報受信手段が受信した前記時間情報に含まれている前記平均時間を前記表示手段へ表示する平均時間表示制御手段とを備えている。
【００１１】
この構成の遊技機管理システムでは、監視手段の状態検出手段は、可動部材の動作により遊技機が特別状態となっていることを検出し、遊技機に設置されている。時間計測手段は、状態検出手段の検出結果に基づいて遊技機が特別状態である時間を計測し、計測時間記憶手段は、時間計測手段により計測された計測時間を記憶し、平均時間算出手段は、時間情報記憶手段に記憶されている計測時間の平均時間を算出し、要求信号受信手段は、少なくとも平均時間を含む時間情報の送信を要求する要求信号を外部情報端末から受信し、時間情報送信手段は、要求信号受信手段が要求信号を受信し、時間情報を外部情報端末へ送信する。また、外部情報端末の表示手段は、少なくとも文字、数字又は画像のうちの少なくとも１つを表示し、要求手段は、時間情報の取得を監視手段へ要求し、要求信号送信手段は、要求手段により時間情報の取得の要求が行われた際に、要求信号を要求信号受信手段へ送信し、時間情報受信手段は、時間情報送信手段から送信された時間情報を受信し、平均時間表示制御手段は、時間情報受信手段が受信した時間情報に含まれている平均時間を表示手段へ表示する。
【００１２】
また、請求項４に係る発明の遊技機管理システムでは、可動部材を設け、当該可動部材の動作により遊技球の入賞率が変化する入賞装置を備えた遊技機と、前記入賞装置への遊技球の入賞率が高い特別状態と通常の入賞率である通常状態とのいずれの状態であるかを監視する監視手段とが接続され、前記監視手段と外部情報端末とが通信する遊技機管理システムであって、前記監視手段は、前記可動部材の動作により前記遊技機が前記特別状態となっていることを検出する、前記遊技機に設置されている状態検出手段と、当該状態検出手段の検出結果に基づいて前記遊技機が前記特別状態である時間を計測する時間計測手段と、当該時間計測手段により計測された計測時間を記憶する計測時間記憶手段と、少なくとも前記計測時間を含む時間情報の送信を要求する要求信号を前記外部情報端末から受信する要求信号受信手段と、当該要求信号受信手段が前記要求信号を受信すると、前記時間情報を前記外部情報端末へ送信する時間情報送信手段とを備え、前記外部情報端末は、文字、数字又は画像のうちの少なくとも１つを表示する表示手段と、前記時間情報の取得を前記監視手段へ要求する要求手段と、当該要求手段により前記時間情報の取得の要求が行われた際に、前記要求信号を前記要求信号受信手段へ送信する要求信号送信手段と、前記時間情報送信手段から送信された前記時間情報を受信する時間情報受信手段と、前記時間情報受信手段が受信した前記時間情報に含まれている前記計測時間の平均時間を算出する平均時間算出手段と、当該平均時間算出手段により算出された前記平均時間が、予め時間の長さにより分けられた所定の複数の区分のうちのどの区分に該当するかを決定する区分決定手段と、前記区分決定手段により決定された前記区分を前記表示手段へ表示する区分表示制御手段とを備えている。
【００１３】
この構成の遊技機管理システムでは、監視手段の状態検出手段は、可動部材の動作により遊技機が特別状態となっていることを検出し、遊技機に設置されている。時間計測手段は、状態検出手段の検出結果に基づいて遊技機が特別状態である時間を計測し、計測時間記憶手段は、時間計測手段により計測された計測時間を記憶し、要求信号受信手段は、少なくとも計測時間を含む時間情報の送信を要求する要求信号を外部情報端末から受信し、時間情報送信手段は、要求信号受信手段が要求信号を受信し、時間情報を外部情報端末へ送信する。また、外部情報端末の表示手段は、文字、数字又は画像のうちの少なくとも１つを表示し、要求手段は、時間情報の取得を監視手段へ要求し、要求信号送信手段は、要求手段により時間情報の取得の要求が行われた際に、要求信号を要求信号受信手段へ送信し、時間情報受信手段は、時間情報送信手段から送信された時間情報を受信し、平均時間算出手段は、時間情報受信手段が受信した時間情報に含まれている計測時間の平均時間を算出し、区分決定手段は、平均時間算出手段により算出された平均時間が、予め時間の長さにより分けられた所定の複数の区分のうちのどの区分に該当するかを決定し、区分表示制御手段は、区分決定手段により決定された区分を表示手段へ表示する。
【００１４】
また、請求項５に係る発明の遊技機管理システムでは、可動部材を設け、当該可動部材の動作により遊技球の入賞率が変化する入賞装置を備えた遊技機と、前記入賞装置への遊技球の入賞率が高い特別状態と通常の入賞率である通常状態とのいずれの状態であるかを監視する監視手段とが接続され、前記監視手段と外部情報端末とが通信する遊技機管理システムであって、前記監視手段は、前記可動部材の動作により前記遊技機が前記特別状態となっていることを検出する、前記遊技機に設置されている状態検出手段と、当該状態検出手段の検出結果に基づいて前記遊技機が前記特別状態である時間を計測する時間計測手段と、当該時間計測手段により計測された計測時間を記憶する計測時間記憶手段と、前記時間情報記憶手段に記憶されている前記計測時間の平均時間を算出する平均時間算出手段と、少なくとも前記平均時間を含む時間情報の送信を要求する要求信号を前記外部情報端末から受信する要求信号受信手段と、当該要求信号受信手段が前記要求信号を受信すると、前記時間情報を前記外部情報端末へ送信する時間情報送信手段とを備え、前記外部情報端末は、文字、数字又は画像のうちの少なくとも１つを表示する表示手段と、前記時間情報の取得を前記監視手段へ要求する要求手段と、当該要求手段により前記時間情報の取得の要求が行われた際に、前記要求信号を前記要求信号受信手段へ送信する要求信号送信手段と、前記時間情報送信手段から送信された前記時間情報を受信する時間情報受信手段と、前記時間情報受信手段が受信した前記時間情報に含まれている前記平均時間が、予め時間の長さにより分けられた所定の複数の区分のうちのどの区分に該当するかを決定する区分決定手段と、前記区分決定手段により決定された前記区分を前記表示手段へ表示する区分表示制御手段とを備えている。
【００１５】
この構成の遊技機管理システムでは、監視手段の状態検出手段は、可動部材の動作により遊技機が特別状態となっていることを検出し、遊技機に設置されている。時間計測手段は、状態検出手段の検出結果に基づいて遊技機が特別状態である時間を計測し、計測時間記憶手段は、時間計測手段により計測された計測時間を記憶し、平均時間算出手段は、時間情報記憶手段に記憶されている計測時間の平均時間を算出し、要求信号受信手段は、少なくとも平均時間を含む時間情報の送信を要求する要求信号を外部情報端末から受信し、時間情報送信手段は、要求信号受信手段が要求信号を受信し、時間情報を外部情報端末へ送信する。また、外部情報端末の表示手段は、文字、数字又は画像のうちの少なくとも１つを表示し、要求手段は、時間情報の取得を監視手段へ要求し、要求信号送信手段は、要求手段により時間情報の取得の要求が行われた際に、要求信号を要求信号受信手段へ送信し、時間情報受信手段は、時間情報送信手段から送信された時間情報を受信し、区分決定手段は、時間情報受信手段が受信した時間情報に含まれている平均時間が、予め時間の長さにより分けられた所定の複数の区分のうちのどの区分に該当するかを決定し、区分表示制御手段は、区分決定手段により決定された区分を表示手段へ表示する。
【００１６】
また、請求項６に係る発明の遊技機管理システムでは、可動部材を設け、当該可動部材の動作により遊技球の入賞率が変化する入賞装置を備えた遊技機と、前記入賞装置への遊技球の入賞率が高い特別状態と通常の入賞率である通常状態とのいずれの状態であるかを監視する監視手段とが接続され、前記監視手段と外部情報端末とが通信する遊技機管理システムであって、前記監視手段は、前記可動部材の動作により前記遊技機が前記特別状態となっていることを検出する、前記遊技機に設置されている状態検出手段と、当該状態検出手段の検出結果に基づいて前記遊技機が前記特別状態である時間を計測する時間計測手段と、当該時間計測手段により計測された計測時間を記憶する計測時間記憶手段と、前記時間情報記憶手段に記憶されている前記計測時間の平均時間を算出する平均時間算出手段と、当該平均時間算出手段により算出された前記平均時間が、予め時間の長さにより分けられた所定の複数の区分のうちのどの区分に該当するかを決定する区分決定手段と、少なくとも前記区分を含む時間情報の送信を要求する要求信号を前記外部情報端末から受信する要求信号受信手段と、当該要求信号受信手段が前記要求信号を受信すると、前記時間情報を前記外部情報端末へ送信する時間情報送信手段とを備え、前記外部情報端末は、文字、数字又は画像のうちの少なくとも１つを表示する表示手段と、前記時間情報の取得を前記監視手段へ要求する要求手段と、当該要求手段により前記時間情報の取得の要求が行われた際に、前記要求信号を前記要求信号受信手段へ送信する要求信号送信手段と、前記時間情報送信手段から送信された前記時間情報を受信する時間情報受信手段と、前記時間情報受信手段が受信した前記時間情報に含まれている前記区分を前記表示手段へ表示する区分表示制御手段とを備えている。
【００１７】
この構成の遊技機管理システムでは、監視手段の状態検出手段は、可動部材の動作により遊技機が特別状態となっていることを検出し、遊技機に設置されている。時間計測手段は、状態検出手段の検出結果に基づいて遊技機が特別状態である時間を計測し、計測時間記憶手段は、時間計測手段により計測された計測時間を記憶し、平均時間算出手段は、時間情報記憶手段に記憶されている計測時間の平均時間を算出し、区分決定手段は、平均時間算出手段により算出された平均時間が、予め時間の長さにより分けられた所定の複数の区分のうちのどの区分に該当するかを決定し、要求信号受信手段は、少なくとも区分を含む時間情報の送信を要求する要求信号を外部情報端末から受信し、時間情報送信手段は、要求信号受信手段が要求信号を受信し、時間情報を外部情報端末へ送信する。また、外部情報端末の表示手段は、文字、数字又は画像のうちの少なくとも１つを表示し、要求手段は、時間情報の取得を監視手段へ要求し、要求信号送信手段は、要求手段により時間情報の取得の要求が行われた際に、要求信号を要求信号受信手段へ送信し、時間情報受信手段は、時間情報送信手段から送信された時間情報を受信し、区分表示制御手段は、時間情報受信手段が受信した時間情報に含まれている区分を表示手段へ表示する。
【００１８】
また、請求項７に係る発明の遊技機管理システムでは、可動部材を設け、当該可動部材の動作により遊技球の入賞率が変化する入賞装置と、当該入賞装置への遊技球の入賞に作用する障害部材とを備えた遊技機と、前記入賞装置への遊技球の入賞率が高い特別状態と通常の入賞率である通常状態とのいずれの状態であるかを監視する監視手段とが接続され、前記監視手段と外部情報端末とが通信する遊技機管理システムであって、前記監視手段は、前記可動部材の動作により前記遊技機が前記特別状態となっていることを検出する、前記遊技機に設置されている状態検出手段と、当該状態検出手段の検出結果に基づいて前記遊技機が前記特別状態である時間を計測する時間計測手段と、当該時間計測手段により計測された計測時間を記憶する計測時間記憶手段と、少なくとも前記計測時間を含む時間情報の送信を要求する要求信号を前記外部情報端末から受信する要求信号受信手段と、当該要求信号受信手段が前記要求信号を受信すると、前記時間情報を前記外部情報端末へ送信する時間情報送信手段とを備え、前記外部情報端末は、文字、数字又は画像のうちの少なくとも１つを表示する表示手段と、前記時間情報の取得を前記監視手段へ要求する要求手段と、当該要求手段により前記時間情報の取得の要求が行われた際に、前記要求信号を前記要求信号受信手段へ送信する要求信号送信手段と、前記時間情報送信手段から送信された前記時間情報を受信する時間情報受信手段と、前記時間情報受信手段が受信した前記時間情報に含まれている前記計測時間の平均時間を算出する平均時間算出手段と、当該平均時間算出手段により算出された前記平均時間が、予め時間の長さにより分けられた所定の複数の区分のうちのどの区分に該当するかを決定する区分決定手段と、前記区分毎に、前記障害部材の調整具合を示す文言又は図柄を記憶している表示情報記憶手段と、前記区分決定手段により決定された前記区分に対応して、前記表示情報記憶手段に記憶されている文言又は図柄を選択する選択手段と、当該選択手段により決定された前記文言又は図柄を前記表示手段へ表示する表示制御手段とを備えている。
【００１９】
この構成の遊技機管理システムでは、監視手段の状態検出手段は、可動部材の動作により遊技機が特別状態となっていることを検出し、遊技機に設置されている。時間計測手段は、状態検出手段の検出結果に基づいて遊技機が特別状態である時間を計測し、計測時間記憶手段は、時間計測手段により計測された計測時間を記憶し、要求信号受信手段は、少なくとも計測時間を含む時間情報の送信を要求する要求信号を外部情報端末から受信し、時間情報送信手段は、要求信号受信手段が要求信号を受信し、時間情報を外部情報端末へ送信する。また、外部情報端末の表示手段は、文字、数字又は画像のうちの少なくとも１つを表示し、要求手段は、時間情報の取得を監視手段へ要求し、要求信号送信手段は、要求手段により時間情報の取得の要求が行われた際に、要求信号を要求信号受信手段へ送信し、時間情報受信手段は、時間情報送信手段から送信された時間情報を受信し、平均時間算出手段は、時間情報受信手段が受信した時間情報に含まれている計測時間の平均時間を算出し、区分決定手段は、平均時間算出手段により算出された平均時間が、予め時間の長さにより分けられた所定の複数の区分のうちのどの区分に該当するかを決定し、表示情報記憶手段は、区分毎に障害部材の調整具合を示す文言又は図柄を記憶し、選択手段は、区分決定手段により決定された区分に対応して、表示情報記憶手段に記憶されている文言又は図柄を選択し、表示制御手段は、選択手段により決定された文言又は図柄を表示手段へ表示する。
【００２０】
また、請求項８に係る発明の遊技機管理システムでは、可動部材を設け、当該可動部材の動作により遊技球の入賞率が変化する入賞装置と、当該入賞装置への遊技球の入賞に作用する障害部材とを備えた遊技機と、前記入賞装置への遊技球の入賞率が高い特別状態と通常の入賞率である通常状態とのいずれの状態であるかを監視する監視手段とが接続され、前記監視手段と外部情報端末とが通信する遊技機管理システムであって、前記監視手段は、前記可動部材の動作により前記遊技機が前記特別状態となっていることを検出する、前記遊技機に設置されている状態検出手段と、当該状態検出手段の検出結果に基づいて前記遊技機が前記特別状態である時間を計測する時間計測手段と、当該時間計測手段により計測された計測時間を記憶する計測時間記憶手段と、前記時間情報記憶手段に記憶されている前記計測時間の平均時間を算出する平均時間算出手段と、少なくとも前記平均時間を含む時間情報の送信を要求する要求信号を前記外部情報端末から受信する要求信号受信手段と、当該要求信号受信手段が前記要求信号を受信すると、前記時間情報を前記外部情報端末へ送信する時間情報送信手段とを備え、前記外部情報端末は、文字、数字又は画像のうちの少なくとも１つを表示する表示手段と、前記時間情報の取得を前記監視手段へ要求する要求手段と、当該要求手段により前記時間情報の取得の要求が行われた際に、前記要求信号を前記要求信号受信手段へ送信する要求信号送信手段と、前記時間情報送信手段から送信された前記時間情報を受信する時間情報受信手段と、前記時間情報受信手段が受信した前記時間情報に含まれている前記平均時間が、予め時間の長さにより分けられた所定の複数の区分のうちのどの区分に該当するかを決定する区分決定手段と、前記区分毎に、前記障害部材の調整具合を示す文言又は図柄を記憶している表示情報記憶手段と、前記区分決定手段により決定された前記区分に対応して、前記表示情報記憶手段に記憶されている文言又は図柄を選択する選択手段と、当該選択手段により決定された前記文言又は図柄を前記表示手段へ表示する表示制御手段を備えている。
【００２１】
この構成の遊技機管理システムでは、監視手段の状態検出手段は、可動部材の動作により遊技機が特別状態となっていることを検出し、遊技機に設置されている。時間計測手段は、状態検出手段の検出結果に基づいて遊技機が特別状態である時間を計測し、計測時間記憶手段は、時間計測手段により計測された計測時間を記憶し、平均時間算出手段は、時間情報記憶手段に記憶されている計測時間の平均時間を算出し、要求信号受信手段は、少なくとも平均時間を含む時間情報の送信を要求する要求信号を外部情報端末から受信し、時間情報送信手段は、要求信号受信手段が要求信号を受信し、時間情報を外部情報端末へ送信する。また、外部情報端末の表示手段は、文字、数字又は画像のうちの少なくとも１つを表示し、要求手段は、時間情報の取得を監視手段へ要求し、要求信号送信手段は、要求手段により時間情報の取得の要求が行われた際に、要求信号を要求信号受信手段へ送信し、時間情報受信手段は、時間情報送信手段から送信された時間情報を受信し、区分決定手段は、時間情報受信手段が受信した時間情報に含まれている平均時間が、予め時間の長さにより分けられた所定の複数の区分のうちのどの区分に該当するかを決定し、表示情報記憶手段は、区分毎に障害部材の調整具合を示す文言又は図柄を記憶し、選択手段は、区分決定手段により決定された区分に対応して、表示情報記憶手段に記憶されている文言又は図柄を選択し、表示制御手段は、選択手段により決定された文言又は図柄を表示手段へ表示する。
【００２２】
また、請求項９に係る発明の遊技機管理システムでは、可動部材を設け、当該可動部材の動作により遊技球の入賞率が変化する入賞装置と、当該入賞装置への遊技球の入賞に作用する障害部材とを備えた遊技機と、前記入賞装置への遊技球の入賞率が高い特別状態と通常の入賞率である通常状態とのいずれの状態であるかを監視する監視手段とが接続され、前記監視手段と外部情報端末とが通信する遊技機管理システムであって、前記監視手段は、前記可動部材の動作により前記遊技機が前記特別状態となっていることを検出する、前記遊技機に設置されている状態検出手段と、当該状態検出手段の検出結果に基づいて前記遊技機が前記特別状態である時間を計測する時間計測手段と、当該時間計測手段により計測された計測時間を記憶する計測時間記憶手段と、前記時間情報記憶手段に記憶されている前記計測時間の平均時間を算出する平均時間算出手段と、当該平均時間算出手段により算出された前記平均時間が、予め時間の長さにより分けられた所定の複数の区分のうちのどの区分に該当するかを決定する区分決定手段と、少なくとも前記区分を含む時間情報の送信を要求する要求信号を前記外部情報端末から受信する要求信号受信手段と、当該要求信号受信手段が前記要求信号を受信すると、前記時間情報を前記外部情報端末へ送信する時間情報送信手段とを備え、前記外部情報端末は、文字、数字又は画像のうちの少なくとも１つを表示する表示手段と、前記時間情報の取得を前記監視手段へ要求する要求手段と、当該要求手段により前記時間情報の取得の要求が行われた際に、前記要求信号を前記要求信号受信手段へ送信する要求信号送信手段と、前記時間情報送信手段から送信された前記時間情報を受信する時間情報受信手段と、前記区分毎に、前記障害部材の調整具合を示す文言又は図柄を記憶している表示情報記憶手段と、前記時間情報受信手段が受信した前記時間情報に含まれている前記区分に対応して、前記表示情報記憶手段に記憶されている文言又は図柄を選択する選択手段と、当該選択手段により決定された前記文言又は図柄を前記表示手段へ表示する表示制御手段とを備えている。
【００２３】
この構成の遊技機管理システムでは、監視手段の状態検出手段は、可動部材の動作により遊技機が特別状態となっていることを検出し、遊技機に設置されている。時間計測手段は、状態検出手段の検出結果に基づいて遊技機が特別状態である時間を計測し、計測時間記憶手段は、時間計測手段により計測された計測時間を記憶し、平均時間算出手段は、時間情報記憶手段に記憶されている計測時間の平均時間を算出し、区分決定手段は、平均時間算出手段により算出された平均時間が、予め時間の長さにより分けられた所定の複数の区分のうちのどの区分に該当するかを決定し、要求信号受信手段は、少なくとも区分を含む時間情報の送信を要求する要求信号を外部情報端末から受信し、時間情報送信手段は、要求信号受信手段が要求信号を受信し、時間情報を外部情報端末へ送信する。また、外部情報端末の表示手段は、文字、数字又は画像のうちの少なくとも１つを表示し、要求手段は、時間情報の取得を監視手段へ要求し、要求信号送信手段は、要求手段により時間情報の取得の要求が行われた際に、要求信号を要求信号受信手段へ送信し、時間情報受信手段は、時間情報送信手段から送信された時間情報を受信し、表示情報記憶手段は、区分毎に障害部材の調整具合を示す文言又は図柄を記憶し、選択手段は、時間情報受信手段が受信した時間情報に含まれている区分に対応して、表示情報記憶手段に記憶されている文言又は図柄を選択し、表示制御手段は、選択手段により決定された文言又は図柄を表示手段へ表示する。
【００２４】
また、請求項１０に係る発明の遊技機管理システムでは、可動部材を設け、当該可動部材の動作により遊技球の入賞率が変化する入賞装置と、当該入賞装置への遊技球の入賞に作用する障害部材とを備えた遊技機と、前記入賞装置への遊技球の入賞率が高い特別状態と通常の入賞率である通常状態とのいずれの状態であるかを監視する監視手段とが接続され、前記監視手段と外部情報端末とが通信する遊技機管理システムであって、前記監視手段は、前記可動部材の動作により前記遊技機が前記特別状態となっていることを検出する、前記遊技機に設置されている状態検出手段と、当該状態検出手段の検出結果に基づいて前記遊技機が前記特別状態である時間を計測する時間計測手段と、当該時間計測手段により計測された計測時間を記憶する計測時間記憶手段と、前記時間情報記憶手段に記憶されている前記計測時間の平均時間を算出する平均時間算出手段と、当該平均時間算出手段により算出された前記平均時間が、予め時間の長さにより分けられた所定の複数の区分のうちのどの区分に該当するかを決定する区分決定手段と、前記区分毎に、前記障害部材の調整具合を示す文言又は図柄を記憶している表示情報記憶手段と、前記区分決定手段により決定された前記区分に対応して、前記表示情報記憶手段に記憶されている文言又は図柄を選択する選択手段と、当該選択手段により決定された前記文言又は図柄を少なくとも含む時間情報の送信を要求する要求信号を前記外部情報端末から受信する要求信号受信手段と、当該要求信号受信手段が前記要求信号を受信すると、前記時間情報を前記外部情報端末へ送信する時間情報送信手段とを備え、前記外部情報端末は、文字、数字又は画像のうちの少なくとも１つを表示する表示手段と、前記時間情報の取得を前記監視手段へ要求する要求手段と、当該要求手段により前記時間情報の取得の要求が行われた際に、前記要求信号を前記要求信号受信手段へ送信する要求信号送信手段と、前記時間情報送信手段から送信された前記時間情報を受信する時間情報受信手段と、前記時間情報受信手段が受信した前記時間情報に含まれている前記文言又は図柄を前記表示手段へ表示する表示制御手段とを備えている。
【００２５】
この構成の遊技機管理システムでは、監視手段の状態検出手段は、可動部材の動作により遊技機が特別状態となっていることを検出し、遊技機に設置されている。時間計測手段は、状態検出手段の検出結果に基づいて遊技機が特別状態である時間を計測し、計測時間記憶手段は、時間計測手段により計測された計測時間を記憶し、平均時間算出手段は、時間情報記憶手段に記憶されている計測時間の平均時間を算出し、区分決定手段は、平均時間算出手段により算出された平均時間が、予め時間の長さにより分けられた所定の複数の区分のうちのどの区分に該当するかを決定し、表示情報記憶手段は、区分毎に障害部材の調整具合を示す文言又は図柄を記憶し、選択手段は、区分決定手段により決定された区分に対応して、表示情報記憶手段に記憶されている文言又は図柄を選択し、要求信号受信手段は、選択手段により決定された文言又は図柄を少なくとも含む時間情報の送信を要求する要求信号を外部情報端末から受信し、時間情報送信手段は、要求信号受信手段が要求信号を受信し、時間情報を外部情報端末へ送信する。また、外部情報端末の表示手段は、文字、数字又は画像のうちの少なくとも１つを表示し、要求手段は、時間情報の取得を監視手段へ要求し、要求信号送信手段は、要求手段により時間情報の取得の要求が行われた際に、要求信号を要求信号受信手段へ送信し、時間情報受信手段は、時間情報送信手段から送信された時間情報を受信し、表示制御手段は、時間情報受信手段が受信した時間情報に含まれている文言又は図柄を表示手段へ表示する。
【００２６】
また、請求項１１に係る発明の遊技機管理システムでは、請求項１乃至１０のいずれかに記載の発明の構成に加えて、前記監視手段は、前記遊技機に備えられていることを特徴とする構成となっている。
【００２７】
この構成の遊技機管理システムでは、請求項１乃至１０のいずれかに記載の発明の作用に加えて、監視手段は遊技機に備えられている。
【００２８】
また、請求項１２に係る発明の遊技機管理システムでは、請求項１乃至１１のいずれかに記載の発明の構成に加えて、前記可動部材には監視用ＩＣタグが設けられ、前記監視手段は、前記通常状態においてのみ前記監視用ＩＣタグと非接触で通信可能な位置に備えられ前記状態検出手段であるアンテナと、当該アンテナを介して前記監視用ＩＣタグと通信を行う通信手段と、当該通信手段による通信の結果が正常であるか否かを判断する通信結果判断手段と、前記通信結果判断手段により正常でないと判断された場合に前記特別状態であると判断する状態判断手段とを備えたことを特徴とする構成となっている。
【００２９】
この構成の遊技機管理システムでは、請求項１乃至１１のいずれかに記載の発明の作用に加えて、監視手段の状態検出手段であるアンテナは、通常状態においてのみ監視用ＩＣタグと非接触で通信可能であり、通信手段は、アンテナを介して監視用ＩＣタグと通信を行い、通信結果判断手段は、通信手段による通信の結果が正常であるか否かを判断し、状態判断手段は、通信結果判断手段により正常でないと判断された場合に特別状態であると判断する。
【００３０】
また、請求項１３に係る発明の遊技機管理システムでは、請求項１乃至１２のいずれかに記載の発明の構成に加えて、前記遊技機は、前記遊技盤に設けられ、遊技球が入賞する始動入賞口と、前記始動入賞口への遊技球の入賞を契機に乱数の取得を行う乱数取得手段と、前記乱数取得手段が取得した乱数に基づいて、遊技者が多数の遊技球を取得可能な大当たり状態とするか否かの判定を行う大当たり判定手段と、前記遊技盤に設けられ、開閉可能な開閉部材を備え、前記大当たり判定手段の判定結果により大当たり状態となった場合に、前記開閉部材が開かれて遊技球が入賞可能となる大入賞口とを備え、前記可動部材は前記開閉部材であり、前記入賞装置は前記大入賞口であり、前記特別状態は前記開閉部材が開かれている状態であることを特徴とする構成となっている。
【００３１】
この構成の遊技機管理システムでは、請求項１乃至１２のいずれかに記載の発明の作用に加えて、遊技機の始動入賞口は遊技盤に設けられ、遊技球が入賞し、乱数取得手段は、始動入賞口への遊技球の入賞を契機に乱数の取得を行い、大当たり判定手段は、乱数取得手段が取得した乱数に基づいて、遊技者が多数の遊技球を取得可能な大当たり状態とするか否かの判定を行い、大入賞口は遊技盤に設けられ、開閉可能な開閉部材を備え、大当たり判定手段の判定結果により大当たり状態となった場合に、開閉部材が開かれて遊技球が入賞可能となる。そして、可動部材は開閉部材であり、入賞装置は大入賞口であり、特別状態は開閉部材が開かれている状態である。
【００３２】
また、請求項１４に係る発明の遊技機管理システムでは、請求項１３に記載の発明の構成に加えて、前記時間計測手段は、大当たり遊技状態である場合にのみ時間を計測することを特徴とする構成となっている。
【００３３】
この構成の遊技機管理システムでは、請求項１３に記載の発明の作用に加えて、時間計測手段は、大当たり遊技状態である場合にのみに時間を計測する。
【００３４】
また、請求項１５に係る発明の遊技機管理システムでは、請求項１３に記載の発明の構成に加えて、前記平均時間算出手段は、大当たり遊技状態である場合に前記時間計測手段で計測された計測時間のみの平均時間を算出することを特徴とする構成となっている。
【００３５】
この構成の遊技機管理システムでは、請求項１３に記載の発明の作用に加えて、平均時間算出手段は、大当たり遊技状態である場合に時間計測手段で計測された計測時間のみから平均時間を算出する。
【００３６】
また、請求項１６に係る発明の遊技機管理システムでは、請求項１乃至１５のいずれかに記載の発明の構成に加えて、前記外部情報端末は、携帯可能な携帯情報端末であることを特徴とする構成となっている。
【００３７】
この構成の遊技機管理システムでは、請求項１乃至１５のいずれかに記載の発明の作用に加えて、外部情報端末は携帯可能な携帯情報端末が用いられる。
【００３８】
また、請求項１７に係る発明の遊技機管理システムでは、請求項１６に記載の発明の構成に加えて、前記監視手段は通信用ＩＣタグを備え、前記携帯情報端末は、前記通信用ＩＣタグと通信を行い、前記時間情報送信手段及び前記時間情報要求信号受信手段は、前記通信用ＩＣタグに備えられていることを特徴とする構成となっている。
【００３９】
この構成の遊技機管理システムでは、請求項１６に記載の発明の作用に加えて、携帯情報端末は通信用ＩＣタグと通信を行い、通信用ＩＣタグが時間情報送信手段及び時間情報要求信号受信手段を備えている。
【００４０】
また、請求項１８に係る発明の外部情報端末では、可動部材を設け、当該可動部材の動作により遊技球の入賞率が変化する入賞装置を備えた遊技機に接続し、前記入賞装置への遊技球の入賞率が高い特別状態と通常の入賞率である通常状態とのいずれの状態であるかを監視し、前記特別状態である時間を計測する監視手段と通信する外部情報端末であって、文字、数字又は画像のうちの少なくとも１つを表示する表示手段と、前記特別状態となっている時間を計測した計測時間を少なくとも含む時間情報の取得を前記監視手段へ要求する要求手段と、当該要求手段により、前記時間情報の取得の要求が行われた際に、前記時間情報の送信を要求する要求信号を前記監視手段へ送信する要求信号送信手段と、前記監視手段から送信された前記時間情報を受信する時間情報受信手段と、前記時間情報受信手段が受信した前記時間情報に含まれている前記計測時間を前記表示手段へ表示する計測時間表示制御手段とを備えている。
【００４１】
この構成の外部情報端末では、表示手段は、文字、数字又は画像のうちの少なくとも１つを表示し、要求手段は、特別状態となっている時間を計測した計測時間を少なくとも含む時間情報の取得を監視手段へ要求し、要求信号送信手段は、要求手段により時間情報の取得の要求が行われた際に、時間情報の送信を要求する要求信号を監視手段へ送信し、時間情報受信手段は、監視手段から送信された時間情報を受信し、計測時間表示制御手段は、時間情報受信手段が受信した時間情報に含まれている計測時間を表示手段へ表示する。
【００４２】
また、請求項１９に係る発明の外部情報端末では、可動部材を設け、当該可動部材の動作により遊技球の入賞率が変化する入賞装置を備えた遊技機に接続し、前記入賞装置への遊技球の入賞率が高い特別状態と通常の入賞率である通常状態とのいずれの状態であるかを監視し、前記特別状態である時間を計測する監視手段と通信する外部情報端末であって、文字、数字又は画像のうちの少なくとも１つを表示する表示手段と、前記特別状態となっている時間を計測した計測時間を少なくとも含む時間情報の取得を前記監視手段へ要求する要求手段と、当該要求手段により、前記時間情報の取得の要求が行われた際に、前記時間情報の送信を要求する要求信号を前記監視手段へ送信する要求信号送信手段と、前記監視手段から送信された前記時間情報を受信する時間情報受信手段と、前記時間情報受信手段が受信した前記時間情報に含まれている前記計測時間の平均時間を算出する平均時間算出手段と、前記平均時間算出手段が算出した前記平均時間を前記表示手段へ表示する平均情報表示制御手段とを備えている。
【００４３】
この構成の外部情報端末では、表示手段は、文字、数字又は画像のうちの少なくとも１つを表示し、要求手段は、特別状態となっている時間を計測した計測時間を少なくとも含む時間情報の取得を監視手段へ要求し、要求信号送信手段は、要求手段により時間情報の取得の要求が行われた際に、時間情報の送信を要求する要求信号を監視手段へ送信し、時間情報受信手段は、監視手段から送信された時間情報を受信し、平均時間算出手段は、時間情報受信手段が受信した時間情報に含まれている計測時間の平均時間を算出し、平均情報表示制御手段は、平均時間算出手段が算出した平均時間を表示手段へ表示する。
【００４４】
また、請求項２０に係る発明の外部情報端末では、可動部材を設け、当該可動部材の動作により遊技球の入賞率が変化する入賞装置を備えた遊技機に接続し、前記入賞装置への遊技球の入賞率が高い特別状態と通常の入賞率である通常状態とのいずれの状態であるかを監視し、前記特別状態である時間を計測して、その平均時間を算出する監視手段と通信する外部情報端末であって、文字、数字又は画像のうちの少なくとも１つを表示する表示手段と、少なくとも前記平均時間を含む時間情報の取得を前記監視手段へ要求する要求手段と、当該要求手段により、前記時間情報の取得の要求が行われた際に、前記時間情報の送信を要求する要求信号を前記監視手段へ送信する要求信号送信手段と、前記監視手段から送信された前記時間情報を受信する時間情報受信手段と、前記時間情報受信手段が受信した前記時間情報に含まれている前記平均時間を前記表示手段へ表示する平均時間表示制御手段とを備えている。
【００４５】
この構成の外部情報端末では、表示手段は、文字、数字又は画像のうちの少なくとも１つを表示し、要求手段は、少なくとも平均時間を含む時間情報の取得を監視手段へ要求し、要求信号送信手段は、要求手段により時間情報の取得の要求が行われた際に、時間情報の送信を要求する要求信号を監視手段へ送信し、時間情報受信手段は、監視手段から送信された時間情報を受信し、平均時間表示制御手段は、時間情報受信手段が受信した時間情報に含まれている平均時間を表示手段へ表示する。
【００４６】
また、請求項２１に係る発明の外部情報端末では、可動部材を設け、当該可動部材の動作により遊技球の入賞率が変化する入賞装置を備えた遊技機に接続し、前記入賞装置への遊技球の入賞率が高い特別状態と通常の入賞率である通常状態とのいずれの状態であるかを監視し、前記特別状態である時間を計測する監視手段と通信する外部情報端末であって、文字、数字又は画像のうちの少なくとも１つを表示する表示手段と、前記特別状態となっている時間を計測した計測時間を少なくとも含む時間情報の取得を前記監視手段へ要求する要求手段と、当該要求手段により、前記時間情報の取得の要求が行われた際に、前記時間情報の送信を要求する要求信号を前記監視手段へ送信する要求信号送信手段と、前記監視手段から送信された前記時間情報を受信する時間情報受信手段と、当該時間情報受信手段が受信した前記時間情報に含まれている前記計測時間の平均時間を算出する平均時間算出手段と、当該平均時間算出手段により算出された前記平均時間が、予め時間の長さにより分けられた所定の複数の区分のうちのどの区分に該当するかを決定する区分決定手段と、前記区分決定手段により決定された前記区分を前記表示手段へ表示する区分表示制御手段とを備えている。
【００４７】
この構成の外部情報端末では、表示手段は、文字、数字又は画像のうちの少なくとも１つを表示し、要求手段は、特別状態となっている時間を計測した計測時間を少なくとも含む時間情報の取得を監視手段へ要求し、要求信号送信手段は、要求手段により時間情報の取得の要求が行われた際に、時間情報の送信を要求する要求信号を監視手段へ送信し、監視手段から送信された時間情報を受信する時間情報受信手段と、平均時間算出手段は、時間情報受信手段が受信した時間情報に含まれている計測時間の平均時間を算出し、区分決定手段は、平均時間算出手段により算出された平均時間が、予め時間の長さにより分けられた所定の複数の区分のうちのどの区分に該当するかを決定し、区分表示制御手段は、区分決定手段により決定された区分を表示手段へ表示する。
【００４８】
また、請求項２２に係る発明の外部情報端末では、可動部材を設け、当該可動部材の動作により遊技球の入賞率が変化する入賞装置を備えた遊技機に接続し、前記入賞装置への遊技球の入賞率が高い特別状態と通常の入賞率である通常状態とのいずれの状態であるかを監視し、前記特別状態である時間を計測して、その平均時間を算出する監視手段と通信する外部情報端末であって、文字、数字又は画像のうちの少なくとも１つを表示する表示手段と、少なくとも前記平均時間を含む時間情報の取得を前記監視手段へ要求する要求手段と、当該要求手段により、前記時間情報の取得の要求が行われた際に、前記時間情報の送信を要求する要求信号を前記監視手段へ送信する要求信号送信手段と、前記監視手段から送信された前記時間情報を受信する時間情報受信手段と、当該時間情報受信手段が受信した前記時間情報に含まれている前記平均時間が、予め時間の長さにより分けられた所定の複数の区分のうちのどの区分に該当するかを決定する区分決定手段と、前記区分決定手段により決定された前記区分を前記表示手段へ表示する区分表示制御手段とを備えている。
【００４９】
この構成の外部情報端末では、表示手段は、文字、数字又は画像のうちの少なくとも１つを表示し、要求手段は、少なくとも平均時間を含む時間情報の取得を監視手段へ要求し、要求信号送信手段は、要求手段により時間情報の取得の要求が行われた際に、時間情報の送信を要求する要求信号を監視手段へ送信し、時間情報受信手段は、監視手段から送信された時間情報を受信し、区分決定手段は、時間情報受信手段が受信した時間情報に含まれている平均時間が、予め時間の長さにより分けられた所定の複数の区分のうちのどの区分に該当するかを決定し、区分表示制御手段は、区分決定手段により決定された区分を表示手段へ表示する。
【００５０】
また、請求項２３に係る発明の外部情報端末では、可動部材を設け、当該可動部材の動作により遊技球の入賞率が変化する入賞装置を備えた遊技機に接続し、前記入賞装置への遊技球の入賞率が高い特別状態と通常の入賞率である通常状態とのいずれの状態であるかを監視し、前記特別状態である時間を計測して、その平均時間を算出し、当該平均時間が、予め時間の長さにより分けられた複数の区分のどの区分に該当するかを決定する監視手段と通信する外部情報端末であって、文字、数字又は画像のうちの少なくとも１つを表示する表示手段と、少なくとも前記区分を含む時間情報の取得を前記監視手段へ要求する要求手段と、当該要求手段により、前記時間情報の取得の要求が行われた際に、前記時間情報の送信を要求する要求信号を前記監視手段へ送信する要求信号送信手段と、前記監視手段から送信された前記時間情報を受信する時間情報受信手段と、当該時間情報受信手段が受信した前記時間情報に含まれている前記区分を前記表示手段へ表示する区分表示制御手段とを備えている。
【００５１】
この構成の外部情報端末では、表示手段は、文字、数字又は画像のうちの少なくとも１つを表示し、要求手段は、少なくとも区分を含む時間情報の取得を監視手段へ要求し、要求信号送信手段は、要求手段により時間情報の取得の要求が行われた際に、時間情報の送信を要求する要求信号を監視手段へ送信し、時間情報受信手段は、監視手段から送信された時間情報を受信し、区分表示制御手段は、時間情報受信手段が受信した時間情報に含まれている区分を表示手段へ表示する。
【００５２】
また、請求項２４に係る発明の外部情報端末では、可動部材を設け、当該可動部材の動作により遊技球の入賞率が変化する入賞装置と、当該入賞装置への遊技球の入賞に作用する障害部材とを備えた遊技機に接続し、前記入賞装置への遊技球の入賞率が高い特別状態と通常の入賞率である通常状態とのいずれの状態であるかを監視し、前記特別状態である時間を計測する監視手段と通信する外部情報端末であって、文字、数字又は画像のうちの少なくとも１つを表示する表示手段と、前記特別状態となっている時間を計測した計測時間を少なくとも含む時間情報の取得を前記監視手段へ要求する要求手段と、当該要求手段により、前記時間情報の取得の要求が行われた際に、前記時間情報の送信を要求する要求信号を前記監視手段へ送信する要求信号送信手段と、前記監視手段から送信された前記時間情報を受信する時間情報受信手段と、当該時間情報受信手段が受信した前記時間情報に含まれている前記計測時間の平均時間を算出する平均時間算出手段と、当該平均時間算出手段により算出された前記平均時間が、予め時間の長さにより分けられた所定の複数の区分のうちのどの区分に該当するかを決定する区分決定手段と、前記区分毎に、前記障害部材の調整具合を示す文言又は図柄を記憶している表示情報記憶手段と、前記区分決定手段により決定された前記区分に対応して、前記表示情報記憶手段に記憶されている文言又は図柄を選択する選択手段と、当該選択手段により決定された前記文言又は図柄を前記表示手段へ表示する表示制御手段とを備えている。
【００５３】
この構成の外部情報端末では、表示手段は、文字、数字又は画像のうちの少なくとも１つを表示し、要求手段は、特別状態となっている時間を計測した計測時間を少なくとも含む時間情報の取得を監視手段へ要求し、要求信号送信手段は、要求手段により時間情報の取得の要求が行われた際に、時間情報の送信を要求する要求信号を監視手段へ送信し、時間情報受信手段は、監視手段から送信された時間情報を受信し、平均時間算出手段は、時間情報受信手段が受信した時間情報に含まれている計測時間の平均時間を算出し、区分決定手段は、平均時間算出手段により算出された平均時間が、予め時間の長さにより分けられた所定の複数の区分のうちのどの区分に該当するかを決定し、表示情報記憶手段は、区分毎に障害部材の調整具合を示す文言又は図柄を記憶し、選択手段は、区分決定手段により決定された区分に対応して、表示情報記憶手段に記憶されている文言又は図柄を選択し、表示制御手段は、選択手段により決定された文言又は図柄を表示手段へ表示する。
【００５４】
また、請求項２５に係る発明の外部情報端末では、可動部材を設け、当該可動部材の動作により遊技球の入賞率が変化する入賞装置と、当該入賞装置への遊技球の入賞に作用する障害部材とを備えた遊技機に接続し、前記入賞装置への遊技球の入賞率が高い特別状態と通常の入賞率である通常状態とのいずれの状態であるかを監視し、前記特別状態である時間を計測して、その平均時間を算出する監視手段と通信する外部情報端末であって、文字、数字又は画像のうちの少なくとも１つを表示する表示手段と、少なくとも前記平均時間を含む時間情報の取得を前記監視手段へ要求する要求手段と、当該要求手段により、前記時間情報の取得の要求が行われた際に、前記時間情報の送信を要求する要求信号を前記監視手段へ送信する要求信号送信手段と、前記監視手段から送信された前記時間情報を受信する時間情報受信手段と、当該時間情報受信手段が受信した前記時間情報に含まれている前記平均時間が、予め時間の長さにより分けられた所定の複数の区分のうちのどの区分に該当するかを決定する区分決定手段と、前記区分毎に、前記障害部材の調整具合を示す文言又は図柄を記憶している表示情報記憶手段と、前記区分決定手段により決定された前記区分に対応して、前記表示情報記憶手段に記憶されている文言又は図柄を選択する選択手段と、当該選択手段により決定された前記文言又は図柄を前記表示手段へ表示する表示制御手段を備えている。
【００５５】
この構成の外部情報端末では、表示手段は、文字、数字又は画像のうちの少なくとも１つを表示し、要求手段は、少なくとも平均時間を含む時間情報の取得を監視手段へ要求し、要求信号送信手段は、要求手段により時間情報の取得の要求が行われた際に、時間情報の送信を要求する要求信号を監視手段へ送信し、時間情報受信手段は、監視手段から送信された時間情報を受信し、区分決定手段は、時間情報受信手段が受信した時間情報に含まれている平均時間が、予め時間の長さにより分けられた所定の複数の区分のうちのどの区分に該当するかを決定し、表示情報記憶手段は、区分毎に障害部材の調整具合を示す文言又は図柄を記憶し、選択手段は、区分決定手段により決定された区分に対応して、表示情報記憶手段に記憶されている文言又は図柄を選択し、表示制御手段は、選択手段により決定された文言又は図柄を表示手段へ表示する。
【００５６】
また、請求項２６に係る発明の外部情報端末では、可動部材を設け、当該可動部材の動作により遊技球の入賞率が変化する入賞装置と、当該入賞装置への遊技球の入賞に作用する障害部材とを備えた遊技機に接続し、前記入賞装置への遊技球の入賞率が高い特別状態と通常の入賞率である通常状態とのいずれの状態であるかを監視し、前記特別状態である時間を計測して、その平均時間を算出し、当該平均時間が、予め時間の長さにより分けられた複数の区分のどの区分に該当するかを決定する監視手段と通信する外部情報端末であって、文字、数字又は画像のうちの少なくとも１つを表示する表示手段と、少なくとも前記区分を含む時間情報の取得を前記監視手段へ要求する要求手段と、当該要求手段により、前記時間情報の取得の要求が行われた際に、前記時間情報の送信を要求する要求信号を前記監視手段へ送信する要求信号送信手段と、前記監視手段から送信された前記時間情報を受信する時間情報受信手段と、前記区分毎に、前記障害部材の調整具合を示す文言又は図柄を記憶している表示情報記憶手段と、前記時間情報受信手段が受信した前記時間情報に含まれている前記区分に対応して、前記表示情報記憶手段に記憶されている文言又は図柄を選択する選択手段と、当該選択手段により決定された前記文言又は図柄を前記表示手段へ表示する表示制御手段とを備えている。
【００５７】
この構成の外部情報端末では、表示手段は、文字、数字又は画像のうちの少なくとも１つを表示し、要求手段は、少なくとも区分を含む時間情報の取得を監視手段へ要求し、要求信号送信手段は、要求手段により時間情報の取得の要求が行われた際に、時間情報の送信を要求する要求信号を監視手段へ送信し、時間情報受信手段は、監視手段から送信された時間情報を受信し、表示情報記憶手段は、区分毎に障害部材の調整具合を示す文言又は図柄を記憶し、選択手段は、時間情報受信手段が受信した時間情報に含まれている区分に対応して、表示情報記憶手段に記憶されている文言又は図柄を選択し、表示制御手段は、選択手段により決定された文言又は図柄を表示手段へ表示する。
【００５８】
また、請求項２７に係る発明の外部情報端末では、可動部材を設け、当該可動部材の動作により遊技球の入賞率が変化する入賞装置と、当該入賞装置への遊技球の入賞に作用する障害部材とを備えた遊技機に接続し、前記入賞装置への遊技球の入賞率が高い特別状態と通常の入賞率である通常状態とのいずれの状態であるかを監視し、前記特別状態である時間を計測して、その平均時間を算出し、当該平均時間が、予め時間の長さにより分けられた複数の区分のどの区分に該当するかを決定し、その区分に対応して前記障害部材の調整具合を示す文言又は図柄を選択する監視手段と通信する外部情報端末であって、文字、数字又は画像のうちの少なくとも１つを表示する表示手段と、少なくとも前記文言又は図柄を含む時間情報の取得を前記監視手段へ要求する要求手段と、当該要求手段により、前記時間情報の取得の要求が行われた際に、前記時間情報の送信を要求する要求信号を前記監視手段へ送信する要求信号送信手段と、前記監視手段から送信された前記時間情報を受信する時間情報受信手段と、前記時間情報受信手段が受信した前記時間情報に含まれている前記文言又は図柄を前記表示手段へ表示する表示制御手段とを備えている。
【００５９】
この構成の外部情報端末では、表示手段は、文字、数字又は画像のうちの少なくとも１つを表示し、要求手段は、少なくとも文言又は図柄を含む時間情報の取得を監視手段へ要求し、要求信号送信手段は、要求手段により時間情報の取得の要求が行われた際に、時間情報の送信を要求する要求信号を監視手段へ送信し、時間情報受信手段は、監視手段から送信された時間情報を受信し、表示制御手段は、時間情報受信手段が受信した時間情報に含まれている文言又は図柄を表示手段へ表示する。
【００６０】
また、請求項２８に係る発明の外部情報端末では、請求項１８乃至２７のいずれかに記載の発明の構成に加えて、前記遊技機に備えられている前記監視手段と通信することを特徴とする構成となっている。
【００６１】
この構成の外部情報端末では、請求項１８乃至２７のいずれかに記載の発明の作用に加えて、遊技機に備えられている監視手段と通信する。
【００６２】
また、請求項２９に係る発明の外部情報端末では、請求項１８乃至２８のいずれかに記載の発明の構成に加えて、前記可動部材には監視用ＩＣタグが設けられており、前記通常状態においてのみ前記監視用ＩＣタグと非接触で通信可能な位置に備えられ前記状態検出手段であるアンテナと、当該アンテナを介して前記監視用ＩＣタグと通信を行う通信手段と、当該通信手段による通信の結果が正常であるか否かを判断する通信結果判断手段と、前記通信結果判断手段により正常でないと判断された場合に前記特別状態であると判断する状態判断手段とが備えられている前記監視手段と通信することを特徴とする構成となっている。
【００６３】
この構成の外部情報端末では、請求項１８乃至２８のいずれかに記載の発明の作用に加えて、監視手段の状態検出手段であるアンテナは、通常状態においてのみ監視用ＩＣタグと非接触で通信可能であり、通信手段は、アンテナを介して監視用ＩＣタグと通信を行い、通信結果判断手段は、通信手段による通信の結果が正常であるか否かを判断し、状態判断手段は、通信結果判断手段により正常でないと判断された場合に特別状態であると判断する。
【００６４】
また、請求項３０に係る発明の外部情報端末では、請求項１８乃至２９のいずれかに記載の発明の構成に加えて、前記遊技機には、前記遊技盤に設けられ、遊技球が入賞する始動入賞口と、前記始動入賞口への遊技球の入賞を契機に乱数の取得を行う乱数取得手段と、前記乱数取得手段が取得した乱数に基づいて、遊技者が多数の遊技球を取得可能な大当たり状態とするか否かの判定を行う大当たり判定手段と、前記遊技盤に設けられ、開閉可能な開閉部材を備え、前記大当たり判定手段の判定結果により大当たり状態となった場合に、前記開閉部材が開かれて遊技球が入賞可能となる大入賞口とを備えており、前記特別状態は、前記入賞装置である前記大入賞口に設けられた、前記可動部材である前記開閉部材が開かれている状態であることを特徴とする構成となっている。
【００６５】
この構成の外部情報端末では、請求項１８乃至２９のいずれかに記載の発明の作用に加えて、遊技機の始動入賞口は遊技盤に設けられ、遊技球が入賞し、乱数取得手段は、始動入賞口への遊技球の入賞を契機に乱数の取得を行い、大当たり判定手段は、乱数取得手段が取得した乱数に基づいて、遊技者が多数の遊技球を取得可能な大当たり状態とするか否かの判定を行い、大入賞口は遊技盤に設けられ、開閉可能な開閉部材を備え、大当たり判定手段の判定結果により大当たり状態となった場合に、開閉部材が開かれて遊技球が入賞可能となる。そして、可動部材は開閉部材であり、入賞装置は大入賞口であり、特別状態は開閉部材が開かれている状態である。
【００６６】
また、請求項３１に係る発明の外部情報端末では、請求項３０に記載の発明の構成に加えて、前記計測時間は、大当たり遊技状態である場合にのみに計測された時間であることを特徴とする構成となっている。
【００６７】
この構成の外部情報端末では、請求項３０に記載の発明の作用に加えて、計測時間は、大当たり遊技状態である場合にのみに計測された時間が用いられる。
【００６８】
また、請求項３２に係る発明の外部情報端末では、請求項３０に記載の発明の構成に加えて、前記平均時間は、大当たり遊技状態である場合にのみ計測された時間の平均時間であることを特徴とする構成となっている。
【００６９】
この構成の外部情報端末では、請求項３０に記載の発明の作用に加えて、平均時間は、大当たり遊技状態である場合にのみ計測された時間の平均時間が用いられる。
【００７０】
また、請求項３３に係る発明の外部情報端末では、請求項１８乃至３２のいずれかに記載の発明の構成に加えて、携帯可能な携帯情報端末であることを特徴とする構成となっている。
【００７１】
この構成の外部情報端末では、請求項１８乃至３２のいずれかに記載の発明の作用に加えて、携帯可能な携帯情報端末が用いられる。
【００７２】
また、請求項３４に係る発明の外部情報端末では、請求項３３に記載の発明の構成に加えて、前記監視手段が、前記時間情報送信手段及び前記時間情報要求信号受信手段を備えた通信用ＩＣタグを備えており、前記通信用ＩＣタグと通信を行うことを特徴とする構成となっている。
【００７３】
この構成の外部情報端末では、請求項３３に記載の発明の作用に加えて、携帯情報端末は通信用ＩＣタグと通信を行い、通信用ＩＣタグが時間情報送信手段及び時間情報要求信号受信手段を備えている。
【００７４】
また、請求項３５に係る発明の遊技機では、可動部材を設け、当該可動部材の動作により遊技球の入賞率が変化する入賞装置を備え、前記入賞装置への遊技球の入賞率が高い特別状態と通常の入賞率である通常状態とのいずれの状態であるかを監視し、外部情報端末と通信する監視手段を接続した遊技機であって、前記監視手段は、前記可動部材の動作により前記遊技機が前記特別状態となっていることを検出する、前記遊技機に設置されている状態検出手段と、当該状態検出手段の検出結果に基づいて前記遊技機が前記特別状態である時間を計測する時間計測手段と、当該時間計測手段により計測された計測時間を記憶する計測時間記憶手段と、少なくとも前記計測時間を含む時間情報の送信を要求する要求信号を前記外部情報端末から受信する要求信号受信手段と、当該要求信号受信手段が前記要求信号を受信すると、前記時間情報を前記外部情報端末へ送信する時間情報送信手段とを備えている。
【００７５】
この構成の遊技機では、監視手段の状態検出手段は、可動部材の動作により遊技機が特別状態となっていることを検出し、遊技機に設置されている。時間計測手段は、状態検出手段の検出結果に基づいて遊技機が特別状態である時間を計測し、計測時間記憶手段は、時間計測手段により計測された計測時間を記憶し、要求信号受信手段は、少なくとも計測時間を含む時間情報の送信を要求する要求信号を外部情報端末から受信し、時間情報送信手段は、要求信号受信手段が要求信号を受信し、時間情報を外部情報端末へ送信する。
【００７６】
また、請求項３６に係る発明の遊技機では、可動部材を設け、当該可動部材の動作により遊技球の入賞率が変化する入賞装置を備え、前記入賞装置への遊技球の入賞率が高い特別状態と通常の入賞率である通常状態とのいずれの状態であるかを監視し、外部情報端末と通信する監視手段を接続した遊技機であって、前記監視手段は、前記可動部材の動作により前記遊技機が前記特別状態となっていることを検出する、前記遊技機に設置されている状態検出手段と、当該状態検出手段の検出結果に基づいて前記遊技機が前記特別状態である時間を計測する時間計測手段と、当該時間計測手段により計測された計測時間を記憶する計測時間記憶手段と、少なくとも前記計測時間を含む時間情報の送信を要求する要求信号を前記外部情報端末から受信する要求信号受信手段と、当該要求信号受信手段が前記要求信号を受信すると、前記時間情報を前記外部情報端末へ送信する時間情報送信手段とを備えている。
【００７７】
この構成の遊技機では、監視手段の状態検出手段は、可動部材の動作により遊技機が特別状態となっていることを検出し、遊技機に設置されている。時間計測手段は、状態検出手段の検出結果に基づいて遊技機が特別状態である時間を計測し、計測時間記憶手段は、時間計測手段により計測された計測時間を記憶し、要求信号受信手段は、少なくとも計測時間を含む時間情報の送信を要求する要求信号を外部情報端末から受信し、時間情報送信手段は、要求信号受信手段が要求信号を受信し、時間情報を外部情報端末へ送信する。
【００７８】
また、請求項３７に係る発明の遊技機では、可動部材を設け、当該可動部材の動作により遊技球の入賞率が変化する入賞装置を備え、前記入賞装置への遊技球の入賞率が高い特別状態と通常の入賞率である通常状態とのいずれの状態であるかを監視し、外部情報端末と通信する監視手段を接続した遊技機であって、前記監視手段は、前記可動部材の動作により前記遊技機が前記特別状態となっていることを検出する、前記遊技機に設置されている状態検出手段と、当該状態検出手段の検出結果に基づいて前記遊技機が前記特別状態である時間を計測する時間計測手段と、当該時間計測手段により計測された計測時間を記憶する計測時間記憶手段と、前記時間情報記憶手段に記憶されている前記計測時間の平均時間を算出する平均時間算出手段と、当該平均時間算出手段により算出された前記平均時間が、予め時間の長さにより分けられた所定の複数の区分のうちのどの区分に該当するかを決定する区分決定手段と、少なくとも前記区分を含む時間情報の送信を要求する要求信号を前記外部情報端末から受信する要求信号受信手段と、当該要求信号受信手段が前記要求信号を受信すると、前記時間情報を前記外部情報端末へ送信する時間情報送信手段とを備えている。
【００７９】
この構成の遊技機では、監視手段の状態検出手段は、可動部材の動作により遊技機が特別状態となっていることを検出し、遊技機に設置されている。時間計測手段は、状態検出手段の検出結果に基づいて遊技機が特別状態である時間を計測し、計測時間記憶手段は、時間計測手段により計測された計測時間を記憶し、平均時間算出手段は、時間情報記憶手段に記憶されている計測時間の平均時間を算出し、区分決定手段は、平均時間算出手段により算出された平均時間が、予め時間の長さにより分けられた所定の複数の区分のうちのどの区分に該当するかを決定し、要求信号受信手段は、少なくとも区分を含む時間情報の送信を要求する要求信号を外部情報端末から受信し、時間情報送信手段は、要求信号受信手段が要求信号を受信し、時間情報を外部情報端末へ送信する。
【００８０】
また、請求項３８に係る発明の遊技機では、可動部材を設け、当該可動部材の動作により遊技球の入賞率が変化する入賞装置を備え、前記入賞装置への遊技球の入賞率が高い特別状態と通常の入賞率である通常状態とのいずれの状態であるかを監視し、外部情報端末と通信する監視手段を接続した遊技機であって、前記監視手段は、前記可動部材の動作により前記遊技機が前記特別状態となっていることを検出する、前記遊技機に設置されている状態検出手段と、当該状態検出手段の検出結果に基づいて前記遊技機が前記特別状態である時間を計測する時間計測手段と、当該時間計測手段により計測された計測時間を記憶する計測時間記憶手段と、前記時間情報記憶手段に記憶されている前記計測時間の平均時間を算出する平均時間算出手段と、当該平均時間算出手段により算出された前記平均時間が、予め時間の長さにより分けられた所定の複数の区分のうちのどの区分に該当するかを決定する区分決定手段と、前記区分毎に、前記障害部材の調整具合を示す文言又は図柄を記憶している表示情報記憶手段と、前記区分決定手段により決定された前記区分に対応して、前記表示情報記憶手段に記憶されている文言又は図柄を選択する選択手段と、当該選択手段により決定された前記文言又は図柄を少なくとも含む時間情報の送信を要求する要求信号を前記外部情報端末から受信する要求信号受信手段と、当該要求信号受信手段が前記要求信号を受信すると、前記時間情報を前記外部情報端末へ送信する時間情報送信手段とを備えている。
【００８１】
この構成の遊技機では、監視手段の状態検出手段は、可動部材の動作により遊技機が特別状態となっていることを検出し、遊技機に設置されている。時間計測手段は、状態検出手段の検出結果に基づいて遊技機が特別状態である時間を計測し、計測時間記憶手段は、時間計測手段により計測された計測時間を記憶し、平均時間算出手段は、時間情報記憶手段に記憶されている計測時間の平均時間を算出し、区分決定手段は、平均時間算出手段により算出された平均時間が、予め時間の長さにより分けられた所定の複数の区分のうちのどの区分に該当するかを決定し、表示情報記憶手段は、区分毎に障害部材の調整具合を示す文言又は図柄を記憶し、選択手段は、区分決定手段により決定された区分に対応して、表示情報記憶手段に記憶されている文言又は図柄を選択し、要求信号受信手段は、選択手段により決定された文言又は図柄を少なくとも含む時間情報の送信を要求する要求信号を外部情報端末から受信し、時間情報送信手段は、要求信号受信手段が要求信号を受信し、時間情報を外部情報端末へ送信する。
【００８２】
また、請求項３９に係る発明の遊技機では、請求項３５乃至３８のいずれかに記載の発明の構成に加えて、前記監視手段が自身に設けられていることを特徴とする構成となっている。
【００８３】
この構成の遊技機では、請求項３５乃至３８のいずれかに記載の発明の作用に加えて、監視手段は自身に設けられている。
【００８４】
また、請求項４０に係る発明の遊技機では、請求項３５乃至３９のいずれかに記載の発明の構成に加えて、前記可動部材には監視用ＩＣタグが設けられ、前記監視手段は、前記通常状態においてのみ前記監視用ＩＣタグと非接触で通信可能な位置に備えられ前記状態検出手段であるアンテナと、当該アンテナを介して前記監視用ＩＣタグと通信を行う通信手段と、当該通信手段による通信の結果が正常であるか否かを判断する通信結果判断手段と、前記通信結果判断手段により正常でないと判断された場合に前記特別状態であると判断する状態判断手段とを備えたことを特徴とする構成となっている。
【００８５】
この構成の遊技機では、請求項３５乃至３９のいずれかに記載の発明の作用に加えて、監視手段の状態検出手段であるアンテナは、通常状態においてのみ監視用ＩＣタグと非接触で通信可能であり、通信手段は、アンテナを介して監視用ＩＣタグと通信を行い、通信結果判断手段は、通信手段による通信の結果が正常であるか否かを判断し、状態判断手段は、通信結果判断手段により正常でないと判断された場合に特別状態であると判断する。
【００８６】
また、請求項４１に係る発明の遊技機では、請求項３５乃至４０のいずれかに記載の発明の構成に加えて、前記遊技盤に設けられ、遊技球が入賞する始動入賞口と、前記始動入賞口への遊技球の入賞を契機に乱数の取得を行う乱数取得手段と、前記乱数取得手段が取得した乱数に基づいて、遊技者が多数の遊技球を取得可能な大当たり状態とするか否かの判定を行う大当たり判定手段と、前記遊技盤に設けられ、開閉可能な開閉部材を備え、前記大当たり判定手段の判定結果により大当たり状態となった場合に、前記開閉部材が開かれて遊技球が入賞可能となる大入賞口とを備え、前記可動部材は前記開閉部材であり、前記入賞装置は前記大入賞口であり、前記特別状態は前記開閉部材が開かれている状態であることを特徴とする構成となっている。
【００８７】
この構成の遊技機では、発請求項３５乃至４０のいずれかに記載の明の作用に加えて、遊技機の始動入賞口は遊技盤に設けられ、遊技球が入賞し、乱数取得手段は、始動入賞口への遊技球の入賞を契機に乱数の取得を行い、大当たり判定手段は、乱数取得手段が取得した乱数に基づいて、遊技者が多数の遊技球を取得可能な大当たり状態とするか否かの判定を行い、大入賞口は遊技盤に設けられ、開閉可能な開閉部材を備え、大当たり判定手段の判定結果により大当たり状態となった場合に、開閉部材が開かれて遊技球が入賞可能となる。そして、可動部材は開閉部材であり、入賞装置は大入賞口であり、特別状態は開閉部材が開かれている状態である。
【００８８】
また、請求項４２に係る発明の遊技機では、請求項４１に記載の発明の構成に加えて、前記時間計測手段は大当たり遊技状態である場合にのみ時間を計測することを特徴とする構成となっている。
【００８９】
この構成の遊技機では、請求項４１に記載の発明の作用に加えて、時間計測手段は大当たり遊技状態である場合にのみ時間を計測する。
【００９０】
また、請求項４３に係る発明の遊技機では、請求項４２に記載の発明の構成に加えて、前記平均時間算出手段は大当たり遊技状態である場合に前記時間計測手段で計測された計測時間のみの平均時間を算出することを特徴とする構成となっている。
【００９１】
この構成の遊技機では、請求項４２に記載の発明の作用に加えて、平均時間算出手段は大当たり遊技状態である場合に時間計測手段で計測された計測時間のみから平均時間を算出する。
【００９２】
また、請求項４４に係る発明の遊技機では、請求項３５乃至４３のいずれかに記載の発明の構成に加えて、前記外部情報端末は携帯可能な携帯情報端末であり、前記監視手段は、記時間情報送信手段及び前記時間情報要求信号受信手段を備えた通信用ＩＣタグを備えていることを特徴とする構成となっている。
【００９３】
この構成の遊技機では、請求項３５乃至４３のいずれかに記載の発明の作用に加えて、監視手段の通信用ＩＣタグは、時間情報送信手段及び時間情報要求信号受信手段を備えている。
【００９４】
【発明の実施の形態】
以下、本発明の実施の形態について図面を参照して説明する。本発明は、遊技機の一種であるパチンコ機１において、可動部材を備えた入賞装置である大入賞口１６（図１参照）の開放時間を計測し、開放時間や大入賞口１６への遊技球の入賞を誘導するために設けられた寄り釘２６（図１参照）の調整の指示を外部情報端末へ表示するものである。そこで、「第１の実施の形態」、「第２の実施の形態」及び「第３の実施の形態」の３つの実施の形態を以下の順で説明する。
１．遊技機の説明
２．「第１の実施の形態」及び「第２の実施の形態」における携帯情報端末の説明
３．「第１の実施の形態」及び「第２の実施の形態」における記憶エリアの説明
４．「第１の実施の形態」における各処理の説明
５．「第２の実施の形態」における各処理の説明
６．「第３の実施の形態」の説明
７．変形例の説明
【００９５】
尚、各実施の形態において、パチンコ機１は、「監視手段」として機能するリーダ・ライタ基板（以下、Ｒ／Ｗ基板と称する。）３１（図３参照）を備えたリーダ・ライタユニット（以下、Ｒ／Ｗユニットと称する。）３０（図１参照）を備えており、パチンコ機１の大入賞口１６の開放時間を計測する。
【００９６】
そして、「第１の実施の形態」では、「外部情報端末」としてハンディターミナル（以下、「ＨＴ」と称する。）４００（図７参照）を使用する。ＨＴ４００において「寄り釘チェック処理」が実施されると、ＨＴ４００はパチンコ機１の前面に貼り付けられた通信用ＩＣタグ２４（図１参照）と通信を行い、Ｒ／Ｗ基板３１にて決定された寄り釘２６の調整指示のメッセージ及び画像を受信し、表示パネル４０３に表示する（図９参照）。
【００９７】
また、「第２の実施の形態」では、「外部情報端末」としてＨＴ４００を使用する。ＨＴ４００において「寄り釘チェック処理」が実施されると、ＨＴ４００はパチンコ機１の前面に貼り付けられた通信用ＩＣタグ２４と通信を行い、Ｒ／Ｗ基板３１にて算出された平均時間を受信し、平均時間に基づいて区分を決定し、さらに寄り釘２６の調整指示のメッセージ及び画像を決定して、表示パネル４０３に表示する（図９参照）。
【００９８】
また、「第３の実施の形態」では、「外部情報端末」としてホールコンピュータ３００（図１８参照）を使用する。ホールコンピュータ３００において、「開放時間処理」が実施されると、ホールコンピュータ３００は店内ネットワーク１５０によりＲ／Ｗ基板３１と通信を行い、大入賞口１６の開放時間を受信する。そして、ディスプレイ３０９に開放時間画面３９０を表示する（図２０参照）。
【００９９】
１．遊技機の説明
まず、各実施の形態で用いられる遊技機の一種であるパチンコ機１について説明する。図１は、パチンコ機１の正面図である。図１に示すように、パチンコ機１の正面の上半分の部分には、発射ハンドル７の操作により図示外の発射機から発射された遊技媒体としての遊技球が流下する遊技盤２が設けられている。この遊技盤２は略正方形であり、前面にはガイドレールで囲まれた略円形の遊技領域４が設けられている。パチンコ機１の遊技盤２の下方部には、発射機に遊技球を供給し、かつ賞品球を受ける上皿５が設けられている。そして、上皿５の直下には、賞品球を受ける下皿６が設けられ、下皿６の右横には遊技球の発射を調整する発射ハンドル７が、下皿６の上にはスピーカー４８がそれぞれ設けられている。また、遊技盤２前面中央に位置する遊技領域４の略中央には、ＬＣＤから構成された特別図柄表示画面や各種ランプ、ＬＥＤを備えた特別図柄表示装置８が設けられている。そして、特別図柄表示装置８の下側には特別図柄始動電動役物１５が設けられており、さらにその特別図柄始動電動役物１５の下方に、大入賞口１６が設けられている。また、前面扉１１１は、透明なガラス板を保持し、遊技盤２を保護のため覆っている。
【０１００】
そして、大入賞口１６の上部には、大入賞口１６へ遊技球を誘導する寄り釘２６が設けられている。具体的には、特別図柄始動電動役物１５の左に寄り釘２６ａ、特別図柄始動電動役物１５の左下に寄り釘２６ｂ、特別図柄始動電動役物１５の右に寄り釘２６ｃ、特別図柄始動電動役物１５の右下に寄り釘２６ｄが設けられている。尚、パチンコ機１の大入賞口１６は、通常閉じている。そして、大入賞口１６の開閉扉１６ａには監視用ＩＣタグ８６が備えられ、大入賞口１６の開閉扉１６ａが閉じている状態で通信可能な位置に監視用アンテナ６８が備えられている（図２参照）。また、パチンコ機１の背面には、Ｒ／Ｗ基板３１を備えたＲ／Ｗユニット３０（図３参照）が備えられている。尚、監視用アンテナ６８は、「状態検出手段」に相当する。
【０１０１】
また、「第１の実施の形態」及び「第２の実施の形態」においては、前面扉１１１の裏面に通信用ＩＣタグ２４が貼り付けられている。この通信用ＩＣタグ２４は、ケーブル２４ｋ（図３参照）を介してＲ／Ｗ基板３１に接続しており、ＨＴ４００とＲ／Ｗ基板３１とが通信を行う際に使用される。ＨＴ４００と通信用ＩＣタグ２４とが通信を行うと、さらに通信用ＩＣタグ２４がケーブル２４ｋを介してＲ／Ｗ基板３１と通信を行うことにより、ＨＴ４００とＲ／Ｗ基板３１とが情報の授受を行うことができる。尚、「第３の実施の形態」におけるパチンコ機１では、特にこの通信用ＩＣタグ２４を備えている必要はない。
【０１０２】
尚、このパチンコ機１では、遊技球が特別図柄始動電動役物１５へ入賞すると、大当たり判定を行うための乱数が取得され（乱数取得処理）、その乱数の値が大当たりとして決められている特定の値、例えば「７」であれば、大当たりと判定される（大当たり判定処理）。大当たりと判定されると、大当たり遊技状態が生起される。この大当たり遊技状態では、大入賞口１６が開放され、所定数（例えば１０個）の遊技球の入賞を検知するか、又は、所定時間（例えば３０秒）が経過すると閉鎖される。この大入賞口１６の開放から閉鎖までの動作をラウンドと呼ぶ。そして、開放中に入賞した遊技球が大入賞口１６の内部に設けられたＶゾーン（図示外）を通過していた場合には、再度大入賞口１６が開放される。そして、所定回数（例えば、１６回）のラウンドが終了するか、又は、開放中にＶゾーンを遊技球が通過しないと、大当たり遊技状態は終了する。したがって、大当たり遊技状態中に大入賞口１６が開放されている状態が「特別状態」に相当する。
【０１０３】
次に、図２を参照して、大入賞口１６が設けられているアタッカ部材１６０への監視用ＩＣタグ８６の設置について説明する。図２に示すように、アタッカ部材１６０の開閉扉１６ａの表面には、監視用ＩＣタグ８６が貼り付けられ、さらに監視用ＩＣタグ８６を覆うように装飾シール等が貼付されて遊技者からは見えないようになっている。また、アタッカ部材１６０の開口部１６ｂである大入賞口１６の周囲には、監視用ＩＣタグ８６を囲むようにループ形状の監視用アンテナ６８が設けられ、監視用アンテナ６８は同軸ケーブルによりＲ／Ｗユニット３０に接続されている。この監視用ＩＣタグ８６は、送受信方向に指向性があり、監視用アンテナ６８とほぼ平行に位置した場合のみ送受信可能である。大入賞口１６の閉鎖状態では、開閉扉１６ａが大入賞口１６の開口部１６ｂを塞いでおり、監視用ＩＣタグ８６と監視用アンテナ６８はほぼ同一平面上に位置しているので、送受信可能であり、監視用アンテナ６８を介して送信されたＲ／Ｗユニット３０からの呼出波に対して監視用ＩＣタグ８６から反射波が返される。一方、図２に示すように開閉扉１６ａが開くと、監視用ＩＣタグ８６と監視用アンテナ６８とは平行でなくなり、通信可能な臨界角度を超えるので、監視用ＩＣタグ８６はＲ／Ｗユニット３０からの呼び出しに応答できなくなる。これにより、Ｒ／Ｗ基板３１では、大入賞口１６の開放を検知することができ、開放時間を計測することができる。
【０１０４】
尚、本実施形態において、監視用ＩＣタグ８６と監視用アンテナ６８は、１３．５６ＭＨｚの短波帯で通信を行っている。この周波数での通信は、ノイズによる影響を比較的受けにくいので、パチンコ機１の設置環境に適している。しかし、開閉扉１６ａの動作を制御する大入賞口開放ソレノイド７０は、電磁波を使用している。そこで、大入賞口開放ソレノイド７０の電磁波により、監視ＩＣタグ８６と監視用アンテナ６８との通信に誤動作を及ぼすことを防ぐために、大入賞口開放ソレノイド７０は、監視用ＩＣタグ８６や監視用アンテナ６８から離れたアタッカ部材１６０の左奥に配置されている。
【０１０５】
次に、図３を参照してパチンコ機１及びパチンコ機１に付属したＲ／Ｗユニット３０の主な構成要素の電気的構成について説明する。パチンコ機１には、主基板４１、電源基板４２、音基板４３、図柄表示基板４４、払出制御基板４５、電飾基板４６、中継基板４７、発射基板６６、サブ統合基板５８等が設けられている。主基板４１には、各種の演算処理を行うＣＰＵ５１が設けられており、フラグやカウンタ値やデータを記憶するＲＡＭ５２と、制御プログラム及び各種の初期値のデータや図柄表示装置（図示外）への表示内容のデータ等を記憶したＲＯＭ５３とが接続している。また、ＣＰＵ５１は、Ｉ／Ｏインタフェイス５４に接続しており、Ｉ／Ｏインタフェイス５４には、Ｒ／Ｗユニット３０へデータを引き渡すための出力ポート５５、サブ統合基板５８、払出制御基板４５、中継基板４７が接続している。さらに、サブ統合基板５８には図柄表示基板４４、電飾基板４６、音基板４３が接続され、払出制御基板４５には発射基板６６が接続されている。電源基板４２は、複数のパチンコ機１が設置されている遊技機設置島に備えられた電源装置（図示外）から電源供給を受けており、主基板４１、サブ統合基板５８、払出制御基板４５、発射基板６６に電源供給を行っている。
【０１０６】
また、Ｒ／Ｗユニット３０には、Ｒ／Ｗ基板３１が備えられており、Ｒ／Ｗ基板３１にはＲ／Ｗユニット３０の制御を司るＣＰＵ３２が設けられている。ＣＰＵ３２はフラグやデータ等を一時的に記憶するＲＡＭ３４、制御プログラム及び各種の初期値のデータ等を記憶したＲＯＭ３３が内蔵されている。そして、ＣＰＵ３２には、計測時間や平均時間等を記憶するＥＥＰＲＯＭ３５、監視用ＩＣタグ８６へ呼出波を送信し、反射波を受信するためのＲａｄｉｏ  Ｆｒｅｑｕｅｎｃｙ回路（以下、ＲＦ回路と称する）３８、パチンコ機１の主基板４１の出力ポート５５と接続する入力ポート３９、時間管理を行うＲＴＣ７１、Ｉ／Ｏインタフェイス３７が接続している。さらに、ＲＦ回路３８に監視用ＩＣタグ８６と通信するための監視用アンテナ６８が接続されている。尚、Ｒ／Ｗユニット３０の電源は、電源基板４２からではなく遊技機設置島の電源装置から供給されている。
【０１０７】
また、「第３の実施の形態」においては、Ｉ／Ｏインタフェイス３７には、店内ネットワーク１５０に接続するための通信回路３６が接続している。また、「第１の実施の形態」及び「第２の実施の形態」においては、Ｉ／Ｏインタフェイス３７にＨＴ４００と通信するための通信用ＩＣタグ２４が接続している。尚、この通信用ＩＣタグ２４は図１に示すように、パチンコ機１の前面扉１１１の内側の開閉軸側上部にに貼り付けられており、ケーブル２４ｋを介してＩ／Ｏインタフェイス３７に接続している。
【０１０８】
次に、図４及び図５を参照して監視用ＩＣタグ８６の構造について説明し、図６を参照して通信用ＩＣタグ２４の構造について説明する。図４は、監視用ＩＣタグ８６の平面図である。図５は、監視用ＩＣタグ８６の電気的回路構成を示すブロック図である。監視用ＩＣタグ８６は、それぞれ同様の構造をしている。図４に示すように、Ｒ／Ｗユニット３０からの呼出波に応答して反射波を放出するＲＦ回路８６１、アンテナ８６２、ＥＥＰＲＯＭ８６３が搭載されている。また、監視用ＩＣタグ８６は、図４に示すように、薄いフレキシブルプリント基板上にアンテナ６８２及びＩＣチップ８６４が設けられており、ＩＣチップ８６４には、ＲＦ回路８６１とＥＥＰＲＯＭ８６３とが一体となって構成されている。さらに、ＥＥＰＲＯＭ８６３には、監視用ＩＣタグ８６を他の監視用ＩＣタグから識別するための識別情報であるＩＤコードが上書消去禁止区域に記憶されている。
【０１０９】
Ｒ／Ｗユニット３０から監視用アンテナ６８を介して呼出波が送られてくると、アンテナ６８２がこれを受信するが、この呼出波には搬送波成分が含まれており、これを受信してＲＦ回路８６１で整流して直流電圧を得る。従って、監視用ＩＣタグ８６は、電池や外部電源を使用せずに必要な時にいつでもデータを発信することができる。データの発信は、ＥＥＰＲＯＭ８６３からＩＤコードを読み出して反射波に乗せ、ＲＦ回路８６１から監視用アンテナ６８に向けて送信する。
【０１１０】
また、図６は、「第１の実施の形態」及び「第２の実施の形態」において使用される通信用ＩＣタグ２４の電気的回路構成を示すブロック図である。通信用ＩＣタグ２４も図４に示す監視用ＩＣタグ８６と同様に、薄いフレキシブルプリント基板上にアンテナ２４ｂ及びＩＣチップ２４ｄが設けられており、さらに、Ｒ／Ｗユニット３０へ接続するためのケーブル２４ｋが設けられている。また、ＩＣチップ２４ｄにはＲＦ回路２４ａとＥＥＰＲＯＭ２４ｃだけでなく、ＲＡＭ２４ｇ内蔵型のＣＰＵ２４ｆ及びＲＯＭ２４ｅを備えている。そして、監視用ＩＣタグ８６等と同様に、ＥＥＰＲＯＭ２４ｃには、通信用ＩＣタグ２４を他のＩＣタグと識別するための識別情報であるＩＤコードが上書消去禁止区域に記憶されている。通信用ＩＣタグ２４のＣＰＵ２４ｆは、ＨＴ４００から発信された呼出波を受信すると、ケーブル２４ｋを通じてＲ／Ｗ基板３１へ呼出波に含まれていた情報を送信する。また、Ｒ／Ｗ基板３１から送信された情報を含む反射波をＲＦ回路２４ａのアンテナ２４ｂから発信する。
【０１１１】
２．「第１の実施の形態」及び「第２の実施の形態」における携帯情報端末の説明次に、「第１の実施の形態」及び「第２の実施の形態」において使用されるパチンコ機１の前面扉１１１の内側の開閉軸側上部に備えられた通信用ＩＣタグ２４（図１参照）を介してＲ／Ｗ基板３１と通信し、寄り釘チェック処理を行うＨＴ４００について、図７乃至図９を用いて説明する。図７は、ＨＴ４００の斜視図である。図８は、ＨＴ４００の電気的構成を示すブロック図である。図９は、寄り釘チェック結果画面が表示パネル４０３に表示されたＨＴ４００のイメージ図である。
【０１１２】
まず、図７を参照してＨＴ４００の形状を説明する。図７に示すように、ＨＴ４００は、周知の携帯型情報端末であるＰＤＡ（Ｐｅｒｓｏｎａｌ  Ｄｉｇｉｔａｌ  Ａｓｓｉｓｔａｎｔｓ）であり、上部にＳＤメモリカード（Ｓｅｃｕｒｅ  Ｄｉｇｉｔａｌ  Ｍｅｍｏｒｙ  Ｃａｒｄ）やＭＭＣ（Ｍｕｌｔｉ  Ｍｅｄｉａ  Ｃａｒｄ）等のメモリーカード、あるいは小型フラッシュメモリカードやＰＣカード型のＰＨＳアダプタ等を挿入するためのカードスロットを備え、カードスロットには、アンテナ４０２とＲＦ回路４１０（図８参照）を備えた読取ユニット４０１が挿入されている。読取ユニット４０１は、アンテナ４０２を通信用ＩＣタグ２４に適切な角度で向けられるように、回転軸４０６を中心に９０度の範囲で屈折可能な構成となっている。また、ＨＴ４００の正面にはメニュー画面や寄り釘チェック結果を表示し、「表示手段」に相当する表示パネル４０３、表示パネル４０３に表示されるカーソルや表示内容を上下左右に移動させるための方向キー４０５、表示パネル４０３の画面を操作するためのメニューキー４０４を備えている。尚、表示パネル４０３は、タッチパネルとなっており、手で触れたり、スタイラスペンで触れたりすることにより入力を行うことができる。さらに、ＨＴ４００の側面には赤外線通信用の赤外線通信ポート（図示外）が、底面には入出力ポート（図示外）からクレードル等を介してパーソナルコンピュータ等の外部機器に接続するためのコネクタ（図示外）が設けられている。
【０１１３】
次に、図８を参照してＨＴ４００の電気的構成を説明する。図８に示すように、ＨＴ４００には、ＨＴ４００の制御を司るＣＰＵ４１１が設けられ、ＣＰＵ４１１には、各種のデータを一時的に記憶するＲＡＭ４１３と、ＣＰＵ４１１で実行される制御プログラムや表示パネル４０３に操作画面を表示するための画面情報等を記憶したＲＯＭ４１２と、不揮発性メモリの一種であるフラッシュメモリ４１４と、データの受け渡しの仲介を行うＩ／Ｏインタフェイス４０９とが接続されている。フラッシュメモリ４１４には、Ｒ／Ｗユニット３０から取得した時間情報等が記憶されている。また、読取ユニット４０１には、通信用ＩＣタグ２４と通信するアンテナ４０２と、送信回路及び受信回路であるＲＦ回路４１０を備えており、アンテナ４０２はＲＦ回路４１０に接続し、ＲＦ回路４１０はＩ／Ｏインタフェイス４０９に接続している。また、表示パネル４０３と、外部装置とデータのやり取りを行う入出力回路４０７と、赤外線通信回路４０８と、入力キーであるメニューキー４０４及び方向キー４０５とがＩ／Ｏインタフェイス４０９に接続している。
【０１１４】
次に、図９を参照して、ＨＴ４００の表示パネル４０３に表示される寄り釘チェック結果画面について説明する。ＨＴ４００では、ＨＴ４００で行うことができる各種処理、例えば、「寄り釘チェック」、「監視情報閲覧」、「設定」、「監視開始」等のメニューが表示されているメニュー画面（図示外）が表示される。そして、メニュー画面において、操作者がメニューキー４０４又は方向キー４０５を操作することにより、「寄り釘チェック」メニューが選択された場合に、ＨＴ４００は通信用ＩＣタグ２４を介してＲ／Ｗ基板３１と通信を行い、パチンコ機１の大入賞口１６の平均開放時間により判断された、寄り釘２６の調整を指示する寄り釘チェック結果画面が表示される。
【０１１５】
図９に示すように、表示パネル４０３に表示された寄り釘チェック結果画面の最上部には、画面の名称として「寄り釘チェック結果画面」と表示されている。そして、その下には、「台番号」欄、「１Ｒ平均開放時間」欄及び「釘調整」欄が設けられている。「台番号」欄には、処理が行われたパチンコ機１の台番号が表示されている。図９に示す例では、１２３番のパチンコ機１である。また、「１Ｒ平均開放時間」欄には、処理が行われたパチンコ機１の１ラウンドでの大入賞口１６の開放時間の平均時間（前回寄り釘チェック処理が行われてから、直近のラウンドまでの平均時間）が表示される。図９に示す例では、１６．８７６秒である。そして、「釘調整」欄には、釘をどちらの方向に、どれくらい調整するかの指示が表示される。尚、調整の必要がない場合には、「調整の必要なし」等の調整の必要がない旨のメッセージが表示される。図９に示す例では、「開ける（推奨値：０．２５ｍｍ）」と表示されており、遊技球の進路を開ける方向に０．２５ｍｍ倒す旨の指示がなされている。
【０１１６】
また、「台番号」欄、「１Ｒ平均開放時間」欄及び「釘調整」欄の下には、パチンコ機１の大入賞口１６付近のイメージ図が表示されている。図９に示す例では、特別図柄始動電動役物４５０がイメージ図の上部中央に表示されており、その下に、大入賞口４５４が表示されている。そして、特別図柄始動電動役物４５０の左下には寄り釘群４５３ａが、右下には寄り釘群４５３ｂが表示されている。そして、寄り釘群４５３ａの右上には右上方向の矢印４５１ａが、左下には左下方向の矢印４５２ａが表示されており、寄り釘を「開ける」場合には矢印４５２ａが赤色に強調表示され、「閉じる」場合には矢印４５１ａが赤色に強調表示される。そして、寄り釘群４５３ｂの左上には左上方向の矢印４５１ｂが、右下には右下方向の矢印４５２ｂが表示されており、寄り釘を「開ける」場合には矢印４５２ｂが赤色に強調表示され、「閉じる」場合には矢印４５１ｂが赤色に強調表示される。図９に示す例では、寄り釘を「開ける」方向の矢印４５２ａ及び４５２ｂが赤色に強調表示されている。そして、大入賞口付近のイメージ図の下には「戻る」ボタン４５５が設けられており、これを選択すると、メニュー画面へ戻る。
【０１１７】
３．「第１の実施の形態」及び「第２の実施の形態」における記憶エリアの説明
次に、図１０乃至図１２を参照して、「第１の実施の形態」及び「第２の実施の形態」において使用される記憶エリアについて説明する。図１０は、１回の大当たり遊技状態での各ラウンドの大入賞口１６の開放時間を記憶する計測時間記憶エリア３５１の模式図である。図１１は、平均時間を算出する際に使用される平均時間記憶エリア３５２の模式図である。図１２は、表示パネル４０３に表示されるメッセージや画面を記憶している表示情報記憶エリア５００の模式図である。
【０１１８】
まず、図１０を参照して、計測時間記憶エリア３５１について説明する。計測時間記憶エリア３５１は、Ｒ／Ｗ基板３１のＥＥＰＲＯＭ３５に設けられており、大当たり遊技状態中の１回目〜１６回目までの各ラウンドの大入賞口１６の開放時間が記憶される。単位は、ミリ秒である。図１０に示す例では、１回目のラウンドの開放時間は１７５３０ミリ秒であり、２回目のラウンドの開放時間は１４５３０ミリ秒であり、３回目のラウンドの開放時間は１７５９０ミリ秒であり、４回目のラウンドの開放時間は１６１１２ミリ秒であり、５回目のラウンドの開放時間は１３８６６ミリ秒であり、６回目のラウンドの開放時間は１５２３６ミリ秒であり、７回目のラウンドの開放時間は１６５９８ミリ秒であり、８回目のラウンドの開放時間は１６８４４ミリ秒であり、９回目のラウンドの開放時間は１３９９８ミリ秒であり、１０回目のラウンドの開放時間は１５６６６ミリ秒であり、１１回目のラウンドの開放時間は１７３６６ミリ秒であり、１２回目のラウンドの開放時間は１８００４ミリ秒であり、１３回目のラウンドの開放時間は１５９６２ミリ秒であり、１４回目のラウンドの開放時間は１７６２６ミリ秒であり、１５回目のラウンドの開放時間は１４５５２ミリ秒であり、１６回目のラウンドの開放時間は１５４４４ミリ秒である。
【０１１９】
次に、図１１を参照して、平均時間記憶エリア３５２について説明する。平均時間記憶エリア３５２は、Ｒ／Ｗ基板３１のＥＥＰＲＯＭ３５に設けられており、「前回平均時間」欄、「今回平均時間」欄及び「平均時間」欄が設けられている。「前回平均時間」欄には、寄り釘チェック処理が実施されてから、直近のラウンドの１回前のラウンドまでの、開放時間の平均時間が記憶される。「今回平均時間」欄には、直近のラウンドの開放時間の平均時間が記憶される。「平均時間」欄には、寄り釘チェック処理が実施されてから、直近のラウンドまでの、開放時間の平均時間が記憶される。単位は、ミリ秒である。具体的には、１回の大当たり遊技状態が終了すると、計測時間記憶エリア３５１に記憶されている開放時間の合計時間を実施されたラウンド数で割ることにより、今回平均時間が算出され、「今回平均時間」欄に記憶される。そして、「平均時間」欄に記憶されている値が「前回平均時間」欄に記憶される。そして、「今回平均時間」欄に記憶されている値と、「前回平均時間」欄に記憶されている値を足して、２で割ることにより平均時間が算出され、「平均時間」欄に記憶される。
【０１２０】
図１１に示す例では、「前回平均時間」欄には１７６９５．２６０ミリ秒が記憶されており、「今回平均時間」欄には１６０５７．７５０ミリ秒が記憶されており、「平均時間」欄には１６８７６．５０５ミリ秒が記憶されている。
【０１２１】
次に、図１２を参照して、表示情報記憶エリア５００について説明する。表示情報記憶エリア５００は、ＨＴ４００の表示パネル４０３に表示される「寄り釘チェック結果画面」の釘調整欄に表示される調整指示のメッセージやイメージ図のデータ名が区分毎に記憶されている。尚、「第１の実施の形態」では、ＨＴ４００のＲＯＭ４１２に記憶されており、「第２の実施の形態」では、Ｒ／Ｗ基板３１のＲＯＭ３３に記憶されている。
【０１２２】
「第１の実施の形態」、「第２の実施の形態」においては、平均開放時間を６つの区分に分類して、その区分毎に寄り釘２６の調整具合を決定している。具体的には、平均開放時間が１２秒より短い場合には、区分「１」とし、寄り釘２６を遊技球の進路を「閉じる」方向に０．５ｍｍ倒す指示が行われる。平均開放時間が１２秒以上、１４秒より短い場合には、区分「２」とし、寄り釘２６を遊技球の進路を「閉じる」方向に０．２５ｍｍ倒す指示が行われる。平均開放時間が１４秒以上、１６秒より短い場合には、区分「３」とし、調整不要の指示が行われる。平均開放時間が１６秒以上、１８秒より短い場合には、区分「４」とし、寄り釘２６を遊技球の進路を「開ける」方向に０．２５ｍｍ倒す指示が行われる。平均開放時間が１８秒以上、２０秒より短い場合には、区分「５」とし、寄り釘２６を遊技球の進路を「開ける」方向に０．５ｍｍ倒す指示が行われる。平均開放時間が２０秒以上である場合には、区分「６」とし、寄り釘２６を遊技球の進路を「開ける」方向に０．７５ｍｍ倒す指示が行われる。
【０１２３】
図１２に示す例においては、区分「１」では、メッセージ欄には「閉じる（推奨値：０．５０ｍｍ）」と記憶され、イメージ図欄には「閉０．５０」と記憶されている。尚、ファイル名「閉０．５０」の画像は、寄り釘を閉じる方向の矢印４５１ａ及び４５１ｂが強調表示されているものである。区分「２」では、メッセージ欄には「閉じる（推奨値：０．２５ｍｍ）」と記憶され、イメージ図欄には「閉０．２５」と記憶されている。尚、ファイル名「閉０．２５」の画像は、寄り釘を閉じる方向の矢印４５１ａ及び４５１ｂが強調表示されているものである。区分「３」では、メッセージ欄には「調整の必要なし」と記憶され、イメージ図欄には「無調整」と記憶されている。尚、ファイル名「無調整」の画像は、矢印４５１ａ、４５１ｂ、４５２ａ及び４５２ｂを強調表示しないものである。区分「４」では、メッセージ欄には「開ける（推奨値：０．２５ｍｍ）」と記憶され、イメージ図欄には「開０．２５」と記憶されている。尚、ファイル名「開０．２５」の画像は、寄り釘を開ける方向の矢印４５２ａ及び４５２ｂが強調表示されているものである。区分「５」では、メッセージ欄には「開ける（推奨値：０．５０ｍｍ）」と記憶され、イメージ図欄には「開０．５０」と記憶されている。尚、ファイル名「開０．５０」の画像は、寄り釘を開ける方向の矢印４５２ａ及び４５２ｂが強調表示されているものである。区分「６」では、メッセージ欄には「開ける（推奨値：０．７５ｍｍ）」と記憶され、イメージ図欄には「開０．７５」と記憶されている。尚、ファイル名「開０．７５」の画像は、寄り釘を開ける方向の矢印４５２ａ及び４５２ｂが強調表示されているものである。
【０１２４】
４．第１の実施の形態における各処理の説明
次に、図１３乃至図１５のフローチャートを参照して、「第１の実施の形態」について説明する。本実施の形態では、ＨＴ４００で寄り釘チェック処理が実施されると、寄り釘２６の調整具合を示す情報から成る時間情報を要求する要求信号を含む呼出波が送信される。そして、通信用ＩＣタグ２４は、呼出波を受信すると要求信号をＲ／Ｗ基板３１へ受け渡す。そして、Ｒ／Ｗ基板３１では平均時間、平均時間から分類された区分、区分から決定された「寄り釘チェック結果画面」に表示されるメッセージ及びイメージ図の画像データから成る時間情報を通信用ＩＣタグ２４へ返す。そして、通信用ＩＣタグ２４はＲ／Ｗ基板３１から返された時間情報を含む反射波を送信する。ＨＴ４００は、反射波を受信すると、「寄り釘チェック結果画面」を作成して表示パネル４０３に表示する。尚、Ｒ／Ｗ基板３１では、監視用ＩＣタグ８６により大入賞口１６の開放を監視しており、開放時間を計測している。そしてさらに、前回寄り釘チェック処理を行ってから、直近のラウンドの終了までの大入賞口１６の開放時間の平均時間を算出し、平均時間を分類し、分類された区分にしたがって「寄り釘チェック結果画面」に表示されるメッセージ及びイメージ図を決定している。
【０１２５】
図１３は、ＨＴ４００で実施される寄り釘チェック処理のフローチャートである。図１４は、通信用ＩＣタグ２４で実施される通信用ＩＣタグ処理のフローチャートである。図１５は、Ｒ／Ｗ基板３１で実施されるＲ／Ｗ基板処理のフローチャートである。
【０１２６】
まず、図１３のフローチャートを参照して、ＨＴ４００で実施される寄り釘チェック処理について説明する。本処理は、メニュー処理において「寄り釘チェック処理」が選択されると実施され、まず、要求信号を含む反射波がＲＦ回路４１０からアンテナ４０２を介して送信される（Ｓ１）。そして、時間情報を含む反射波を通信用ＩＣタグ２４から受信したか否かの判断が行われる（Ｓ２）。時間情報を含む反射波を受信した場合には（Ｓ２：ＹＥＳ）、受信した時間情報がフラッシュメモリ４１４の時間情報記憶エリア（図示外）に記憶され（Ｓ３）、区分に従って、表示パネル４０３に表示する寄り釘チェック結果画面（図９参照）が作成される（Ｓ５〜Ｓ１５）。尚、時間情報には、平均時間が該当する区分、平均時間、メッセージ、イメージ図の画像データ、反射波を返送した通信用ＩＣタグ２４が備えられているパチンコ機１の台番号が含まれている。尚、台番号はＲ／Ｗ基板３１のＥＥＰＲＯＭ３２に記憶されている。
【０１２７】
区分が「１」である場合には（Ｓ５：ＹＥＳ）、台番号欄には時間情報に含まれている台番号を表示し、１Ｒ平均開放時間欄には時間情報に含まれている平均時間を表示し、釘調整欄には時間情報に含まれているメッセージ「閉じる（推奨値：０．５０ｍｍ）」を表示し、イメージ図には時間情報に含まれている画像データ（寄り釘２６を閉じる側の矢印である矢印４５１ａ及び矢印４５１ｂを赤色に強調表示させるイメージ図）を表示した寄り釘チェック結果画面が作成される（Ｓ６）。区分が「２」である場合には（Ｓ７：ＹＥＳ）、台番号欄には時間情報に含まれている台番号を表示し、１Ｒ平均開放時間欄には時間情報に含まれている平均時間を表示し、釘調整欄には時間情報に含まれているメッセージ「閉じる（推奨値：０．２５ｍｍ）」を表示し、イメージ図には時間情報に含まれている画像データ（寄り釘２６を閉じる側の矢印である矢印４５１ａ及び矢印４５１ｂを赤色に強調表示させるイメージ図）を表示した寄り釘群チェック結果画面が作成される（Ｓ８）。
【０１２８】
区分が「３」である場合には（Ｓ９：ＹＥＳ）、台番号欄には時間情報に含まれている台番号を表示し、１Ｒ平均開放時間欄には時間情報に含まれている平均時間を表示し、釘調整欄には時間情報に含まれているメッセージ「調整の必要なし」を表示し、イメージ図には時間情報に含まれている画像データ（矢印４５２ａ、矢印４５２ｂ、矢印４５１ａ及び矢印４５１ｂを強調表示させないイメージ図）を表示した寄り釘チェック結果画面が作成される（Ｓ１０）。区分が「４」である場合には（Ｓ１１：ＹＥＳ）、台番号欄には時間情報に含まれている台番号を表示し、１Ｒ平均開放時間欄には時間情報に含まれている平均時間を表示し、釘調整欄には時間情報に含まれているメッセージ「開ける（推奨値：０．２５ｍｍ）」を表示し、イメージ図には時間情報に含まれている画像データ（寄り釘２６を開ける側の矢印である矢印４５２ａ及び矢印４５２ｂを赤色に強調表示させるイメージ図）を表示した寄り釘チェック結果画面が作成される（Ｓ１２）。
【０１２９】
区分が「５」である場合には（Ｓ１３：ＹＥＳ）、台番号欄には時間情報に含まれている台番号を表示し、１Ｒ平均開放時間欄には時間情報に含まれている平均時間を表示し、釘調整欄には時間情報に含まれているメッセージ「開ける（推奨値：０．５０ｍｍ）」を表示し、イメージ図には時間情報に含まれている画像データ（寄り釘２６を開ける側の矢印である矢印４５２ａ及び矢印４５２ｂを赤色に強調表示させるイメージ図）を表示した寄り釘チェック結果画面が作成される（Ｓ１４）。区分が「６」である場合には（Ｓ１３：ＮＯ）、台番号欄には時間情報に含まれている台番号を表示し、１Ｒ平均開放時間欄には時間情報に含まれている平均時間を表示し、釘調整欄には時間情報に含まれているメッセージ「開ける（推奨値：０．７５ｍｍ）」を表示し、イメージ図には時間情報に含まれている画像データ（寄り釘２６を開ける側の矢印である矢印４５２ａ及び矢印４５２ｂを赤色に強調表示させるイメージ図）を表示した寄り釘チェック結果画面が作成される（Ｓ１５）。
【０１３０】
そして、寄り釘チェック結果画面が表示パネル４０３に表示される（Ｓ１６）。そして、寄り釘チェック結果画面の戻るボタン４５５が選択されたか否かの判断が行われる（Ｓ１７）。戻るボタン４５５が選択された場合には（Ｓ１７：ＹＥＳ）、処理を終了し、選択されていない場合には（Ｓ１７：ＮＯ）、繰り返し戻るボタン４５５の選択の確認が行われる（Ｓ１７）。
【０１３１】
また、Ｓ２において、時間情報を含む反射波を受信しなかった場合には（Ｓ２：ＮＯ）、その他の情報であるか否かの判断が行われ（Ｓ１８）、例えば、エラー情報等の他の情報である場合には（Ｓ１８：ＹＥＳ）、エラー画面を表示する等のその他の処理を行い（Ｓ１９）、処理を終了する。また、その他の情報を含む反射波も受信しない場合には（Ｓ１８：ＮＯ）、Ｓ２へ戻り、繰り返し時間情報を含む反射波の受信の判断が行われる（Ｓ２）。尚、これらの反射波の受信の判断で、Ｓ１において呼出波を送信した時点から所定時間経過後においてまだ受信がない場合には、タイムアウトとしてエラー画面を表示パネル４０３に表示して、処理を終了するようにしてもよい。
【０１３２】
次に、図１４のフローチャートを参照して、通信用ＩＣタグ２４で実施される通信用ＩＣタグ処理について説明する。本処理は、通信用ＩＣタグ２４で繰り返し実施されている。まず、要求信号を含む反射波をアンテナ２４ｂを介してＲＦ回路２４ａで受信したか否かの判断が行われる（Ｓ３１）。要求信号を含む反射波を受信した場合には（Ｓ３１：ＹＥＳ）、Ｒ／Ｗ基板３１へ要求信号が送信される（Ｓ３２）。そして、Ｓ３１へ戻る。また、要求信号を受信しなかった場合には（Ｓ３１：ＮＯ）、Ｒ／Ｗ基板３１から時間情報を受信したか否かの判断が行われる（Ｓ３３）。時間情報を受信した場合には（Ｓ３３：ＹＥＳ）、時間情報を含む反射波が送信される（Ｓ３４）。そして、Ｓ３１へ戻る。また、時間情報を受信しなかった場合に（Ｓ３３：ＮＯ）、その他の情報をＲ／Ｗ基板３１から受信した、又は、ＲＦ回路２４ａで受信した場合には（Ｓ３５：ＹＥＳ）、その情報に対応した処理が行われ（Ｓ３６）、Ｓ３１へ戻る。その他の情報も受信していない場合には（Ｓ３５：ＮＯ）、Ｓ３１へ戻り、繰り返し受信の判断が行われる。
【０１３３】
次に、図１５を参照して、Ｒ／Ｗ基板３１で実施されるＲ／Ｗ基板処理について説明する。このＲ／Ｗ基板処理では、大入賞口１６の開放時間の計測、平均時間の算出、区分の決定が行われる。そして、通信用ＩＣタグ２４を介してＨＴ４００から送信された要求信号に対して、区分、平均時間、台番号からなる時間情報が作成され、通信用ＩＣタグ２４を介して送信する。本処理は、Ｒ／Ｗ基板３１に電源が投入され、メモリチェック等の初期処理が行われた後に実施される。尚、本処理では、大当たり遊技状態フラグ、開フラグ及び開時間カウンタが使用される。大当たり遊技状態フラグは、パチンコ機１が大当たり遊技状態である場合に「１」が記憶されて「ＯＮ」となり、大当たり遊技状態でない場合には「０」が記憶されて「ＯＦＦ」となる。開フラグは、大入賞口１６が開放されている間は「１」が記憶されて「ＯＮ」となっており、閉鎖されている間は「０」が記憶されて「ＯＦＦ」となっている。また、開時間カウンタは、大入賞口１６が開放された時点で「０」にクリアされ、図示外の時間更新処理により、１ｍｓ毎に１ずつ加算される。
【０１３４】
まず、監視用アンテナ６８から監視用ＩＣタグ８６へ呼出波が送信される（Ｓ５１）。そして、監視用ＩＣタグ８６から反射波が返送された反射波を受信したか否かの判断が行われる（Ｓ５２）。反射波を受信しない場合には（Ｓ５２：ＮＯ）、大入賞口１６が開放されていることになるので、開放時間の計測を開始する。尚、開放時間を計測するのは、大当たり遊技状態中の開放のみであり、例えば、不正により大入賞口１６が開放されているような場合には計測の必要はない。そこで、大当たり遊技状態フラグが「ＯＮ」であるか否かにより、大当たり遊技状態であるか否かの判断が行われる（Ｓ５３）。大当たり遊技状態でなければ（Ｓ５３：ＮＯ）、何もせずにＳ６１へ進む。大当たり遊技状態である場合には（Ｓ５３：ＹＥＳ）、開フラグが「ＯＮ」であるか否かの判断が行われる（Ｓ５４）。開フラグが「ＯＮ」であれば（Ｓ５４：ＹＥＳ）、すでに大入賞口１６の開放開始の処理は実施されているので、何もせずにＳ６１へ進む。開フラグが「ＯＮ」でない場合には（Ｓ５４：ＮＯ）、開フラグが「ＯＮ」とされ（Ｓ５５）、ラウンドカウンタに「１」が加算され（Ｓ５６）、開時間カウンタに「０」が記憶されてクリアされる（Ｓ５７）。そして、Ｓ６１へ進む。
【０１３５】
また、Ｓ５２において、反射波を受信した場合には（Ｓ５２：ＹＥＳ）、大入賞口１６が閉じている。そこで、開フラグが「ＯＮ」であるか否かの判断が行われる（Ｓ５８）。開フラグが「ＯＮ」でなければ（Ｓ５８：ＮＯ）、もともと大入賞口１６は閉じているので、そのままＳ６１へ進む。開フラグが「ＯＮ」であれば（Ｓ５８：ＹＥＳ）、開かれていた大入賞口１６が閉じたことになるので、開フラグが「ＯＦＦ」とされ（Ｓ５９）、開時間カウンタに記憶されている値が、ラウンド数カウンタに記憶されている値のラウンドの計測時間記憶エリア３５１に記憶される（Ｓ６０）。
【０１３６】
次いで、Ｓ６１では、主基板４１から大当たり遊技状態開始信号を受信したか否かの判断が行われる（Ｓ６１）。大当たり遊技状態開始信号を受信したら（Ｓ６１：ＹＥＳ）、大当たり遊技状態フラグが「ＯＮ」とされて（Ｓ６２）、計測時間記憶エリア３５１の値及びラウンドカウンタの値がすべて「０」にクリアされる（Ｓ６３）。そして、Ｓ５１へ戻る。また、大当たり遊技状態開始信号を受信しなかった場合には（Ｓ６１：ＮＯ）、大当たり遊技状態終了信号を受信したか否かの判断が行われる（Ｓ６４）。大当たり遊技状態終了信号を受信した場合には（Ｓ６４：ＹＥＳ）、大当たり遊技状態フラグが「ＯＦＦ」とされ（Ｓ６５）、計測時間記憶エリア３５１に記憶されているすべての開放時間が合計され、その値をラウンドカウンタの値で割ることにより、今回平均時間が算出されて、平均時間記憶エリア３５２の今回平均時間欄に記憶される（Ｓ６６）。そして、平均時間欄に記憶されている値が前回平均時間欄に記憶される（Ｓ６７）。そして、今回平均時間欄の値と前回平均時間欄の値とを足して「２」で割ることにより平均時間を算出し、平均時間記憶エリア３５２の平均時間欄に記憶される（Ｓ６８）。そして、Ｓ５１へ戻る。
【０１３７】
また、大当たり遊技状態終了信号を受信していない場合には（Ｓ６４：ＮＯ）、通信用ＩＣタグ２４から要求信号を受信したか否かの判断が行われる（Ｓ６９）。要求信号を受信していない場合には（Ｓ６９：ＮＯ）、Ｓ５１へ戻る。要求信号を受信した場合には（Ｓ６９：ＹＥＳ）、平均時間欄に記憶されている平均時間により区分の決定を行い、決定された区分、平均時間、Ｒ／Ｗユニット３０が備えられているパチンコ機１の台番号からなる時間情報が送信されて、平均時間欄の値が「０」にクリアされる（Ｓ７０〜Ｓ８１）。
【０１３８】
まず、平均時間が１２秒よりも短いか否かの判断が行われる（Ｓ７０）。１２秒よりも短い場合には（Ｓ７０：ＹＥＳ）、区分は「１」とされ、区分「１」、平均時間欄に記憶されている平均時間、表示情報記憶エリア５００の区分「１」に記憶されているメッセージ、イメージ図の画像データ、当該Ｒ／Ｗユニット３０が備えられているパチンコ機１の台番号から成る時間情報が作成され、通信用ＩＣタグ２４へ送信される（Ｓ７１）。そして、平均時間が１２秒よりも短くない場合には（Ｓ７０：ＮＯ）、１４秒よりも短いか否かの判断が行われる（Ｓ７２）。１４秒よりも短い場合には（Ｓ７２：ＹＥＳ）、区分は「２」とされ、区分「２」、平均時間欄に記憶されている平均時間、表示情報記憶エリア５００の区分「２」に記憶されているメッセージ、イメージ図の画像データ、当該Ｒ／Ｗユニット３０が備えられているパチンコ機１の台番号から成る時間情報が作成され、通信用ＩＣタグ２４へ送信される（Ｓ７３）。
【０１３９】
そして、平均時間が１４秒よりも短くない場合には（Ｓ７２：ＮＯ）、１６秒よりも短いか否かの判断が行われる（Ｓ７４）。１６秒よりも短い場合には（Ｓ７４：ＹＥＳ）、区分は「３」とされ、区分「３」、平均時間欄に記憶されている平均時間、表示情報記憶エリア５００の区分「３」に記憶されているメッセージ、イメージ図の画像データ、当該Ｒ／Ｗユニット３０が備えられているパチンコ機１の台番号から成る時間情報が作成され、通信用ＩＣタグ２４へ送信される（Ｓ７５）。そして、平均時間が１６秒よりも短くない場合には（Ｓ７４：ＮＯ）、１８秒よりも短いか否かの判断が行われる（Ｓ７６）。１８秒よりも短い場合には（Ｓ７６：ＹＥＳ）、区分は「４」とされ、区分「４」、平均時間欄に記憶されている平均時間、表示情報記憶エリア５００の区分「４」に記憶されているメッセージ、イメージ図の画像データ、当該Ｒ／Ｗユニット３０が備えられているパチンコ機１の台番号から成る時間情報が作成され、通信用ＩＣタグ２４へ送信される（Ｓ７７）。
【０１４０】
そして、平均時間が１８秒よりも短くない場合には（Ｓ７６：ＮＯ）、２０秒よりも短いか否かの判断が行われる（Ｓ７８）。２０秒よりも短い場合には（Ｓ７８：ＹＥＳ）、区分は「５」とされ、区分「５」、平均時間欄に記憶されている平均時間、表示情報記憶エリア５００の区分「５」に記憶されているメッセージ、イメージ図の画像データ、当該Ｒ／Ｗユニット３０が備えられているパチンコ機１の台番号から成る時間情報が作成され、通信用ＩＣタグ２４へ送信される（Ｓ７９）。そして、平均時間が２０秒よりも短くない場合には（Ｓ７８：ＮＯ）、区分は「６」とされ、区分「６」、平均時間欄に記憶されている平均時間、表示情報記憶エリア５００の区分「６」に記憶されているメッセージ、イメージ図の画像データ、当該Ｒ／Ｗユニット３０が備えられているパチンコ機１の台番号から成る時間情報が作成され、通信用ＩＣタグ２４へ送信される（Ｓ８０）。そして、平均時間欄の値に「０」が記憶されてクリアされ（Ｓ８１）、Ｓ５１へ戻る。
【０１４１】
以上の処理を繰り返すことにより、Ｒ／Ｗ基板３１では、大入賞口１６の開放時間が計測され、１回の大当たり遊技状態終了度に１ラウンド毎の大入賞口１６の開放時間の平均時間が算出される。そして、ＨＴ４００において寄り釘チェック処理が実施されると、Ｒ／Ｗ基板３１は、通信用ＩＣタグ２４を介して要求信号を受け取り、平均時間、平均時間により決定された区分、画面に表示されるメッセージ、イメージ図の画像データ及び台番号から成る時間情報を含む反射波を、通信用ＩＣタグ２４を介してＨＴ４００へ返送する。ＨＴ４００は返送された時間情報に基づいて、寄り釘チェック結果画面を表示する。したがって、ＨＴ４００を操作する遊技場係員は、寄り釘チェック結果画面を参考にして、大入賞口１６への遊技球の入賞を誘導する寄り釘２６を調整することができる。
【０１４２】
尚、「第１の実施の形態」では、図１５に示すＲ／Ｗ基板処理のＳ５７の処理及び時間更新処理を実施するＣＰＵ３２が「時間計測手段」として機能し、Ｓ６６〜Ｓ６８の処理を実施するＣＰＵ３２が「平均時間算出手段」として機能し、Ｓ７０〜Ｓ８０の処理を実施するＣＰＵ３２が「区分決定手段」として機能し、Ｓ６９の処理を実施するＣＰＵ３２が「要求信号受信手段」として機能し、Ｓ７１，Ｓ７３，Ｓ７５，Ｓ７７，Ｓ７９，Ｓ８０の処理を実施するＣＰＵ３２が「時間情報送信手段」として機能する。Ｒ／Ｗ基板３１のＥＥＰＲＯＭ３５の計測時間記憶エリア３５１が「計測時間記憶手段」に相当する。
【０１４３】
また、図１３に示す寄り釘チェック処理のＳ１の処理を実施するＣＰＵ４１１が「要求信号送信手段」として機能し、Ｓ２の処理を実施するＣＰＵ４１１が「時間情報受信手段」として機能し、Ｓ６，Ｓ８，Ｓ１０，Ｓ１２，Ｓ１４，Ｓ１５，Ｓ１６の処理を実施するＣＰＵ４１１が「表示制御手段」として機能する。表示パネル４０３，メニューキー４０４，方向キー４０５が「要求手段」に相当する。ＨＴ４００のフラッシュメモリ４１４の時間情報記憶エリアが「表示情報記憶手段」に相当する。
【０１４４】
５．第２の実施の形態における各処理の説明
次に、図１６及び図１７のフローチャートを参照して、「第２の実施の形態」について説明する。本実施の形態では、ＨＴ４００で寄り釘チェック処理が実施されると、前回寄り釘チェック処理を行ってから、直近のラウンドの終了までの大入賞口１６の開放時間の平均時間を要求する要求信号を含む呼出波が送信される。そして、通信用ＩＣタグ２４は、呼出波を受信すると要求信号をＲ／Ｗ基板３１へ受け渡し、Ｒ／Ｗ基板３１では、平均時間記憶エリア３５２に記憶されている平均時間、パチンコ機１の台番号から成る時間情報を通信用ＩＣタグ２４へ返す。そして、通信用ＩＣタグ２４はＲ／Ｗ基板３１から返された時間情報を含む反射波を送信する。ＨＴ４００が反射波を受信すると、平均時間を分類し、分類された区分にしたがって「寄り釘チェック結果画面」に表示されるメッセージ及びイメージ図を決定して、寄り釘チェック結果画面を作成し、表示パネル４０３に表示する。尚、Ｒ／Ｗ基板３１では、監視用ＩＣタグ８６により大入賞口１６の開放を監視しており、開放時間を計測している。
【０１４５】
図１６は、ＨＴ４００で実施される寄り釘チェック処理のフローチャートである。図１７は、通信用ＩＣタグ２４で実施される通信用ＩＣタグ処理のフローチャートである。尚、通信用ＩＣタグ処理については、図１４に示す「第１の実施の形態」と同様に、ＨＴ４００から送信された要求信号をＲ／Ｗ基板３１へ受渡、Ｒ／Ｗ基板３１から送信された時間情報を含む反射波を発信しているので、説明を省略する。
【０１４６】
まず、図１６のフローチャートを参照して、ＨＴ４００で実施される寄り釘チェック処理について説明する。本処理は、メニュー処理において「寄り釘チェック処理」が選択されると実施され、まず、要求信号を含む反射波をＲＦ回路４１０からアンテナ４０２を介して送信される（Ｓ１０１）。そして、平均時間及びパチンコ機１の台番号からなる時間情報を含む反射波を通信用ＩＣタグ２４から受信したか否かの判断が行われる（Ｓ１０２）。時間情報を含む反射波を受信した場合には（Ｓ１０２：ＹＥＳ）、受信した時間情報がフラッシュメモリ４１４の時間情報記憶エリア（図示外）に記憶され（Ｓ１０３）、受信した時間情報の中の平均時間により区分の決定を行い、表示パネル４０３に表示する寄り釘チェック結果画面（図９参照）が作成される（Ｓ１０５〜Ｓ１１５）。
【０１４７】
まず、平均時間が１２秒よりも短いか否かの判断が行われる（Ｓ１０５）。１２秒よりも短い場合には（Ｓ１０５：ＹＥＳ）、区分は「１」となる。そして区分が「１」であるので、台番号欄には時間情報に含まれている台番号を表示し、１Ｒ平均開放時間欄には時間情報に含まれている平均時間を表示し、釘調整欄には表示情報記憶エリア５００に、区分「１」に対応してメッセージ欄に記憶されている「閉じる（推奨値：０．５０ｍｍ）」を表示し、イメージ図欄に記憶されている画像データ名のイメージ図（寄り釘２６を閉じる側の矢印である矢印４５１ａ及び矢印４５１ｂを赤色に強調表示させるイメージ図）を表示した寄り釘チェック結果画面が作成される（Ｓ１０６）。
【０１４８】
そして、平均時間が１２秒よりも短くない場合には（Ｓ１０５：ＮＯ）、１４秒よりも短いか否かの判断が行われる（Ｓ１０７）。そして、１４秒よりも短い場合には（Ｓ１０７：ＹＥＳ）、区分は「２」となる。そして区分が「２」であるので、台番号欄には時間情報に含まれている台番号を表示し、１Ｒ平均開放時間欄には時間情報に含まれている平均時間を表示し、釘調整欄には表示情報記憶エリア５００に、区分「２」に対応してメッセージ欄に記憶されている「閉じる（推奨値：０．２５ｍｍ）」を表示し、イメージ図欄に記憶されている画像データ名のイメージ図（寄り釘２６を閉じる側の矢印である矢印４５１ａ及び矢印４５１ｂを赤色に強調表示させるイメージ図）を表示した寄り釘チェック結果画面が作成される（Ｓ１０８）。
【０１４９】
そして、平均時間が１４秒よりも短くない場合には（Ｓ１０７：ＮＯ）、１６秒よりも短いか否かの判断が行われる（Ｓ１０９）。そして、１６秒よりも短い場合には（Ｓ１０９：ＹＥＳ）、区分は「３」となる。そして区分が「３」であるので、台番号欄には時間情報に含まれている台番号を表示し、１Ｒ平均開放時間欄には時間情報に含まれている平均時間を表示し、釘調整欄には表示情報記憶エリア５００に、区分「３」に対応してメッセージ欄に記憶されている「調整の必要なし」を表示し、イメージ図欄に記憶されている画像データ名のイメージ図（矢印４５２ａ、矢印４５２ｂ、矢印４５１ａ及び矢印４５１ｂを強調表示させないイメージ図）を表示した寄り釘チェック結果画面が作成される（Ｓ１１０）。
【０１５０】
そして、平均時間が１６秒よりも短くない場合には（Ｓ１０９：ＮＯ）、１８秒よりも短いか否かの判断が行われる（Ｓ１１１）。そして、１８秒よりも短い場合には（Ｓ１１１：ＹＥＳ）、区分は「４」となる。そして区分が「４」であるので、台番号欄には時間情報に含まれている台番号を表示し、１Ｒ平均開放時間欄には時間情報に含まれている平均時間を表示し、釘調整欄には表示情報記憶エリア５００に、区分「４」に対応してメッセージ欄に記憶されている「開ける（推奨値：０．２５ｍｍ）」を表示し、イメージ図欄に記憶されている画像データ名のイメージ図（寄り釘２６を開ける側の矢印である矢印４５２ａ及び矢印４５２ｂを赤色に強調表示させるイメージ図）を表示した寄り釘チェック結果画面が作成される（Ｓ１１２）。
【０１５１】
そして、平均時間が１８秒よりも短くない場合には（Ｓ１１１：ＮＯ）、２０秒よりも短いか否かの判断が行われる（Ｓ１１３）。そして、２０秒よりも短い場合には（Ｓ１１３：ＹＥＳ）、区分は「５」となる。そして区分が「５」であるので、  台番号欄には時間情報に含まれている台番号を表示し、１Ｒ平均開放時間欄には時間情報に含まれている平均時間を表示し、釘調整欄には表示情報記憶エリア５００に、区分「５」に対応してメッセージ欄に記憶されている「開ける（推奨値：０．５０ｍｍ）」を表示し、イメージ図欄に記憶されている画像データ名のイメージ図（寄り釘２６を開ける側の矢印である矢印４５２ａ及び矢印４５２ｂを赤色に強調表示させるイメージ図）を表示した寄り釘チェック結果画面が作成される（Ｓ１１４）。
【０１５２】
そして、平均時間が２０秒よりも短くない場合には（Ｓ１１３：ＮＯ）、区分は「６」となる。そして区分が「６」であるので、台番号欄には時間情報に含まれている台番号を表示し、１Ｒ平均開放時間欄には時間情報に含まれている平均時間を表示し、釘調整欄には表示情報記憶エリア５００に、区分「６」に対応してメッセージ欄に記憶されている「開ける（推奨値：０．７５ｍｍ）」を表示し、イメージ図欄に記憶されている画像データ名のイメージ図（寄り釘２６を開ける側の矢印である矢印４５２ａ及び矢印４５２ｂを赤色に強調表示させるイメージ図）を表示した寄り釘チェック結果画面が作成される（Ｓ１１５）。
【０１５３】
そして、寄り釘チェック結果画面が表示パネル４０３に表示される（Ｓ１１６）。そして、寄り釘チェック結果画面の戻るボタン４５５が選択されたか否かの判断が行われる（Ｓ１１７）。戻るボタン４５５が選択された場合には（Ｓ１１７：ＹＥＳ）、処理を終了し、選択されていない場合には（Ｓ１１７：ＮＯ）、繰り返し戻るボタン４５５の選択の確認が行われる（Ｓ１１７）。
【０１５４】
また、Ｓ１０２において、時間情報を含む反射波を受信しなかった場合には（Ｓ１０２：ＮＯ）、その他の情報であるか否かの判断が行われ（Ｓ１１８）、例えば、エラー情報等の他の情報である場合には（Ｓ１１８：ＹＥＳ）、エラー画面を表示する等のその他の処理を行い（Ｓ１１９）、処理を終了する。また、その他の情報を含む反射波も受信しない場合には（Ｓ１１８：ＮＯ）、Ｓ１０２へ戻り、繰り返し時間情報を含む反射波の受信の判断が行われる（Ｓ１０２）。尚、これらの反射波の受信の判断で、Ｓ１０１において呼出波を送信した時点から所定時間経過後においてまだ受信がない場合には、タイムアウトとしてエラー画面を表示パネル４０３に表示して、処理を終了するようにしてもよい。
【０１５５】
次に、図１７を参照して、Ｒ／Ｗ基板３１で実施されるＲ／Ｗ基板処理について説明する。このＲ／Ｗ基板処理では、大入賞口１６の開放時間を計測し、通信用ＩＣタグ２４から送信された要求信号に対して、平均時間を通信用ＩＣタグ２４へ送信する。本処理は、Ｒ／Ｗ基板３１に電源が投入され、メモリチェック等の初期処理が行われた後に実施される。尚、本処理では、大当たり遊技状態フラグ、開フラグ及び開時間カウンタが使用される。大当たり遊技状態フラグは、パチンコ機１が大当たり遊技状態である場合に「１」が記憶されて「ＯＮ」となり、大当たり遊技状態でない場合には「０」が記憶されて「ＯＦＦ」となる。開フラグは、大入賞口１６が開放されている間「１」が記憶されて「ＯＮ」となっており、閉鎖されている間は「０」が記憶されて「ＯＦＦ」となっている。また、開時間カウンタは、大入賞口１６が開放された時点で「０」にクリアされ、図示外の時間更新処理により、１ｍｓ毎に１ずつ加算される。
【０１５６】
まず、監視用アンテナ６８から監視用ＩＣタグ８６へ呼出波が送信される（Ｓ１５１）。そして、監視用ＩＣタグ８６から反射波が返送された反射波を受信したか否かの判断が行われる（Ｓ１５２）。反射波を受信しない場合には（Ｓ１５２：ＮＯ）、大入賞口１６が開放されていることになるので、開放時間の計測を開始する。そこで、開放時間を計測するのは、大当たり遊技状態中の開放のみであり、例えば、不正により大入賞口１６が開放されているような場合には計測の必要はない。そこで、大当たり遊技状態フラグが「ＯＮ」であるか否かにより、大当たり遊技状態であるか否かの判断が行われる（Ｓ１５３）。大当たり遊技状態でなければ（Ｓ１５３：ＮＯ）、何もせずにＳ１６１へ進む。大当たり遊技状態である場合には（Ｓ１５３：ＹＥＳ）、開フラグが「ＯＮ」であるか否かの判断が行われる（Ｓ１５４）。開フラグが「ＯＮ」であれば（Ｓ１５４：ＹＥＳ）、すでに大入賞口１６の開放開始の処理は実施されているので、何もせずにＳ１６１へ進む。開フラグが「ＯＮ」でない場合には（Ｓ１５４：ＮＯ）、開フラグが「ＯＮ」とされ（Ｓ１５５）、ラウンドカウンタに「１」が加算され（Ｓ１５６）、開時間カウンタに「０」が記憶されてクリアされる（Ｓ１５７）。そして、Ｓ１６１へ進む。
【０１５７】
また、Ｓ１５２において、反射波を受信した場合には（Ｓ１５２：ＹＥＳ）、大入賞口１６が閉じている。そこで、開フラグが「ＯＮ」であるか否かの判断が行われる（Ｓ１５８）。開フラグが「ＯＮ」でなければ（Ｓ１５８：ＮＯ）、もともと大入賞口１６は閉じているので、そのままＳ６１へ進む。開フラグが「ＯＮ」であれば（Ｓ１５８：ＹＥＳ）、開かれていた大入賞口１６が閉じたことになるので、開フラグが「ＯＦＦ」とされ（Ｓ１５９）、開時間カウンタに記憶されている値が、ラウンド数カウンタに記憶されている値のラウンドの計測時間記憶エリア３５１に記憶される（Ｓ１６０）。
【０１５８】
次いで、Ｓ１６１では、主基板４１から大当たり遊技状態開始信号を受信したか否かの判断が行われる（Ｓ１６１）。大当たり遊技状態開始信号を受信したら（Ｓ１６１：ＹＥＳ）、大当たり遊技状態フラグが「ＯＮ」とされて（Ｓ１６２）、計測時間記憶エリア３５１の値及びラウンドカウンタの値がすべて「０」にクリアされる（Ｓ１６３）。そして、Ｓ１５１へ戻る。また、大当たり遊技状態開始信号を受信しなかった場合には（Ｓ１６１：ＮＯ）、大当たり遊技状態終了信号を受信したか否かの判断が行われる（Ｓ１６４）。大当たり遊技状態終了信号を受信した場合には（Ｓ１６４：ＹＥＳ）、大当たり遊技状態フラグが「ＯＦＦ」とされ（Ｓ１６５）、計測時間記憶エリア３５１に記憶されているすべての開放時間を合計し、その値をラウンドカウンタの値で割ることにより、今回平均時間を算出して、平均時間記憶エリア３５２の今回平均時間欄に記憶される（Ｓ１６６）。そして、平均時間欄に記憶されている値が前回平均時間欄に記憶される（Ｓ１６７）。そして、今回平均時間欄の値と前回平均時間欄の値とを足して「２」で割ることにより平均時間が算出され、平均時間記憶エリア３５２の平均時間欄に記憶される（Ｓ１６８）。そして、Ｓ１５１へ戻る。
【０１５９】
また、大当たり遊技状態終了信号を受信していない場合には（Ｓ１６４：ＮＯ）、通信用ＩＣタグ２４から要求信号を受信したか否かの判断が行われる（Ｓ１６９）。要求信号を受信していない場合には（Ｓ１６９：ＮＯ）、Ｓ１５１へ戻る。要求信号を受信した場合には（Ｓ１６９：ＹＥＳ）、平均時間及びパチンコ機１の台番号からなる時間情報が通信用ＩＣタグ２４へ送信され（Ｓ１７０）、Ｓ１５１へ戻る。
【０１６０】
以上の処理を繰り返すことにより、Ｒ／Ｗ基板３１では、大入賞口１６の開放時間が計測され、１回の大当たり遊技状態終了度に１ラウンド毎の大入賞口１６の開放時間の平均時間が算出される。そして、ＨＴ４００において寄り釘チェック処理が実施されると、Ｒ／Ｗ基板３１は、通信用ＩＣタグ２４を介して要求信号を含む呼出波を受け取り、平均時間及び台番号を含む反射波を、通信用ＩＣタグ２４を介してＨＴ４００へ返送する。ＨＴ４００は返送された平均時間に基づいて区分を決定し、寄り釘チェック結果画面を表示する。したがって、ＨＴ４００を操作する遊技場係員は、寄り釘チェック結果画面を参考にして、大入賞口１６への遊技球の入賞を誘導する寄り釘２６を調整することができる。
【０１６１】
尚、「第２の実施の形態」では、図１７に示すＲ／Ｗ基板処理のＳ１５７の処理及び時間更新処理を実施するＣＰＵ３２が「時間計測手段」として機能し、Ｓ１６６〜Ｓ１６８の処理を実施するＣＰＵ３２が「平均時間算出手段」として機能し、Ｓ１６９の処理を実施するＣＰＵ３２が「要求信号受信手段」として機能し、Ｓ１７０の処理を実施するＣＰＵ３２が「時間情報送信手段」として機能する。Ｒ／Ｗ基板３１のＥＥＰＲＯＭ３５の計測時間記憶エリア３５１が「計測時間記憶手段」に相当する。
【０１６２】
また、図１６に示す寄り釘チェック処理のＳ１０１の処理を実施するＣＰＵ４１１が「要求信号送信手段」として機能し、Ｓ１０２の処理を実施するＣＰＵ４１１が「時間情報受信手段」として機能し、Ｓ１０５〜Ｓ１１５の処理を実施するＣＰＵ４１１が「区分決定手段」として機能し、Ｓ１０５〜Ｓ１１５の処理を実施するＣＰＵ４１１が「選択手段」として機能し、Ｓ１０６，Ｓ１０８，Ｓ１１０，Ｓ１１２，Ｓ１１４，Ｓ１１５の処理を実施するＣＰＵ４１１が「表示制御手段」として機能する。表示パネル４０３，メニューキー４０４，方向キー４０５が「要求手段」に相当する。ＨＴ４００のＲＯＭ４１２の表示情報記憶エリア５００が「表示情報記憶手段」に相当する。
【０１６３】
６．第３の実施の形態の説明
次に、図１８乃至図２４を参照して「第３の実施の形態」について説明する。本実施の形態では、ホールコンピュータ３００において、「開放時間処理」が実施されると、パチンコ機１の大入賞口１６の開放時間が表示される。図１８は、遊技機管理システムのシステム構成図である。図１９は、ホールコンピュータ３００の電気的構成を示すブロック図である。図２０は、ホールコンピュータ３００に表示される開放時間画面３９０のイメージ図である。図２１は、Ｒ／Ｗ基板３１のＥＥＰＲＯＭ３５の開放時間記憶エリア３５３の模式図である。図２２は、ホールコンピュータ３００のハードディスク３６０の時間情報記憶エリア３６１の模式図である。図２３は、ホールコンピュータ処理のフローチャートである。図２４は、Ｒ／Ｗ基板処理のフローチャートである。
【０１６４】
まず、図１８を参照して、「第３の実施の形態」における遊技機管理システムについて説明する。パチンコ機１にはパチンコ機１の部材の監視を行うＲ／Ｗユニット３０が付属しており、遊技場内にある複数台のパチンコ機１を背中合わせに２列に並べて設置した遊技機設置島２００が形成されている。さらに、パチンコ機１に付属のＲ／Ｗユニット３０は、「外部情報端末」であるホールコンピュータ３００に店内ネットワーク１５０を介して接続している。
【０１６５】
次に、図１９を参照して、ホールコンピュータ３００の電気的構成について説明する。図１９に示すように、ホールコンピュータ３００には、ホールコンピュータ３００の制御を司るＣＰＵ３０１が設けられ、ＣＰＵ３０１には、各種のデータを一時的に記憶するＲＡＭ３０２と、ＢＩＯＳ等を記憶したＲＯＭ３０３と、データの受け渡しの仲介を行うＩ／Ｏインタフェイス３０４とが接続されている。Ｉ／Ｏインタフェイス３０４には、ハードディスク３６０が接続されている。また、Ｉ／Ｏインタフェイス３０４には、ビデオコントローラ３０５と、キーコントローラ３０６と、ＣＤ−ＲＯＭドライブ３０７と、ＬＡＮカード３０８とが接続され、ビデオコントローラ３０５にはディスプレイ３０９が接続され、キーコントローラ３０６にはキーボード３１０が接続され、ＬＡＮカード３０８にはルータ３１１が接続され、店内ネットワーク１５０に接続可能となっている。尚、この店内ネットワーク１５０は有線であっても、無線であってもどちらでもよい。
【０１６６】
また、当該ハードディスク３６０には、各パチンコ機１の大入賞口１６の開放時間を記憶する時間情報記憶エリア３６１と、ディスプレイ３０９に表示される画面の情報等が記憶されている画面情報記憶エリア３６２と、ＣＰＵ３０１で実行されるプログラムを記憶したプログラム記憶エリア３６３と、その他の情報記憶エリア３６４とが設けられている。なお、ＣＤ−ＲＯＭドライブ３０７に挿入されるＣＤ−ＲＯＭ３１２には、ホールコンピュータ３００の制御プログラムが記憶されており、導入時には、制御プログラムは、ＣＤ−ＲＯＭ３１２から、ハードディスク３６０にセットアップされてプログラム記憶エリア３６３に記憶されるようになっている。
【０１６７】
次に、図２０のイメージ図を参照して、ホールコンピュータ３００のディスプレイ３０９に表示される開放時間画面３９０を説明する。図２０に示すように、開放時間画面３９０の画面上部には「大入賞口開放時間一覧表」と表題が表示されており、その下部に台番号欄、日付欄、時刻欄、開放時間欄が設けられている。尚、開放時間欄は１回から１６回までの１６回のラウンドの開放時間欄から成っている。よって、開放時間画面３９０には、台番号毎に、大当たり遊技状態毎の各ラウンドの大入賞口１６の開放時間が表示されている。
【０１６８】
次に図２１を参照して、Ｒ／Ｗユニット３０のＥＥＰＲＯＭ３５の開放時間記憶エリア３５３について説明する。この開放時間記憶エリア３５３には、日付欄、時刻欄、開放時間欄が設けられており、開放時間欄はさらに、１回〜１６回のラウンド回数欄が設けられている。日付欄には、そのデータが発生した日付、すなわち大当たり遊技が行われた日付が記憶される。時刻欄には、そのデータが発生した時刻、すなわち大当たり遊技状態となった時刻が記憶される。単位はミリ秒である。開放時間欄の各ラウンド回数欄には、各ラウンドでの大入賞口１６の開放時間が記憶される。ラウンド回数１欄には、１回目のラウンドの開放時間が記憶される。
【０１６９】
図２１に示す例では、２００３年６月２４日の１１：０５に生起された大当たり遊技状態での１回目のラウンドでは１７５３５ミリ秒大入賞口１６が開放されており、２回目のラウンドでは１６５８４ミリ秒開放されており、３回目のラウンドでは１７２４５ミリ秒開放されており、４回目〜１５回目のラウンドの開放時間は省略され、１６回目のラウンドでは１６８７８ミリ秒開放されている。２００３年６月２４日の１５：３８に生起された大当たり遊技状態での１回目のラウンドでは１６８４５ミリ秒大入賞口１６が開放されており、２回目のラウンドでは１５７８４ミリ秒開放されており、３回目のラウンドでは１６９８９ミリ秒開放されており、４回目〜１５回目のラウンドの開放時間は省略され、１６回目のラウンドでは１６２４５ミリ秒開放されている。２００３年６月２４日の１５：５８に生起された大当たり遊技状態での１回目のラウンドでは１４６５８ミリ秒大入賞口１６が開放されており、２回目のラウンドでは１６８８８ミリ秒開放されており、３回目のラウンドでは１５６９８ミリ秒開放されており、４回目〜１５回目のラウンドの開放時間は省略され、１６回目のラウンドでは１７１２３ミリ秒開放されている。以降のデータは省略されている。
【０１７０】
次に図２２を参照して、ホールコンピュータ３００のハードディスク３６０の時間情報記憶エリア３６１について説明する。この時間情報記憶エリア３６１には、台番号欄、日付欄、時刻欄、開放時間欄が設けられており、開放時間欄はさらに、１〜１６のラウンド回数欄が設けられている。台番号欄にはパチンコ機１の台番号が割り当てられており、パチンコ機１のＲ／Ｗユニット３０から受信した時間情報が記憶される。
【０１７１】
図２２に示す例では、台番号１００において、２００３年６月２４日の１１：０５に生起された大当たり遊技状態での１回目のラウンドでは１７５３５ミリ秒大入賞口１６が開放されており、２回目のラウンドでは１６５８４ミリ秒開放されており、３回目のラウンドでは１７２４５ミリ秒開放されており、４回目〜１５回目のラウンドの開放時間は省略され、１６回目のラウンドでは１６８７８ミリ秒開放されている。２００３年６月２４日の１５：３８に生起された大当たり遊技状態での１回目のラウンドでは１６８４５ミリ秒大入賞口１６が開放されており、２回目のラウンドでは１５７８４ミリ秒開放されており、３回目のラウンドでは１６９８９ミリ秒開放されており、４回目〜１５回目のラウンドの開放時間は省略され、１６回目のラウンドでは１６２４５ミリ秒開放されている。２００３年６月２４日の１５：５８に生起された大当たり遊技状態での１回目のラウンドでは１４６５８ミリ秒大入賞口１６が開放されており、２回目のラウンドでは１６８８８ミリ秒開放されており、３回目のラウンドでは１５６９８ミリ秒開放されており、４回目〜１５回目のラウンドの開放時間は省略され、１６回目のラウンドでは１７１２３ミリ秒開放されている。以降のデータは省略されている。
【０１７２】
また、台番号１０１において、２００３年６月２４日の１０：１２に生起された大当たり遊技状態での１回目のラウンドでは１７２３８ミリ秒大入賞口１６が開放されており、２回目のラウンドでは１６８４５ミリ秒開放されており、３回目のラウンドでは１６８７５ミリ秒開放されており、４回目〜１５回目のラウンドの開放時間は省略され、１６回目のラウンドでは１６９９９ミリ秒開放されている。２００３年６月２４日の１０：３０に生起された大当たり遊技状態での１回目のラウンドでは１７０９８ミリ秒大入賞口１６が開放されており、２回目のラウンドでは１６７５４ミリ秒開放されており、３回目のラウンドでは１７００６ミリ秒開放されており、４回目〜１５回目のラウンドの開放時間は省略され、１６回目のラウンドでは１７４８６ミリ秒開放されている。２００３年６月２４日の１８：２１に生起された大当たり遊技状態での１回目のラウンドでは１６８７５ミリ秒大入賞口１６が開放されており、２回目のラウンドでは１５７４２ミリ秒開放されており、３回目のラウンドでは１７２３４ミリ秒開放されており、４回目〜１５回目のラウンドの開放時間は省略され、１６回目のラウンドでは１６４５３ミリ秒開放されている。以降の台番号１０１のデータ及び以降の台番号のデータは省略されている。
【０１７３】
次に、図２３のフローチャートを参照して、ホールコンピュータ処理について説明する。本処理は、ホールコンピュータ３００において、開放時間取得メニューが選択された場合に実施される。ここでは、ホールコンピュータ３００に接続している全てのパチンコ機１のＲ／Ｗユニット３０へ開放時間の送信を要求する要求信号を送信し、Ｒ／Ｗユニット３０から返送されてくる開放時間を含む時間情報を受信して、開放時間画面３９０を作成してディスプレイ３０９へ表示する。
【０１７４】
まず、店内ネットワーク１５０を介して、全てのＲ／Ｗユニット３０に、開放時間の送信を要求する要求信号が送信される（Ｓ２０１）。そして、受信台数カウンタに初期値の「０」が記憶される（Ｓ２０２）。この受信台数カウンタは、全てのＲ／Ｗユニット３０から時間情報が返送されたか否かを判断するためのカウンタであり、１台のパチンコ機のＲ／Ｗユニット３０から時間情報を受信すると、「１」加算される。そこで、まず受信台数カウンタの値がパチンコ機１の総数以上であるか否かにより、全パチンコ機１のＲ／Ｗユニット３０から時間情報が送られてきたか否かの判断が行われる（Ｓ２０３）。総数以上でなければ（Ｓ２０３：ＮＯ）、まだ全台の受信が完了していない。そして、Ｓ２０１において要求信号を送信してから所定時間（例えば１分）経過したか否かの判断が行われる（Ｓ２０４）。所定時間経過していなければ（Ｓ２０４：ＮＯ）、Ｒ／Ｗユニット３０から時間情報を受信したか否かの判断が行われる（Ｓ２０５）。受信していれば、受信台数カウンタに「１」が加算され（Ｓ２０６）、受信した時間情報がハードディスク３６０の時間情報記憶エリア３６１の台番号に対応したエリアに記憶される（Ｓ２０７）。そして、Ｓ２０３へ戻る。また、時間情報を受信していない場合には、何もせずにＳ２０３へ戻る。
【０１７５】
そして、受信台数カウンタの値がパチンコ機１の総数以上となるか（Ｓ２０３：ＹＥＳ）、所定時間を経過して、タイムアウトとなったら（Ｓ２０４：ＹＥＳ）、時間情報記憶エリア３６１に記憶されている情報に基づいて開放時間画面３９０を作成して（Ｓ２０８）、ディスプレイ３０９へ開放時間画面３９０を表示して（Ｓ２０９）、処理を終了する。
【０１７６】
次に、図２４のフローチャートを参照して、Ｒ／Ｗ基板処理について説明する。ここでは、監視用ＩＣタグ８６を監視することにより、大入賞口１６の開放時間が測定されている。また、ホールコンピュータ３００から要求信号を受信すると、開放時間記憶エリア３５３に記憶されているデータが時間情報としてホールコンピュータ３００へ送信される。
【０１７７】
まず、監視用アンテナ６８から監視用ＩＣタグ８６へ呼出波が送信される（Ｓ２５１）。そして、監視用ＩＣタグ８６から反射波が返送された反射波を受信したか否かの判断が行われる（Ｓ２５２）。反射波を受信しない場合には（Ｓ２５２：ＮＯ）、大入賞口１６が開放されていることになるので、開放時間の計測を開始する。そこで、開放時間を計測するのは、大当たり遊技状態中の開放のみであり、例えば、不正により大入賞口１６が開放されているような場合には計測の必要はない。そこで、大当たり遊技状態フラグが「ＯＮ」であるか否かにより、大当たり遊技状態であるか否かの判断が行われる（Ｓ２５３）。大当たり遊技状態でなければ（Ｓ２５３：ＮＯ）、何もせずにＳ２６１へ進む。大当たり遊技状態である場合には（Ｓ２５３：ＹＥＳ）、開フラグが「ＯＮ」であるか否かの判断が行われる（Ｓ２５４）。開フラグが「ＯＮ」であれば（Ｓ２５４：ＹＥＳ）、すでに大入賞口１６の開放開始の処理は実施されているので、何もせずにＳ２６１へ進む。開フラグが「ＯＮ」でない場合には（Ｓ２５４：ＮＯ）、開フラグが「ＯＮ」とされ（Ｓ２５５）、ラウンドカウンタに「１」が加算され（Ｓ２５６）、開時間カウンタに「０」が記憶されてクリアされる（Ｓ２５７）。そして、Ｓ２６１へ進む。
【０１７８】
また、Ｓ２５２において、反射波を受信した場合には（Ｓ２５２：ＹＥＳ）、大入賞口１６が閉じている。そこで、開フラグが「ＯＮ」であるか否かの判断が行われる（Ｓ２５８）。開フラグが「ＯＮ」でなければ（Ｓ２５８：ＮＯ）、もともと大入賞口１６は閉じているので、そのままＳ２６１へ進む。開フラグが「ＯＮ」であれば（Ｓ２５８：ＹＥＳ）、開かれていた大入賞口１６が閉じたことになるので、開フラグが「ＯＦＦ」とされ（Ｓ２５９）、開時間カウンタに記憶されている値が、ラウンド数カウンタに記憶されている値のラウンドの開放時間記憶エリア３５３に記憶される（Ｓ２６０）。
【０１７９】
次いで、Ｓ２６１では、主基板４１から大当たり遊技状態開始信号を受信したか否かの判断が行われる（Ｓ２６１）。大当たり遊技状態開始信号を受信したら（Ｓ２６１：ＹＥＳ）、大当たり遊技状態フラグが「ＯＮ」とされて（Ｓ２６２）、ラウンドカウンタの値が「０」にクリアされる（Ｓ２６３）。そして、Ｓ２５１へ戻る。また、大当たり遊技状態開始信号を受信しなかった場合には（Ｓ２６１：ＮＯ）、大当たり遊技状態終了信号を受信したか否かの判断が行われる（Ｓ２６４）。大当たり遊技状態終了信号を受信した場合には（Ｓ２６４：ＹＥＳ）、大当たり遊技状態フラグが「ＯＦＦ」とされ（Ｓ２６５）、Ｓ２５１へ戻る。
【０１８０】
また、大当たり遊技状態終了信号を受信していない場合には（Ｓ２６４：ＮＯ）、ホールコンピュータ３００から要求信号を受信したか否かの判断が行われる（Ｓ２６６）。要求信号を受信していない場合には（Ｓ２６６：ＮＯ）、Ｓ２５１へ戻る。要求信号を受信した場合には（Ｓ２６６：ＹＥＳ）、開放時間記憶エリア３５３に記憶されているデータが時間情報としてホールコンピュータ３００へ送信され（Ｓ２６７）、開放時間記憶エリア３５３の値がすべて「０」にクリアされる（Ｓ２６８）。そして、Ｓ２５１へ戻る。
【０１８１】
尚、「第３の実施の形態」では、図２４に示すＲ／Ｗ基板処理のＳ２５７及び時間更新処理を実施するＣＰＵ３２が「時間計測手段」として機能し、Ｓ２６６の処理を実施するＣＰＵ３２が「要求信号受信手段」として機能し、Ｓ２６７の処理を実施するＣＰＵ３２が「時間情報送信手段」として機能する。Ｒ／Ｗ基板３１のＥＥＰＲＯＭ３５の開放時間記憶エリア３５３が「計測時間記憶手段」に相当する。また、図２３に示すホールコンピュータ処理のＳ２０１の処理を実行するＣＰＵ３０１が「要求信号送信手段」として機能し、Ｓ２０５の処理を実行するＣＰＵ３０１が「時間情報受信手段」として機能し、Ｓ２０８，Ｓ２０９の処理を実行するＣＰＵ３０１が「計測時間表示制御手段」として機能する。ディスプレイ３０９が「表示手段」に相当し、キーボード３１０が「要求手段」に相当する。
【０１８２】
７．変形例の説明
尚、本発明は、以上詳述した実施の形態に限定されるものではなく、種々の変更が可能である。以下に、本発明を適用する実施の形態の変形例について説明する。まず、本実施形態では遊技機としてパチンコ機を例に挙げているが、遊技機はパチンコ機に限られず、パチコン機等の可動部材を設けた入賞装置を持つ各種の遊技機に適用可能である。
【０１８３】
また、上記実施の形態では、大入賞口１６を「入賞装置」とし、大当たり遊技状態中に大入賞口１６が開放されている状態を「特別状態」として、大入賞口１６の開放時間を計測している。しかしながら、「入賞装置」はこれに限らず、特別図柄始動電動役物１５等の他の可動部材を設けた入賞装置であってもよい。したがって、障害部材は大入賞口１６への入賞に作用を及ぼす寄り釘２６に限らず、特別図柄始動電動役物１５への入賞に作用を及ぼす寄り釘であってもよい。さらに、障害部材は、遊技領域４上に設けられた遊技球の流下に作用して、入賞装置への入賞を作用するものであれば、他の位置に配置された釘や電飾部材、風車等であってもよい。また、入賞装置への遊技球の入賞率が高くなる状態を特別状態としたが、入賞装置への入賞率が通常よりも低くなる状態を特別状態としてもよい。また、大当たり遊技状態を「特別状態」として大当たり遊技状態の開始から終了までの時間を計測してもよい。そして、その計測時間の平均時間を求めてもよい。
【０１８４】
また、上記実施の形態では、Ｒ／Ｗユニット３０はパチンコ機１の背面に設置されているが、Ｒ／Ｗユニット３０の設置場所はパチンコ機１の背面に限らず、パチンコ機１の上部や、隣のパチンコ機１との間、球貸し機等のカードサンドの背面、上部等の遊技機設置島２００の所定の位置であってもよい。また、１つのＲ／Ｗユニット３０が１つのパチンコ機１に接続するだけではなく、複数のパチンコ機１を接続して監視してもよい。
【０１８５】
また、上記実施の形態では、ＩＣタグを利用し、開閉扉１６ａの表面に監視用ＩＣタグ８６を貼り付け、開口部１６ｂである大入賞口１６の周囲には、監視用ＩＣタグ８６を囲むようにループ形状の監視用アンテナ６８を設けて、大入賞口１６の開放を検出した。しかし、大入賞口１６の開放を検出するためには、ＩＣタグとアンテナによる通信を利用する方法に限らない。例えば、前面扉１１１のガラス板の大入賞口１６に対面する位置に、赤外線を発光する発光部材と反射した赤外線を受信する受信部材とを設ける。そして、赤外線を発光し、大入賞口１６の開閉扉１６ａからの反射を受信部材で検知し、反射を検知できない場合には、大入賞口１６が開放されていると判断するようにしてもよい。また、大入賞口１６の開閉扉１６ａが閉じられている状態で開閉扉１６ａを検知することが可能なセンサを設けて大入賞口１６の開放を検出してもよい。また、ＩＣタグは１３．５６ＭＨｚの短波帯で通信を行うものに限らず、他の周波数のものであってもよい。
【０１８６】
また、「第１の実施の形態」及び「第２の実施の形態」では、１回の大当たり遊技状態終了度に１ラウンド毎の大入賞口１６の開放時間の平均時間を算出し、前回の寄り釘チェック処理が実施されてから、直近のラウンドまでの開放時間の平均時間との平均時間を算出している。しかし、平均時間の算出方法はこの方法に限らず、前回の寄り釘チェック処理が実施されてから直近のラウンドまでの開放時間を全て記憶しておき、それらを全て合計して、合計したラウンド数で割り、一度に平均時間を算出してもよい。また、平均時間を求める期間は、前回の寄り釘チェック処理が行われてからに限らず、１日毎、１週間毎、３日毎、所定時間毎等の間隔で平均時間を算出し、記憶したり、平均時間を求める期間を指定するようにしてもよい。また、大当たり遊技状態終了の度に平均時間を求めるのではなく、ラウンドが終了する毎に平均時間を求めてもよい。
【０１８７】
また、「第１の実施の形態」及び「第２の実施の形態」では、ＨＴ４００は通信用ＩＣタグを介してＲ／Ｗ基板３１と通信を行っているが、通信用ＩＣタグを用いずに通信を行うようにしてもよい。例えば、Ｒ／Ｗ基板３１及びＨＴ４００に無線通信回路を設け、無線通信を行ってもよい。また、Ｒ／Ｗユニット３０に赤外線通信回路を設け、ＨＴ４００の赤外線通信回路４０８と通信を行ってもよい。また、Ｒ／Ｗユニット３０及びＨＴ４００に接続コネクタを設け、ケーブル等を用いた有線通信を行ってもよい。
【０１８８】
また、「第１の実施の形態」及び「第２の実施の形態」では、平均時間により６つの区分に分類しているが、分類方法はこれに限らず、さらに細かくても、また、大まかでもよい。また、釘の調整具合の指示方法も、上記の例に限らず、他のメッセージを表示したり、他のイメージ画像を表示してもよい。
【０１８９】
また、「第１の実施の形態」では、Ｒ／Ｗユニット３０で平均時間を算出し、ＨＴ４００はＲ／Ｗユニット３０から平均時間を取得して、ＨＴ４００のＣＰＵ４０１において区分の決定、表示メッセージやイメージ図の決定を行っている。また、「第２の実施の形態」では、Ｒ／Ｗユニット３０で平均時間の算出、区分の決定、表示メッセージやイメージ図の決定を行い、ＨＴ４００は決定された表示メッセージやイメージ図を取得している。しかし、各処理を行う機器は、上記実施の形態のパターンに限らず、Ｒ／Ｗユニット３０がＨＴ４００へ計測時間を引き渡し、ＨＴ４００で平均時間の算出、区分の決定、表示メッセージやイメージ図の決定を行ってもよい。また、Ｒ／Ｗユニット３０にて、平均時間の算出及び区分の決定を行い、ＨＴ４００へ区分を引き渡し、ＨＴ４００にて表示メッセージやイメージ図の決定のみを行うようにしてもよい。また、これらの処理を通信用ＩＣタグ２４のＣＰＵ２４ａで行うようにしてもよい。
【０１９０】
さらに、「第１の実施の形態」及び「第２の実施の形態」では、表示パネル４０３に平均時間、釘調整の指示を行うメッセージやイメージ図を表示しているが（釘チェック結果画面）、メッセージやイメージ図を表示せずに、直近の計測時間を表示したり、所定期間（例えば、本日分、直近の３時間分、１週間分等）の計測時間の履歴を表示したり、所定期間（例えば、本日分、直近の３時間分、１週間分等）の平均時間の履歴を表示したり、直近の区分を表示したり、所定期間（例えば、本日分、直近の３時間分、１週間分等）の区分の履歴を表示したりしてもよい。また、所定時間（例えば１８秒）以上の計測時間のみを表示したり、所定時間（例えば１８秒）以上の平均時間のみを表示したりしてもよい。尚、この場合には、遊技場係員がこれらデータからどのように釘調整を行うのかを経験により判断したり、予め準備されているマニュアル等に照らし合わせて釘調整を行うことになる。また、計測時間や平均時間を表示する場合には、値のみを表示するに限らず、グラフを利用してもよい。
【０１９１】
また、「第１の実施の形態」及び「第２の実施の形態」では、ＨＴ４００ではパチンコ機１の台番号の指定は行わず、Ｒ／Ｗ基板３１に記憶されている台番号を時間情報に載せ、寄り釘チェック結果画面に表示している。ここで、Ｒ／Ｗ基板３１に記憶されている台番号を用いずに、通信用ＩＣタグ２４に記憶されている台番号を使用してもよい。また、寄り釘チェック処理を実施する際に、台番号の指定を行うようにしてもよい。この場合には、要求信号に台番号を載せ、通信用ＩＣタグ２４又はＲ／Ｗ基板３１において、記憶されている台番号と照合したり、通信用ＩＣタグ２４の識別情報をあらかじめＨＴ４００に記憶しておき、要求信号に識別情報を載せて発信し、通信用ＩＣタグ２４において自身に記憶されている識別情報と照合してもよい。
【０１９２】
また、「第３の実施の形態」では、ホールコンピュータ３００に大入賞口１６の開放時間の履歴を表示しているが、ホールコンピュータ３００に表示する情報は開放時間の履歴に限らず、開放時間の平均時間、平均時間により分類された区分、又は、障害部材の調整を指示する文言や図柄であってもよい。また、所定時間（例えば１８秒）以上の計測時間のみを表示したり、所定時間（例えば１８秒）以上の平均時間のみを表示したりしてもよい。また、開放時間や平均時間を表示する場合には、値のみを表示するに限らず、グラフを利用してもよい。また、計測時間や平均時間、区分を表示するのではなく、計測時間又は平均時間が所定時間以上のパチンコ機１や、特定の区分のパチンコ機１の台番号のみを表示してもよい。
【０１９３】
【発明の効果】
以上、説明したように、請求項１に係る発明の遊技機管理システムでは、監視手段の状態検出手段は、可動部材の動作により遊技機が特別状態となっていることを検出することができ、遊技機に設置することができる。時間計測手段は、状態検出手段の検出結果に基づいて遊技機が特別状態である時間を計測し、計測時間記憶手段は、時間計測手段により計測された計測時間を記憶し、要求信号受信手段は、少なくとも計測時間を含む時間情報の送信を要求する要求信号を外部情報端末から受信し、時間情報送信手段は、要求信号受信手段が要求信号を受信し、時間情報を外部情報端末へ送信することができる。また、外部情報端末の表示手段は、文字、数字又は画像のうちの少なくとも１つを表示し、要求手段は、時間情報の取得を監視手段へ要求し、要求信号送信手段は、要求手段により時間情報の取得の要求が行われた際に、要求信号を要求信号受信手段へ送信し、時間情報受信手段は、時間情報送信手段から送信された時間情報を受信し、計測時間表示制御手段は、時間情報受信手段が受信した時間情報に含まれている計測時間を表示手段へ表示することができる。したがって、遊技機が特別状態である時間を外部情報端末で閲覧することができる。
【０１９４】
また、請求項２に係る発明の遊技機管理システムでは、監視手段の状態検出手段は、可動部材の動作により遊技機が特別状態となっていることを検出することができ、遊技機に設置することができる。時間計測手段は、状態検出手段の検出結果に基づいて遊技機が特別状態である時間を計測し、計測時間記憶手段は、時間計測手段により計測された計測時間を記憶し、要求信号受信手段は、少なくとも計測時間を含む時間情報の送信を要求する要求信号を外部情報端末から受信し、時間情報送信手段は、要求信号受信手段が要求信号を受信し、時間情報を外部情報端末へ送信することができる。また、外部情報端末の表示手段は、文字、数字又は画像のうちの少なくとも１つを表示し、要求手段は、時間情報の取得を監視手段へ要求し、要求信号送信手段は、要求手段により時間情報の取得の要求が行われた際に、要求信号を要求信号受信手段へ送信し、時間情報受信手段は、時間情報送信手段から送信された時間情報を受信し、平均時間算出手段は、時間情報受信手段が受信した時間情報に含まれている計測時間の平均時間を算出し、平均情報表示制御手段は、平均時間算出手段が算出した平均時間を表示手段へ表示することができる。したがって、遊技機が特別状態である時間の平均時間を外部情報端末で閲覧することができる。
【０１９５】
また、請求項３に係る発明の遊技機管理システムでは、監視手段の状態検出手段は、可動部材の動作により遊技機が特別状態となっていることを検出することができ、遊技機に設置することができる。時間計測手段は、状態検出手段の検出結果に基づいて遊技機が特別状態である時間を計測し、計測時間記憶手段は、時間計測手段により計測された計測時間を記憶し、平均時間算出手段は、時間情報記憶手段に記憶されている計測時間の平均時間を算出し、要求信号受信手段は、少なくとも平均時間を含む時間情報の送信を要求する要求信号を外部情報端末から受信し、時間情報送信手段は、要求信号受信手段が要求信号を受信し、時間情報を外部情報端末へ送信することができる。また、外部情報端末の表示手段は、少なくとも文字、数字又は画像のうちの少なくとも１つを表示し、要求手段は、時間情報の取得を監視手段へ要求し、要求信号送信手段は、要求手段により時間情報の取得の要求が行われた際に、要求信号を要求信号受信手段へ送信し、時間情報受信手段は、時間情報送信手段から送信された時間情報を受信し、平均時間表示制御手段は、時間情報受信手段が受信した時間情報に含まれている平均時間を表示手段へ表示することができる。したがって、遊技機が特別状態である時間の平均時間を外部情報端末で閲覧することができる。
【０１９６】
また、請求項４に係る発明の遊技機管理システムでは、監視手段の状態検出手段は、可動部材の動作により遊技機が特別状態となっていることを検出することができ、遊技機に設置することができる。時間計測手段は、状態検出手段の検出結果に基づいて遊技機が特別状態である時間を計測し、計測時間記憶手段は、時間計測手段により計測された計測時間を記憶し、要求信号受信手段は、少なくとも計測時間を含む時間情報の送信を要求する要求信号を外部情報端末から受信し、時間情報送信手段は、要求信号受信手段が要求信号を受信し、時間情報を外部情報端末へ送信することができる。また、外部情報端末の表示手段は、文字、数字又は画像のうちの少なくとも１つを表示し、要求手段は、時間情報の取得を監視手段へ要求し、要求信号送信手段は、要求手段により時間情報の取得の要求が行われた際に、要求信号を要求信号受信手段へ送信し、時間情報受信手段は、時間情報送信手段から送信された時間情報を受信し、平均時間算出手段は、時間情報受信手段が受信した時間情報に含まれている計測時間の平均時間を算出し、区分決定手段は、平均時間算出手段により算出された平均時間が、予め時間の長さにより分けられた所定の複数の区分のうちのどの区分に該当するかを決定し、区分表示制御手段は、区分決定手段により決定された区分を表示手段へ表示することができる。したがって、遊技機が特別状態である時間の平均時間により分類された区分を外部情報端末で閲覧することができる。
【０１９７】
また、請求項５に係る発明の遊技機管理システムでは、監視手段の状態検出手段は、可動部材の動作により遊技機が特別状態となっていることを検出することができ、遊技機に設置することができる。時間計測手段は、状態検出手段の検出結果に基づいて遊技機が特別状態である時間を計測し、計測時間記憶手段は、時間計測手段により計測された計測時間を記憶し、平均時間算出手段は、時間情報記憶手段に記憶されている計測時間の平均時間を算出し、要求信号受信手段は、少なくとも平均時間を含む時間情報の送信を要求する要求信号を外部情報端末から受信し、時間情報送信手段は、要求信号受信手段が要求信号を受信し、時間情報を外部情報端末へ送信することができる。また、外部情報端末の表示手段は、文字、数字又は画像のうちの少なくとも１つを表示し、要求手段は、時間情報の取得を監視手段へ要求し、要求信号送信手段は、要求手段により時間情報の取得の要求が行われた際に、要求信号を要求信号受信手段へ送信し、時間情報受信手段は、時間情報送信手段から送信された時間情報を受信し、区分決定手段は、時間情報受信手段が受信した時間情報に含まれている平均時間が、予め時間の長さにより分けられた所定の複数の区分のうちのどの区分に該当するかを決定し、区分表示制御手段は、区分決定手段により決定された区分を表示手段へ表示することができる。したがって、遊技機が特別状態である時間の平均時間により分類された区分を外部情報端末で閲覧することができる。
【０１９８】
また、請求項６に係る発明の遊技機管理システムでは、監視手段の状態検出手段は、可動部材の動作により遊技機が特別状態となっていることを検出することができ、遊技機に設置することができる。時間計測手段は、状態検出手段の検出結果に基づいて遊技機が特別状態である時間を計測し、計測時間記憶手段は、時間計測手段により計測された計測時間を記憶し、平均時間算出手段は、時間情報記憶手段に記憶されている計測時間の平均時間を算出し、区分決定手段は、平均時間算出手段により算出された平均時間が、予め時間の長さにより分けられた所定の複数の区分のうちのどの区分に該当するかを決定し、要求信号受信手段は、少なくとも区分を含む時間情報の送信を要求する要求信号を外部情報端末から受信し、時間情報送信手段は、要求信号受信手段が要求信号を受信し、時間情報を外部情報端末へ送信することができる。また、外部情報端末の表示手段は、文字、数字又は画像のうちの少なくとも１つを表示し、要求手段は、時間情報の取得を監視手段へ要求し、要求信号送信手段は、要求手段により時間情報の取得の要求が行われた際に、要求信号を要求信号受信手段へ送信し、時間情報受信手段は、時間情報送信手段から送信された時間情報を受信し、区分表示制御手段は、時間情報受信手段が受信した時間情報に含まれている区分を表示手段へ表示することができる。したがって、遊技機が特別状態である時間の平均時間により分類された区分を外部情報端末で閲覧することができる。
【０１９９】
また、請求項７に係る発明の遊技機管理システムでは、監視手段の状態検出手段は、可動部材の動作により遊技機が特別状態となっていることを検出することができ、遊技機に設置することができる。時間計測手段は、状態検出手段の検出結果に基づいて遊技機が特別状態である時間を計測し、計測時間記憶手段は、時間計測手段により計測された計測時間を記憶し、要求信号受信手段は、少なくとも計測時間を含む時間情報の送信を要求する要求信号を外部情報端末から受信し、時間情報送信手段は、要求信号受信手段が要求信号を受信し、時間情報を外部情報端末へ送信することができる。また、外部情報端末の表示手段は、文字、数字又は画像のうちの少なくとも１つを表示し、要求手段は、時間情報の取得を監視手段へ要求し、要求信号送信手段は、要求手段により時間情報の取得の要求が行われた際に、要求信号を要求信号受信手段へ送信し、時間情報受信手段は、時間情報送信手段から送信された時間情報を受信し、平均時間算出手段は、時間情報受信手段が受信した時間情報に含まれている計測時間の平均時間を算出し、区分決定手段は、平均時間算出手段により算出された平均時間が、予め時間の長さにより分けられた所定の複数の区分のうちのどの区分に該当するかを決定し、表示情報記憶手段は、区分毎に障害部材の調整具合を示す文言又は図柄を記憶し、選択手段は、区分決定手段により決定された区分に対応して、表示情報記憶手段に記憶されている文言又は図柄を選択し、表示制御手段は、選択手段により決定された文言又は図柄を表示手段へ表示することができる。したがって、遊技機が特別状態である時間の平均時間により判断された障害部材の調整具合の指示を、外部情報端末で閲覧することができる。
【０２００】
また、請求項８に係る発明の遊技機管理システムでは、監視手段の状態検出手段は、可動部材の動作により遊技機が特別状態となっていることを検出することができ、遊技機に設置することができる。時間計測手段は、状態検出手段の検出結果に基づいて遊技機が特別状態である時間を計測し、計測時間記憶手段は、時間計測手段により計測された計測時間を記憶し、平均時間算出手段は、時間情報記憶手段に記憶されている計測時間の平均時間を算出し、要求信号受信手段は、少なくとも平均時間を含む時間情報の送信を要求する要求信号を外部情報端末から受信し、時間情報送信手段は、要求信号受信手段が要求信号を受信し、時間情報を外部情報端末へ送信することができる。また、外部情報端末の表示手段は、文字、数字又は画像のうちの少なくとも１つを表示し、要求手段は、時間情報の取得を監視手段へ要求し、要求信号送信手段は、要求手段により時間情報の取得の要求が行われた際に、要求信号を要求信号受信手段へ送信し、時間情報受信手段は、時間情報送信手段から送信された時間情報を受信し、区分決定手段は、時間情報受信手段が受信した時間情報に含まれている平均時間が、予め時間の長さにより分けられた所定の複数の区分のうちのどの区分に該当するかを決定し、表示情報記憶手段は、区分毎に障害部材の調整具合を示す文言又は図柄を記憶し、選択手段は、区分決定手段により決定された区分に対応して、表示情報記憶手段に記憶されている文言又は図柄を選択し、表示制御手段は、選択手段により決定された文言又は図柄を表示手段へ表示することができる。したがって、遊技機が特別状態である時間の平均時間により判断された障害部材の調整具合の指示を、外部情報端末で閲覧することができる。
【０２０１】
また、請求項９に係る発明の遊技機管理システムでは、監視手段の状態検出手段は、可動部材の動作により遊技機が特別状態となっていることを検出することができ、遊技機に設置することができる。時間計測手段は、状態検出手段の検出結果に基づいて遊技機が特別状態である時間を計測し、計測時間記憶手段は、時間計測手段により計測された計測時間を記憶し、平均時間算出手段は、時間情報記憶手段に記憶されている計測時間の平均時間を算出し、区分決定手段は、平均時間算出手段により算出された平均時間が、予め時間の長さにより分けられた所定の複数の区分のうちのどの区分に該当するかを決定し、要求信号受信手段は、少なくとも区分を含む時間情報の送信を要求する要求信号を外部情報端末から受信し、時間情報送信手段は、要求信号受信手段が要求信号を受信し、時間情報を外部情報端末へ送信することができる。また、外部情報端末の表示手段は、文字、数字又は画像のうちの少なくとも１つを表示し、要求手段は、時間情報の取得を監視手段へ要求し、要求信号送信手段は、要求手段により時間情報の取得の要求が行われた際に、要求信号を要求信号受信手段へ送信し、時間情報受信手段は、時間情報送信手段から送信された時間情報を受信し、表示情報記憶手段は、区分毎に障害部材の調整具合を示す文言又は図柄を記憶し、選択手段は、時間情報受信手段が受信した時間情報に含まれている区分に対応して、表示情報記憶手段に記憶されている文言又は図柄を選択し、表示制御手段は、選択手段により決定された文言又は図柄を表示手段へ表示することができる。したがって、遊技機が特別状態である時間の平均時間により判断された障害部材の調整具合の指示を、外部情報端末で閲覧することができる。
【０２０２】
また、請求項１０に係る発明の遊技機管理システムでは、監視手段の状態検出手段は、可動部材の動作により遊技機が特別状態となっていることを検出することができ、遊技機に設置することができる。時間計測手段は、状態検出手段の検出結果に基づいて遊技機が特別状態である時間を計測し、計測時間記憶手段は、時間計測手段により計測された計測時間を記憶し、平均時間算出手段は、時間情報記憶手段に記憶されている計測時間の平均時間を算出し、区分決定手段は、平均時間算出手段により算出された平均時間が、予め時間の長さにより分けられた所定の複数の区分のうちのどの区分に該当するかを決定し、表示情報記憶手段は、区分毎に障害部材の調整具合を示す文言又は図柄を記憶し、選択手段は、区分決定手段により決定された区分に対応して、表示情報記憶手段に記憶されている文言又は図柄を選択し、要求信号受信手段は、選択手段により決定された文言又は図柄を少なくとも含む時間情報の送信を要求する要求信号を外部情報端末から受信し、時間情報送信手段は、要求信号受信手段が要求信号を受信し、時間情報を外部情報端末へ送信することができる。また、外部情報端末の表示手段は、文字、数字又は画像のうちの少なくとも１つを表示し、要求手段は、時間情報の取得を監視手段へ要求し、要求信号送信手段は、要求手段により時間情報の取得の要求が行われた際に、要求信号を要求信号受信手段へ送信し、時間情報受信手段は、時間情報送信手段から送信された時間情報を受信し、表示制御手段は、時間情報受信手段が受信した時間情報に含まれている文言又は図柄を表示手段へ表示することができる。したがって、遊技機が特別状態である時間の平均時間により判断された障害部材の調整具合の指示を、外部情報端末で閲覧することができる。
【０２０３】
また、請求項１１に係る発明の遊技機管理システムでは、請求項１乃至１０のいずれかに記載の発明の効果に加えて、監視手段を遊技機に備えることができる。したがって、遊技機が特別状態である時間を計測する監視手段を遊技機自体に備えることができる。
【０２０４】
また、請求項１２に係る発明の遊技機管理システムでは、請求項１乃至１１のいずれかに記載の発明の効果に加えて、監視手段の状態検出手段であるアンテナは、通常状態においてのみ監視用ＩＣタグと非接触で通信可能であり、通信手段は、アンテナを介して監視用ＩＣタグと通信を行い、通信結果判断手段は、通信手段による通信の結果が正常であるか否かを判断し、状態判断手段は、通信結果判断手段により正常でないと判断された場合に特別状態であると判断することができる。したがって、可動部材の動作をＩＣタグを用いて監視し、可動部材の動作により遊技機が特別状態となっている時間を計測することができる。
【０２０５】
また、請求項１３に係る発明の遊技機管理システムでは、請求項１乃至１２のいずれかに記載の発明の効果に加えて、遊技機の始動入賞口は遊技盤に設けられ、遊技球が入賞し、乱数取得手段は、始動入賞口への遊技球の入賞を契機に乱数の取得を行い、大当たり判定手段は、乱数取得手段が取得した乱数に基づいて、遊技者が多数の遊技球を取得可能な大当たり状態とするか否かの判定を行うことができる。そして、大入賞口は遊技盤に設けられ、開閉可能な開閉部材を備え、大当たり判定手段の判定結果により大当たり状態となった場合に、開閉部材が開かれて遊技球を入賞可能とすることができる。そして、可動部材は開閉部材であり、入賞装置は大入賞口であり、特別状態は開閉部材が開かれている状態とすることができる。したがって、大入賞口の開閉を監視手段により監視することができ、大入賞口の開放時間を測定することができる。そして、大入賞口の開放時間や開放時間の平均時間、平均時間により分類された区分、大入賞口への遊技球の入賞に作用する障害部材（寄り釘）の調整具合を外部情報端末で閲覧することができる。
【０２０６】
また、請求項１４に係る発明の遊技機管理システムでは、請求項１３に記載の発明の効果に加えて、時間計測手段は、大当たり遊技状態である場合にのみ時間を計測することができる。したがって、大当たり遊技状態中に大入賞口が開放された時間のみを計測することができるので、不正により開放された時間等が計測値に影響することがない。よって、障害部材（寄り釘）の影響による大入賞口の開放時間のみを、障害部材の調整の判断材料とすることができる。
【０２０７】
また、請求項１５に係る発明の遊技機管理システムでは、請求項１３に記載の発明の効果に加えて、平均時間算出手段は、大当たり遊技状態である場合に時間計測手段で計測された計測時間のみから平均時間を算出することができる。したがって、大当たり遊技状態中に大入賞口が開放された時間のみを平均時間算出に用いるので、不正により開放された時間等が計測値に影響することがない。よって、障害部材（寄り釘）の影響による大入賞口の開放時間のみを、障害部材の調整の判断材料とすることができる。
【０２０８】
また、請求項１６に係る発明の遊技機管理システムでは、請求項１乃至１５のいずれかに記載の発明の効果に加えて、外部情報端末は携帯可能な携帯情報端末を用いることができる。したがって、外部情報端末は携帯可能であるので、遊技機の面前で計測時間、計測時間の平均時間、平均時間により分類された区分、又は、障害部材の調整具合の指示を閲覧することができる。
【０２０９】
また、請求項１７に係る発明の遊技機管理システムでは、請求項１６に記載の発明の効果に加えて、携帯情報端末は通信用ＩＣタグと通信を行い、通信用ＩＣタグが時間情報送信手段及び時間情報要求信号受信手段を備えることができる。したがって、外部情報端末である携帯情報端末は遊技機に備えられた通信用ＩＣタグを利用して監視手段と通信を行うので、ケーブル等を使用する必要がなく、無線で通信ができる。
【０２１０】
また、請求項１８に係る発明の外部情報端末では、表示手段は、文字、数字又は画像のうちの少なくとも１つを表示し、要求手段は、特別状態となっている時間を計測した計測時間を少なくとも含む時間情報の取得を監視手段へ要求し、要求信号送信手段は、要求手段により時間情報の取得の要求が行われた際に、時間情報の送信を要求する要求信号を監視手段へ送信し、時間情報受信手段は、監視手段から送信された時間情報を受信し、計測時間表示制御手段は、時間情報受信手段が受信した時間情報に含まれている計測時間を表示手段へ表示することができる。したがって、遊技機が特別状態である時間を外部情報端末で閲覧することができる。
【０２１１】
また、請求項１９に係る発明の外部情報端末では、表示手段は、文字、数字又は画像のうちの少なくとも１つを表示し、要求手段は、特別状態となっている時間を計測した計測時間を少なくとも含む時間情報の取得を監視手段へ要求し、要求信号送信手段は、要求手段により時間情報の取得の要求が行われた際に、時間情報の送信を要求する要求信号を監視手段へ送信し、時間情報受信手段は、監視手段から送信された時間情報を受信し、平均時間算出手段は、時間情報受信手段が受信した時間情報に含まれている計測時間の平均時間を算出し、平均情報表示制御手段は、平均時間算出手段が算出した平均時間を表示手段へ表示することができる。したがって、遊技機が特別状態である時間の平均時間を外部情報端末で閲覧することができる。
【０２１２】
また、請求項２０に係る発明の外部情報端末では、表示手段は、文字、数字又は画像のうちの少なくとも１つを表示し、要求手段は、少なくとも平均時間を含む時間情報の取得を監視手段へ要求し、要求信号送信手段は、要求手段により時間情報の取得の要求が行われた際に、時間情報の送信を要求する要求信号を監視手段へ送信し、時間情報受信手段は、監視手段から送信された時間情報を受信し、平均時間表示制御手段は、時間情報受信手段が受信した時間情報に含まれている平均時間を表示手段へ表示することができる。したがって、遊技機が特別状態である時間の平均時間を外部情報端末で閲覧することができる。
【０２１３】
また、請求項２１に係る発明の外部情報端末では、表示手段は、文字、数字又は画像のうちの少なくとも１つを表示し、要求手段は、特別状態となっている時間を計測した計測時間を少なくとも含む時間情報の取得を監視手段へ要求し、要求信号送信手段は、要求手段により時間情報の取得の要求が行われた際に、時間情報の送信を要求する要求信号を監視手段へ送信し、監視手段から送信された時間情報を受信する時間情報受信手段と、平均時間算出手段は、時間情報受信手段が受信した時間情報に含まれている計測時間の平均時間を算出し、区分決定手段は、平均時間算出手段により算出された平均時間が、予め時間の長さにより分けられた所定の複数の区分のうちのどの区分に該当するかを決定し、区分表示制御手段は、区分決定手段により決定された区分を表示手段へ表示することができる。したがって、遊技機が特別状態である時間の平均時間により分類された区分を外部情報端末で閲覧することができる。
【０２１４】
また、請求項２２に係る発明の外部情報端末では、表示手段は、文字、数字又は画像のうちの少なくとも１つを表示し、要求手段は、少なくとも平均時間を含む時間情報の取得を監視手段へ要求し、要求信号送信手段は、要求手段により時間情報の取得の要求が行われた際に、時間情報の送信を要求する要求信号を監視手段へ送信し、時間情報受信手段は、監視手段から送信された時間情報を受信し、区分決定手段は、時間情報受信手段が受信した時間情報に含まれている平均時間が、予め時間の長さにより分けられた所定の複数の区分のうちのどの区分に該当するかを決定し、区分表示制御手段は、区分決定手段により決定された区分を表示手段へ表示することができる。したがって、遊技機が特別状態である時間の平均時間により分類された区分を外部情報端末で閲覧することができる。
【０２１５】
また、請求項２３に係る発明の外部情報端末では、表示手段は、文字、数字又は画像のうちの少なくとも１つを表示し、要求手段は、少なくとも区分を含む時間情報の取得を監視手段へ要求し、要求信号送信手段は、要求手段により時間情報の取得の要求が行われた際に、時間情報の送信を要求する要求信号を監視手段へ送信し、時間情報受信手段は、監視手段から送信された時間情報を受信し、区分表示制御手段は、時間情報受信手段が受信した時間情報に含まれている区分を表示手段へ表示することができる。したがって、遊技機が特別状態である時間の平均時間により分類された区分を外部情報端末で閲覧することができる。
【０２１６】
また、請求項２４に係る発明の外部情報端末では、表示手段は、文字、数字又は画像のうちの少なくとも１つを表示し、要求手段は、特別状態となっている時間を計測した計測時間を少なくとも含む時間情報の取得を監視手段へ要求し、要求信号送信手段は、要求手段により時間情報の取得の要求が行われた際に、時間情報の送信を要求する要求信号を監視手段へ送信し、時間情報受信手段は、監視手段から送信された時間情報を受信し、平均時間算出手段は、時間情報受信手段が受信した時間情報に含まれている計測時間の平均時間を算出し、区分決定手段は、平均時間算出手段により算出された平均時間が、予め時間の長さにより分けられた所定の複数の区分のうちのどの区分に該当するかを決定し、表示情報記憶手段は、区分毎に障害部材の調整具合を示す文言又は図柄を記憶し、選択手段は、区分決定手段により決定された区分に対応して、表示情報記憶手段に記憶されている文言又は図柄を選択し、表示制御手段は、選択手段により決定された文言又は図柄を表示手段へ表示することができる。したがって、遊技機が特別状態である時間の平均時間により判断された障害部材の調整具合の指示を、外部情報端末で閲覧することができる。
【０２１７】
また、請求項２５に係る発明の外部情報端末では、表示手段は、文字、数字又は画像のうちの少なくとも１つを表示し、要求手段は、少なくとも平均時間を含む時間情報の取得を監視手段へ要求し、要求信号送信手段は、要求手段により時間情報の取得の要求が行われた際に、時間情報の送信を要求する要求信号を監視手段へ送信し、時間情報受信手段は、監視手段から送信された時間情報を受信し、区分決定手段は、時間情報受信手段が受信した時間情報に含まれている平均時間が、予め時間の長さにより分けられた所定の複数の区分のうちのどの区分に該当するかを決定し、表示情報記憶手段は、区分毎に障害部材の調整具合を示す文言又は図柄を記憶し、選択手段は、区分決定手段により決定された区分に対応して、表示情報記憶手段に記憶されている文言又は図柄を選択し、表示制御手段は、選択手段により決定された文言又は図柄を表示手段へ表示することができる。したがって、遊技機が特別状態である時間の平均時間により判断された障害部材の調整具合の指示を、外部情報端末で閲覧することができる。
【０２１８】
また、請求項２６に係る発明の外部情報端末では、表示手段は、文字、数字又は画像のうちの少なくとも１つを表示し、要求手段は、少なくとも区分を含む時間情報の取得を監視手段へ要求し、要求信号送信手段は、要求手段により時間情報の取得の要求が行われた際に、時間情報の送信を要求する要求信号を監視手段へ送信し、時間情報受信手段は、監視手段から送信された時間情報を受信し、表示情報記憶手段は、区分毎に障害部材の調整具合を示す文言又は図柄を記憶し、選択手段は、時間情報受信手段が受信した時間情報に含まれている区分に対応して、表示情報記憶手段に記憶されている文言又は図柄を選択し、表示制御手段は、選択手段により決定された文言又は図柄を表示手段へ表示することができる。したがって、遊技機が特別状態である時間の平均時間により判断された障害部材の調整具合の指示を、外部情報端末で閲覧することができる。
【０２１９】
また、請求項２７に係る発明の外部情報端末では、表示手段は、文字、数字又は画像のうちの少なくとも１つを表示し、要求手段は、少なくとも文言又は図柄を含む時間情報の取得を監視手段へ要求し、要求信号送信手段は、要求手段により時間情報の取得の要求が行われた際に、時間情報の送信を要求する要求信号を監視手段へ送信し、時間情報受信手段は、監視手段から送信された時間情報を受信し、表示制御手段は、時間情報受信手段が受信した時間情報に含まれている文言又は図柄を表示手段へ表示することができる。したがって、遊技機が特別状態である時間の平均時間により判断された障害部材の調整具合の指示を、外部情報端末で閲覧することができる。
【０２２０】
また、請求項２８に係る発明の外部情報端末では、請求項１８乃至２７のいずれかに記載の発明の効果に加えて、遊技機に備えられている監視手段と通信することができる。したがって、監視手段が遊技機自体に備えられている場合でも通信することができる。
【０２２１】
また、請求項２９に係る発明の外部情報端末では、請求項１８乃至２８のいずれかに記載の発明の効果に加えて、監視手段の状態検出手段であるアンテナは、通常状態においてのみ監視用ＩＣタグと非接触で通信可能であり、通信手段は、アンテナを介して監視用ＩＣタグと通信を行い、通信結果判断手段は、通信手段による通信の結果が正常であるか否かを判断し、状態判断手段は、通信結果判断手段により正常でないと判断された場合に特別状態であると判断することができる。したがって、外部情報端末は、遊技機が特別状態となっている時間をＩＣタグを利用して計測する監視手段と通信することができ、外部情報端末で、ＩＣタグを利用して計測された特別状態である時間、その平均時間、平均時間により分類された区分、障害部材の調整具合の指示を閲覧することができる。
【０２２２】
また、請求項３０に係る発明の外部情報端末では、請求項１８乃至２９のいずれかに記載の発明の効果に加えて、遊技機の始動入賞口は遊技盤に設けられ、遊技球が入賞し、乱数取得手段は、始動入賞口への遊技球の入賞を契機に乱数の取得を行い、大当たり判定手段は、乱数取得手段が取得した乱数に基づいて、遊技者が多数の遊技球を取得可能な大当たり状態とするか否かの判定を行うことができる。そして、大入賞口は遊技盤に設けられ、開閉可能な開閉部材を備え、大当たり判定手段の判定結果により大当たり状態となった場合に、開閉部材が開かれて遊技球を入賞可能とすることができる。そして、可動部材は開閉部材であり、入賞装置は大入賞口であり、特別状態は開閉部材が開かれている状態とすることができる。したがって、大入賞口の開放時間や開放時間の平均時間、平均時間により分類された区分、大入賞口への遊技球の入賞に作用する障害部材（寄り釘）の調整具合を外部情報端末で閲覧することができる。
【０２２３】
また、請求項３１に係る発明の外部情報端末では、請求項３０に記載の発明の効果に加えて、計測時間は、大当たり遊技状態である場合にのみに計測された時間を用いることができる。したがって、大当たり遊技状態中に大入賞口が開放された時間のみを用いるので、不正により開放された時間等が計測値に影響することがない。よって、障害部材（寄り釘）の影響による大入賞口の開放時間のみを、障害部材の調整の判断材料とすることができる。
【０２２４】
また、請求項３２に係る発明の外部情報端末では、請求項３０に記載の発明の効果に加えて、平均時間は、大当たり遊技状態である場合にのみ計測された時間の平均時間を用いることができる。したがって、大当たり遊技状態中に大入賞口が開放された時間の平均時間を用いるので、不正により開放された時間等が計測値に影響することがない。よって、障害部材（寄り釘）の影響による大入賞口の開放時間のみを、障害部材の調整の判断材料とすることができる。
【０２２５】
また、請求項３３に係る発明の外部情報端末では、請求項１８乃至３２のいずれかに記載の発明の効果に加えて、携帯可能な携帯情報端末を用いることができる。したがって、外部情報端末は携帯可能であるので、遊技機の面前で計測時間、計測時間の平均時間、平均時間により分類された区分、又は、障害部材の調整具合の指示を閲覧することができる。
【０２２６】
また、請求項３４に係る発明の外部情報端末では、請求項３３に記載の発明の効果に加えて、携帯情報端末は通信用ＩＣタグと通信を行い、通信用ＩＣタグが時間情報送信手段及び時間情報要求信号受信手段を備えることができる。したがって、外部情報端末である携帯情報端末は遊技機に備えられた通信用ＩＣタグを利用して監視手段と通信を行うので、ケーブル等を使用する必要がなく、無線で通信ができる。
【０２２７】
また、請求項３５に係る発明の遊技機では、監視手段の状態検出手段は、可動部材の動作により遊技機が特別状態となっていることを検出することができ、遊技機に設置することができる。時間計測手段は、状態検出手段の検出結果に基づいて遊技機が特別状態である時間を計測し、計測時間記憶手段は、時間計測手段により計測された計測時間を記憶し、要求信号受信手段は、少なくとも計測時間を含む時間情報の送信を要求する要求信号を外部情報端末から受信し、時間情報送信手段は、要求信号受信手段が要求信号を受信し、時間情報を外部情報端末へ送信することができる。したがって、遊技機が特別状態である時間を外部情報端末へ送信することができる。
【０２２８】
また、請求項３６に係る発明の遊技機では、監視手段の状態検出手段は、可動部材の動作により遊技機が特別状態となっていることを検出することができ、遊技機に設置することができる。時間計測手段は、状態検出手段の検出結果に基づいて遊技機が特別状態である時間を計測し、計測時間記憶手段は、時間計測手段により計測された計測時間を記憶し、要求信号受信手段は、少なくとも計測時間を含む時間情報の送信を要求する要求信号を外部情報端末から受信し、時間情報送信手段は、要求信号受信手段が要求信号を受信し、時間情報を外部情報端末へ送信することができる。したがって、遊技機が特別状態である時間の平均時間を外部情報端末へ送信することができる。
【０２２９】
また、請求項３７に係る発明の遊技機では、監視手段の状態検出手段は、可動部材の動作により遊技機が特別状態となっていることを検出することができ、遊技機に設置することができる。時間計測手段は、状態検出手段の検出結果に基づいて遊技機が特別状態である時間を計測し、計測時間記憶手段は、時間計測手段により計測された計測時間を記憶し、平均時間算出手段は、時間情報記憶手段に記憶されている計測時間の平均時間を算出し、区分決定手段は、平均時間算出手段により算出された平均時間が、予め時間の長さにより分けられた所定の複数の区分のうちのどの区分に該当するかを決定し、要求信号受信手段は、少なくとも区分を含む時間情報の送信を要求する要求信号を外部情報端末から受信し、時間情報送信手段は、要求信号受信手段が要求信号を受信し、時間情報を外部情報端末へ送信することができる。したがって、遊技機が特別状態である時間の平均時間により分類された区分を外部情報端末へ送信することができる。
【０２３０】
また、請求項３８に係る発明の遊技機では、監視手段の状態検出手段は、可動部材の動作により遊技機が特別状態となっていることを検出することができ、遊技機に設置することができる。時間計測手段は、状態検出手段の検出結果に基づいて遊技機が特別状態である時間を計測し、計測時間記憶手段は、時間計測手段により計測された計測時間を記憶し、平均時間算出手段は、時間情報記憶手段に記憶されている計測時間の平均時間を算出し、区分決定手段は、平均時間算出手段により算出された平均時間が、予め時間の長さにより分けられた所定の複数の区分のうちのどの区分に該当するかを決定し、表示情報記憶手段は、区分毎に障害部材の調整具合を示す文言又は図柄を記憶し、選択手段は、区分決定手段により決定された区分に対応して、表示情報記憶手段に記憶されている文言又は図柄を選択し、要求信号受信手段は、選択手段により決定された文言又は図柄を少なくとも含む時間情報の送信を要求する要求信号を外部情報端末から受信し、時間情報送信手段は、要求信号受信手段が要求信号を受信し、時間情報を外部情報端末へ送信することができる。したがって、遊技機が特別状態である時間の平均時間により判断された障害部材の調整具合の指示を、外部情報端末へ送信することができる。
【０２３１】
また、請求項３９に係る発明の遊技機では、請求項３５乃至３８のいずれかに記載の発明の効果に加えて、監視手段を自身に設けることができる。したがって、遊技機が特別状態である時間を計測する監視手段を遊技機自体に備えることができる。
【０２３２】
また、請求項４０に係る発明の遊技機では、請求項３５乃至３９のいずれかに記載の発明の効果に加えて、監視手段の状態検出手段であるアンテナは、通常状態においてのみ監視用ＩＣタグと非接触で通信可能であり、通信手段は、アンテナを介して監視用ＩＣタグと通信を行い、通信結果判断手段は、通信手段による通信の結果が正常であるか否かを判断し、状態判断手段は、通信結果判断手段により正常でないと判断された場合に特別状態であると判断することができる。したがって、可動部材の動作をＩＣタグを用いて監視し、可動部材の動作により遊技機機が特別状態となっている時間を計測することができる。
【０２３３】
また、請求項４１に係る発明の遊技機では、発請求項３５乃至４０のいずれかに記載の明の効果に加えて、遊技機の始動入賞口は遊技盤に設けられ、遊技球が入賞し、乱数取得手段は、始動入賞口への遊技球の入賞を契機に乱数の取得を行い、大当たり判定手段は、乱数取得手段が取得した乱数に基づいて、遊技者が多数の遊技球を取得可能な大当たり状態とするか否かの判定を行うことができる。そして、大入賞口は遊技盤に設けられ、開閉可能な開閉部材を備え、大当たり判定手段の判定結果により大当たり状態となった場合に、開閉部材が開かれて遊技球を入賞可能とすることができる。そして、可動部材は開閉部材であり、入賞装置は大入賞口であり、特別状態は開閉部材が開かれている状態とすることができる。したがって、大入賞口の開閉を監視手段により監視することができ、大入賞口の開放時間を測定することができる。
【０２３４】
また、請求項４２に係る発明の遊技機では、請求項４１に記載の発明の効果に加えて、時間計測手段は大当たり遊技状態である場合にのみ時間を計測することができる。したがって、大当たり遊技状態中に大入賞口が開放された時間のみを計測するので、不正により開放された時間等が計測時間とされることがない。よって、障害部材（寄り釘）の影響による大入賞口の開放時間のみを、障害部材の調整の判断材料とすることができる。
【０２３５】
また、請求項４３に係る発明の遊技機では、請求項４２に記載の発明の効果に加えて、平均時間算出手段は大当たり遊技状態である場合に時間計測手段で計測された計測時間のみから平均時間を算出することができる。したがって、大当たり遊技状態中に大入賞口が開放された時間のみを平均時間算出に用いるので、不正により開放された時間等が計測値に影響することがない。よって、障害部材（寄り釘）の影響による大入賞口の開放時間のみを、障害部材の調整の判断材料とすることができる。
【０２３６】
また、請求項４４に係る発明の遊技機では、請求項３５乃至４３のいずれかに記載の発明の効果に加えて、監視手段の通信用ＩＣタグは、時間情報送信手段及び時間情報要求信号受信手段を備えることができる。したがって、外部情報端末との通信にケーブル等を用いる必要がなく、無線で通信を行うことができる。
【図面の簡単な説明】
【図１】図１は、遊技機の一種であるパチンコ機１の正面図である。
【図２】図２を参照して、大入賞口１６が設けられているアタッカ部材１６０への監視用ＩＣタグ８６の設置について説明する。
【図３】図３を参照してパチンコ機１及びパチンコ機１に付属したＲ／Ｗユニット３０の主な構成要素の電気的構成について説明する。
【図４】図４は、監視用ＩＣタグ８６の平面図である。
【図５】図５は、監視用ＩＣタグ８６の電気的回路構成を示すブロック図である。
【図６】図６は、通信用ＩＣタグ２４の電気的回路構成を示すブロック図である。
【図７】図７は、「第１の実施の形態」及び「第２の実施の形態」におけるＨＴ４００の斜視図である。
【図８】図８は、「第１の実施の形態」及び「第２の実施の形態」におけるＨＴ４００の電気的構成を示すブロック図である。
【図９】図９は、「第１の実施の形態」及び「第２の実施の形態」における寄り釘チェック結果画面が表示パネル４０３に表示されたＨＴ４００のイメージ図である。
【図１０】図１０は、「第１の実施の形態」及び「第２の実施の形態」における、各ラウンドの大入賞口１６の開放時間を記憶する計測時間記憶エリア３５１の模式図である。
【図１１】図１１は、「第１の実施の形態」及び「第２の実施の形態」における、平均時間を算出する際に使用される平均時間記憶エリア３５２の模式図である。
【図１２】図１２は、「第１の実施の形態」及び「第２の実施の形態」における、表示パネル４０３に表示されるメッセージや画面を記憶している表示情報記憶エリア５００の模式図である。
【図１３】図１３は、「第１の実施の形態」における寄り釘チェック処理のフローチャートである。
【図１４】図１４は、「第１の実施の形態」及び「第２の実施の形態」における通信用ＩＣタグ処理のフローチャートである。
【図１５】図１５は、「第１の実施の形態」におけるＲ／Ｗ基板処理のフローチャートである。
【図１６】図１６は、「第２の実施の形態」における寄り釘チェック処理のフローチャートである。
【図１７】図１７は、「第２の実施の形態」におけるＲ／Ｗ基板処理のフローチャートである。
【図１８】図１８は、「第３の実施の形態」における遊技機管理システムのシステム構成図である。
【図１９】図１９は、「第３の実施の形態」におけるホールコンピュータ３００の電気的構成を示すブロック図である。
【図２０】図２０は、「第３の実施の形態」におけるホールコンピュータ３００に表示される開放時間画面３９０のイメージ図である。
【図２１】図２１は、「第３の実施の形態」における開放時間記憶エリア３５３の模式図である。
【図２２】図２２は、「第３の実施の形態」における時間情報記憶エリア３６１の模式図
【図２３】図２３は、「第３の実施の形態」におけるホールコンピュータ処理のフローチャートである。
【図２４】図２４は、「第３の実施の形態」におけるＲ／Ｗ基板処理のフローチャートである。
【符号の説明】
１  パチンコ機
２  遊技盤
４  遊技領域
１５  特別図柄始動電動役物
１６  大入賞口
１６ａ  開閉扉
１６ｂ  開口部
２４  通信用ＩＣタグ
２４ａ  ＲＦ回路
２４ｂ  アンテナ
２４ｆ  ＣＰＵ
２６  寄り釘
２６ａ  寄り釘
２６ｂ  寄り釘
２６ｃ  寄り釘
２６ｄ  寄り釘
３０  Ｒ／Ｗユニット
３１  Ｒ／Ｗ基板
３２  ＣＰＵ
３５  ＥＥＰＲＯＭ
３８  ＲＦ回路
６８  監視用アンテナ
８６  監視用ＩＣタグ
１５０  店内ネットワーク
３００  ホールコンピュータ
３０１  ＣＰＵ
３０９  ディスプレイ
３１０  キーボード
３５１  開放時間記憶エリア
３５２  平均時間記憶エリア
３６０  ハードディスク
３６１  時間情報記憶エリア
３９０  開放時間画面
４００  ＨＴ
４０２  アンテナ
４０３  表示パネル
４１０  ＲＦ回路
４１１  ＣＰＵ
４１４  フラッシュメモリ
８６１  ＲＦ回路
８６２  アンテナ
８６３  ＥＥＰＲＯＭ
８６４  ＩＣチップ
【図１】
2005027716.tif 000003
【図２】
2005027716.tif 000004
【図３】
2005027716.tif 000005
【図４】
2005027716.tif 000006
【図５】
2005027716.tif 000007
【図６】
2005027716.tif 000008
【図７】
2005027716.tif 000009
【図８】
2005027716.tif 000010
【図９】
2005027716.tif 000011
【図１０】
2005027716.tif 000012
【図１１】
2005027716.tif 000013
【図１２】
2005027716.tif 000014
【図１３】
2005027716.tif 000015
【図１４】
2005027716.tif 000016
【図１５】
2005027716.tif 000017
【図１６】
2005027716.tif 000018
【図１７】
2005027716.tif 000019
【図１８】
2005027716.tif 000020
【図１９】
2005027716.tif 000021
【図２０】
2005027716.tif 000022
【図２１】
2005027716.tif 000023
【図２２】
2005027716.tif 000024
【図２３】
2005027716.tif 000025
【図２４】
2005027716.tif 000026